(57)【要約】本発明は新規化粧品、ボディケア製品、洗浄剤、殺菌剤、機能性食品、および栄養サプリメント組成物を含む。これらの新規組成物は化粧品、洗浄剤、ボディケア製品、殺菌剤、機能性食品、および栄養サプリメントに生物活性ガラスを添加する。本発明はこのような組成物の製造方法および使用方法も含む。【特許請求の範囲】
【請求項１】
生物活性ガラスおよび実質的に無水の化粧品処方物から成る化粧品組成物。
【請求項２】
生物活性ガラスは溶融−由来である、請求項１記載の組成物。
【請求項３】
生物活性ガラスはゾル−ゲル−由来である、請求項１記載の組成物。
【請求項４】
生物活性ガラスは水性抽出物である、請求項１記載の組成物。
【請求項５】
実質的に無水の化粧品処方物は口紅、リップバーム、アイシャドウ、アイファンデーション、メーキャップファンデーション、およびおしろいから成る群から選択する、請求項１記載の組成物。
【請求項６】
例４Ｂの処方に添加する、請求項１記載の組成物。
【請求項７】
例４Ｃの処方に添加する、請求項１記載の組成物。
【請求項８】
例５の処方に添加する、請求項１記載の組成物。
【請求項９】
例６の処方に添加する、請求項１記載の組成物。
【請求項１０】
例７の処方に添加する、請求項１記載の組成物。
【請求項１１】
例８の処方に添加する、請求項１記載の組成物。
【請求項１２】
例９の処方に添加する、請求項２７記載の組成物。
【請求項１３】
例１０Ｂの処方に添加する、請求項２７記載の組成物。
【請求項１４】
生物活性ガラスと実質的に無水の化粧品処方物を組合せることから成る化粧品組成物の製造方法。
【請求項１５】
生物活性ガラスは溶融−由来である、請求項１４記載の方法。
【請求項１６】
生物活性ガラスはゾル−ゲル−由来である、請求項１４記載の方法。
【請求項１７】
生物活性ガラスは水性抽出物である、請求項１４記載の方法。
【請求項１８】
実質的に無水の化粧品処方物は口紅、リップバーム、アイシャドウ、アイファンデーション、メーキャップファンデーションおよびおしろいから成る群から選択する、請求項１４記載の方法。
【請求項１９】
例４Ｂの処方物を製造する、請求項１４記載の方法。
【請求項２０】
例４Ｃの処方物を製造する、請求項１４記載の方法。
【請求項２１】
例５の処方物を製造する、請求項１４記載の方法。
【請求項２２】
例６の処方物を製造する、請求項１４記載の方法。
【請求項２３】
例７の処方物を製造する、請求項１４記載の方法。
【請求項２４】
例８の処方物を製造する、請求項１４記載の方法。
【請求項２５】
例９の処方物を製造する、請求項３４記載の方法。
【請求項２６】
例１０Ｂの処方物を製造する、請求項３４記載の方法。
【請求項２７】
生物活性ガラスと、化粧品処方物および緩衝剤から成る化粧品組成物。
【請求項２８】
生物活性ガラスは溶融−由来である、請求項２７記載の組成物。
【請求項２９】
生物活性ガラスはゾル−ゲル−由来である、請求項２７記載の組成物。
【請求項３０】
生物活性ガラスは水性抽出物である、請求項２７記載の組成物。
【請求項３１】
緩衝剤はクエン酸である、請求項２７記載の組成物。
【請求項３２】
化粧品処方物は口紅、リップバーム、アイシャドウ、アイファンデーション、メーキャップファンデーション、およびおしろいから成る群から選択する、請求項２７記載の組成物。
【請求項３３】
例９の処方物に添加する請求項２７記載の組成物。
【請求項３４】
生物活性ガラス、化粧品処方物および緩衝剤を組合せることから成る化粧品組成物の製造方法。
【請求項３５】
生物活性ガラスは溶融−由来である、請求項３４記載の方法。
【請求項３６】
生物活性ガラスはゾル−ゲル−由来である、請求項３４記載の方法。
【請求項３７】
生物活性ガラスは水性抽出物である、請求項３４記載の方法。
【請求項３８】
緩衝剤はクエン酸である、請求項３４記載の方法。
【請求項３９】
化粧品処方物は口紅、リップバーム、アイシャドウ、アイファンデーション、メーキャップファンデーション、およびおしろいから成る群から選択する、請求項３４記載の方法。
【請求項４０】
例９の処方物を製造する、請求項３４記載の方法。
【請求項４１】
生物活性ガラスおよび化粧品処方物から成る非刺激性、安定な化粧品組成物であって、組成物のｐＨは約８〜約１２である、上記組成物。
【請求項４２】
生物活性ガラスおよび化粧品処方物を組合せることから成る非刺激性、安定な化粧品組成物の製造方法であって、組成物のｐＨは約８〜約１２である、上記製造方法。
【請求項４３】
生物活性ガラスおよび化粧品処方物から成る非刺激性化粧品組成物であって、この化粧品処方物が組成物に含まれない場合、皮膚刺激性である少なくとも１つの物質を含む、上記非刺激性化粧品組成物。
【請求項４４】
請求項４３記載の化粧品組成物を皮膚に適用することから成る皮膚刺激の低減および／または予防方法。
【請求項４５】
生物活性ガラスおよび化粧品処方物から成る低香化粧品組成物。
【請求項４６】
請求項４５記載の化粧品組成物を香り源に適用することから成る低香方法。
【請求項４７】
生物活性ガラスおよび化粧品処方物から成るＵＶ−濾過化粧品組成物。
【請求項４８】
生物活性ガラスはゾル−ゲル−由来である請求項４７記載の化粧品組成物。
【請求項４９】
例１の処方に添加する請求項４７記載の化粧品組成物。
【請求項５０】
例２の処方に添加する請求項４７記載の化粧品組成物。
【請求項５１】
例３の処方に添加する請求項４７記載の化粧品組成物。
【請求項５２】
請求項４７記載の化粧品組成物を暴露した皮膚に適用することから成る暴露した皮膚からＵＶ光線を遮断する方法。
【請求項５３】
請求項４９記載の化粧品組成物を暴露した皮膚に適用することから成る暴露した皮膚からＵＶ光線を遮断する方法。
【請求項５４】
請求項５０記載の化粧品組成物を暴露した皮膚に適用することから成る暴露した皮膚からＵＶ光線を遮断する方法。
【請求項５５】
請求項５１記載の化粧品組成物を暴露した皮膚に適用することから成る暴露した皮膚からＵＶ光線を遮断する方法。
【請求項５６】
生物活性ガラスおよび化粧品処方物から成る水分−吸収化粧品組成物。
【請求項５７】
生物活性ガラスはゾル−ゲル由来である、請求項５６記載の化粧品組成物。
【請求項５８】
請求項５６記載の化粧品組成物を水分源に適用することから成る水分の吸収方法。
【請求項５９】
生物活性ガラスおよびボディケア製品から成るボディケア組成物。
【請求項６０】
生物活性ガラスは溶融−由来である、請求項５９記載の組成物。
【請求項６１】
生物活性ガラスはゾル−ゲル−由来である、請求項５９記載の組成物。
【請求項６２】
生物活性ガラスは水性抽出物である、請求項５９記載の組成物。
【請求項６３】
ボディケア製品はおしめ製品、成人失禁製品、女性衛生製品、シャンプー製品、毛髪ケア製品、脱臭製品、フットケア製品、乳児ケア製品、日焼け止め製品、ボディ洗剤製品、皮膚ケア製品、および栄養サプリメント製品から成る群から選択する、請求項５９記載の組成物。
【請求項６４】
生物活性ガラスおよびボディケア製品を組合せることから成るボディケア組成物の製造方法。
【請求項６５】
生物活性ガラスは溶融−由来である、請求項６４記載の方法。
【請求項６６】
生物活性ガラスはゾル−ゲル−由来である、請求項６４記載の方法。
【請求項６７】
生物活性ガラスは水性抽出物である、請求項６４記載の方法。
【請求項６８】
ボディケア製品はおしめ製品、成人失禁製品、女性衛生製品、シャンプー製品、毛髪ケア製品、脱臭製品、フットケア製品、乳児ケア製品、日焼け止め製品、ボディ洗剤製品、皮膚ケア製品、および栄養サプリメント製品から成る群から選択する、請求項６４記載の方法。
【請求項６９】
組成物のｐＨは約８〜約１２である、生物活性ガラスおよびボディケア製品から成る非刺激性、安定なボディケア組成物。
【請求項７０】
組成物のｐＨは約８〜約１２である、生物活性ガラスおよびボディケア製品を組合せることから成る非刺激性、安定なボディケア組成物の製造方法。
【請求項７１】
生物活性ガラスおよびボディケア製品から成る低香するボディケア組成物。
【請求項７２】
請求項７１記載のボディケア組成物を香り源に適用することから成る低香方法。
【請求項７３】
生物活性ガラスおよびボディケア製品から成るＵＶ−濾過ボディケア組成物。
【請求項７４】
生物活性ガラスはゾル−ゲル−由来である、請求項７３記載のＵＶ−濾過ボディケア組成物。
【請求項７５】
ボディケア製品は日焼け止め剤含む、請求項７３記載のボディケア組成物。
【請求項７６】
例１の処方に添加する請求項７３記載のボディケア組成物。
【請求項７７】
例２の処方に添加する請求項７３記載のボディケア組成物。
【請求項７８】
例３の処方に添加する請求項７３記載のボディケア組成物。
【請求項７９】
請求項７３記載のボディケア組成物を暴露した皮膚に適用することから成る暴露した皮膚からＵＶ光線の遮断方法。
【請求項８０】
請求項７６記載のボディケア組成物を暴露した皮膚に適用することから成る暴露した皮膚からＵＶ光線の遮断方法。
【請求項８１】
請求項７７記載のボディケア組成物を暴露した皮膚に適用することから成る暴露した皮膚からＵＶ光線の遮断方法。
【請求項８２】
請求項７８記載のボディケア組成物を暴露した皮膚に適用することから成る暴露した皮膚からＵＶ光線の遮断方法。
【請求項８３】
生物活性ガラスおよびボディケア製品から成る水分吸収ボディケア組成物。
【請求項８４】
生物活性ガラスはゾル−ゲル由来である、請求項８３記載の水分吸収ボディケア組成物。
【請求項８５】
請求項８３記載のボディケア組成物を水分源に適用することから成る水分の吸収方法。
【請求項８６】
毛髪ケア組成物は毛髪にミネラル被覆を供する、生物活性ガラスおよび毛髪ケア製品から成る毛髪ケア組成物。
【請求項８７】
例１１の処方に添加する請求項８６記載の毛髪ケア組成物。
【請求項８８】
例１２Ａの処方に添加する請求項８６記載の毛髪ケア組成物。
【請求項８９】
例１３Ａの処方に添加する請求項８６記載の毛髪ケア組成物。
【請求項９０】
赤色７カルシウムレーキ、赤色６バリウムレーキ、赤色３３アルミニウムレーキ、ヒマシ油、カルナバワックス、キャンデリラワックス、オゾケライトワックス、微結晶ワックス、ホホバ油、ビタミンＥ、メチルパラベン、プロピルパラベン、および４５ｓ生物活性ガラスを含む請求項１記載の組成物。
【請求項９１】
赤色７カルシウムレーキ、赤色６バリウムレーキ、赤色３３アルミニウムレーキ、ヒマシ油、カルナバワックス、キャンデリラワックス、オゾケライトワックス、微結晶ワックス、ホホバ油、ビタミンＥ、メチルパラベン、プロピルパラベン、４５ｓ生物活性ガラス、および５８ｓ生物活性ガラスを含む、請求項１記載の組成物。
【請求項９２】
生物活性ガラスは約５μ未満の平均粒度を有する、ホホバグレーズおよび生物活性ガラスから成る請求項１記載の組成物。
【請求項９３】
生物活性ガラスは約５μ未満の平均粒度を有する、グリセリン、Ｐｅｍｕｌｅｎ（登録商標）ＴＲ−２、および生物活性ガラスから成る請求項１記載の組成物。
【請求項９４】
ホホバグレーズ、褐色酸化鉄、二酸化チタン、タルクおよびゾル−ゲル−由来生物活性ガラスから成る請求項１記載の組成物。
【請求項９５】
鉱油、Ｐｏｌａｗａｘ（登録商標）、グリセリン、脱イオン水、ｊｕｇｕａｒ　Ｃ−１４Ｓ，Ｐｈｅｎｏｂａｃｔ、香料、クエン酸１水物粉末、およびゾル−ゲル−由生物活性ガラスから成る請求項２７記載の組成物。
【請求項９６】
例１０Ｃの処方に添加する請求項２７記載の組成物。
【請求項９７】
ｃｒｏｄａｆｏｓ　ＣＥＳ，ｖｏｌｐｏ　１０，ｖｏｌｐｏ　３、ホホバ油、シクロメチコーンＤ５、脱イオン水、ＮａＯＨ，ＴｉＯ２，赤色酸化鉄、５０／５０黒色／褐色酸化鉄ブレンド、プロピレングリコール、ｊａｇｕａｒ  １３Ｓ，ｇｅｒｍａｂｅｎ  １１、および４５ｓ生物活性ガラスから成る請求項２７記載の組成物。
【請求項９８】
ｃｒｏｄａｆｏｓ  ＣＥＳ，ｖｏｌｐｏ  １０，ｖｏｌｐｏ  ３、ホホバ油、シクロメチコーンＤ５、脱イオン水、ＮａＯＨ，ＴｉＯ２，赤色酸化鉄、５０／５０黒色／褐色酸化鉄ブレンド、プロピレングリコール、ｊａｇｕａｒ  １３Ｓ，ｇｅｒｍａｂｅｎ  １１および５８ｓ生物活性ガラスから成る請求項２７記載の組成物。
【請求項９９】
赤色７カルシウムレーキ、赤色６バリウムレーキ、赤色３３アルミニウムレーキ、ヒマシ油、カルナバワックス、キャンデリラワックス、オゾケライトワックス、微結晶ワックス、ホホバ油、ビタミンＥ、メチルパラベン、プロピルパラベン、および４５ｓ生物活性ガラスから成る処方物を製造する、請求項１４記載の方法。
【請求項１００】
赤色７カルシウムレーキ、赤色６バリウムレーキ、赤色３３アルミニウムレーキ、ヒマシ油、カルナバワックス、キャンデリラワックス、オゾケライトワックス、微結晶ワックス、ホホバ油、ビタミンＥ、メチルパラベン、プロピルパラベン、４５ｓ生物活性ガラス、および５８ｓ生物活性ガラスから成る組成物を製造する、請求項１４記載の方法。
【請求項１０１】
生物活性ガラスは約５μ未満の平均粒度を有する、ホホバグレーズおよび生物活性ガラスから成る組成物を製造する、請求項１４記載の方法。
【請求項１０２】
生物活性ガラスは約５μ未満の平均粒度を有する、グリセリン、Ｐｅｍｕｌｅｎ（登録商標）ＴＲ−２、および生物活性ガラスから成る組成物を製造する、請求項１４記載の方法。
【請求項１０３】
ホホバグレーズ、褐色酸化鉄、二酸化チタン、タルクおよびゾル−ゲル−由来生物活性ガラスから成る組成物を製造する、請求項１４記載の方法。
【請求項１０４】
鉱油、Ｐｏｌａｗａｘ（登録商標）、グリセリン、脱イオン水、ｊｕｇｕａｒ  Ｃ−１４Ｓ，Ｐｈｅｎｏｂａｃｔ、香料、クエン酸１水物粉末、およびゾル−ゲル−由来生物活性ガラスから成る組成物を製造する、請求項１４記載の方法。
【請求項１０５】
例１０Ｃの処方物を製造する、請求項３４記載の方法。
【請求項１０６】
ｃｒｏｄａｆｏｓ  ＣＥＳ，ｖｏｌｐｏ  １０，ｖｏｌｐｏ  ３、ホホバ油、シクロメチコーンＤ５、脱イオン水、ＮａＯＨ，ＴｉＯ２，赤色酸化鉄、５０／５０黒色／褐色酸化鉄ブレンド、プロピレングリコール、ｊａｇｕａｒ  １３Ｓ，ｇｅｒｍａｂｅｎ  １１、および４５ｓ生物活性ガラスから成る組成物を製造する、請求項３４記載の方法。
【請求項１０７】
ｃｒｏｄａｆｏｓ  ＣＥＳ，ｖｏｌｐｏ  １０，ｖｏｌｐｏ  ３、ホホバ油、シクロメチコーンＤ５、脱イオン水、ＮａＯＨ，ＴｉＯ２，赤色酸化鉄、５０／５０黒色／褐色酸化鉄ブレンド、プロピレングリコール、ｊａｇｕａｒ  １３Ｓ，ｇｅｒｍａｂｅｎ  １１および５８ｓ生物活性ガラスから成る組成物を製造する、請求項３４記載の方法。
【請求項１０８】
ホホバグレーズ、オクチルメトキシシンナメート、ベンゾフェノン−３および生物活性ガラスから成る請求項４７記載の組成物。
【請求項１０９】
ホホバグレーズ、オクチルメトキシシンナメート、ベンゾフェノン−３およびゾル−ゲル−由来生物活性ガラスから成る請求項４７記載の組成物。
【請求項１１０】
ホホバグレーズ、オクチルメトキシシンナメート、ベンゾフェノン−３および生物活性ガラスから成る請求項７３記載の組成物。
【請求項１１１】
ホホバグレーズ、オクチルメトキシシンナメート、ベンゾフェノン−３およびゾル−ゲル−由来生物活性ガラスから成る請求項７３記載の組成物。
【請求項１１２】
ｓｔａｎｄｏｐｏｌ  ＥＳ，ｃｒｏｓｕｌｔａｉｎｅ  Ｃ−５０，ｆｏａｍｉｄ  Ｃ、脱イオン水、ｊａｇｕａｒ  Ｃ−１４Ｓ，ｐｈｅｎｏｂａｃｔ、香料、クエン酸１水物粉末、および生物活性ガラスから成る請求項８６記載の組成物。
【請求項１１３】
例１２Ｄの処方物に添加する請求項８６記載の毛髪ケア組成物。
【請求項１１４】
ｓｔａｎｄｏｐｏｌ  ＥＳ，ｃｒｏｓｕｌｔａｉｎｅ  Ｃ−５０，ｆｏａｍｉｄ  Ｃ、脱イオン水、ｐｈｅｎｏｂａｃｔ、クエン酸１水物粉末、および生物活性ガラスから成る請求項８６記載の組成物。
【請求項１１５】
例１３Ｂの処方物に添加する請求項８６記載の毛髪ケア組成物。
【請求項１１６】
例１３Ｃの処方物に添加する請求項８６記載の毛髪ケア組成物。
【請求項１１７】
例１３Ｄの処方物に添加する請求項８６記載の毛髪ケア組成物。
【請求項１１８】
ｓｔｅｏｌ  ＣＳ−２３０，ｃｒｏｓｕｌｔａｉｎｅ  Ｃ−５０，ｆｏａｍｉｄ  Ｃ、脱イオン水、ｐｈｅｎｏｂａｃｔ、クエン酸１水物粉末、および生物活性ガラスから成る請求項８６記載の組成物。
【請求項１１９】
ｓｔｅｏｌ  ＣＳ−２３０，ｃｒｏｓｕｌｔａｉｎｅ  Ｃ−５０，ｆｏａｍｉｄ  Ｃ、脱イオン水、ｐｈｅｎｏｂａｃｔ、および生物活性ガラスから成る請求項８６記載の組成物。
【請求項１２０】
ホホバ油、Ｌｕｂｒａｊｅｌ（登録商標）ＭＳ、顔料および生物活性ガラスから成る請求項１記載の組成物。
【請求項１２１】
Ｐｏｌａｗａｘ、鉱油、グリセリン、ｊａｇｕａｒ  Ｃ−１４Ｓ、クエン酸、Ｐｈｅｎｏｂａｃｔ、着色剤、香料および生物活性ガラスから成る請求項１記載の組成物。
【請求項１２２】
スチック脱臭剤および組成物重量で約４〜約１０重量％の生物活性ガラスから成る請求項５９記載の組成物。
【請求項１２３】
脱臭クリームおよび組成物重量で約３０〜約６０重量％の生物活性ガラスから成る請求項５９記載の組成物。
【請求項１２４】
生物活性ガラスおよび栄養サプリメントから成る栄養サプリメント組成物。
【請求項１２５】
生物活性ガラスは溶融−由来である、請求項１２４記載の組成物。
【請求項１２６】
生物活性ガラスはゾル−ゲル−由来である、請求項１２４記載の組成物。
【請求項１２７】
生物活性ガラスは水性抽出物である、請求項１２４記載の組成物。
【請求項１２８】
栄養サプリメントは制酸剤、カルシウムサプリメント、およびシリカサプリメントから成る群から選択する、請求項１２４記載の組成物。
【請求項１２９】
さらに沃素を含む、請求項１２４記載の組成物。
【請求項１３０】
生物活性ガラスおよび栄養サプリメントを組合せることから成る栄養サプリメント組成物の製造方法。
【請求項１３１】
生物活性ガラスは溶融−由来である、請求項１３０記載の方法。
【請求項１３２】
生物活性ガラスはゾル−ゲル−由来である、請求項１３０記載の方法。
【請求項１３３】
生物活性ガラスは水性抽出物である、請求項１３０記載の方法。
【請求項１３４】
栄養サプリメントは制酸剤、カルシウムサプリメント、およびシリカサプリメントから成る群から選択する、請求項１３０記載の方法。
【発明の詳細な説明】
【０００１】
（関連出願）
本出願は同時係属米国仮出願６０／１９２，２６１号、２０００年３月２７日提出、同時係属米国仮出願６０／１９７，１６２号、２０００年４月１４日提出、同時係属米国出願０９／４５６，１９６号、１９９９年１２月７日提出および同時係属米国出願０９／４５６，１９５号、１９９９年１２月７日提出の優先権を請求する。
【０００２】
（発明の分野）
本発明は新規香粧品、ボディ用、洗浄剤、殺菌剤、機能性食品、および栄養サプリメント組成物に関する。これらの新規組成物は香粧品、洗浄剤、ボディ用製品、殺菌剤、機能性食品および栄養サプリメントに生物活性ガラスを含む。本発明はまたこのような組成物の製造方法および使用方法にも関する。
【０００３】
（発明の背景）
各種製品の安定性および安全性を確保するために保存料は必要かつ重要な成分である。多くの問題が公知保存料に存在する。多くのものは製品に望ましくない効果を与え、製品を使用するヒトまたは物の内外にある。多くの保存料は比較的高価であり、保存以外に有利な効果はない。多くは実際に保存料として有効ではない。多くのものは製品のテクスチャーまたは味を望ましくないものにする効果を有する。したがって、更に良い保存料が必要とされる。
【０００４】
製品自体に抗菌性、抗真菌性、抗ウイルス性、イオン遊離性、抗炎症性、および／またはｐＨ性を有する製品および／またはヒトまたは製品由来の物は安全かつ有利に使用できる成分のニーズは大きい。１つ以上のこれらの性質を表わすことができる成分が必要である。
【０００５】
（発明の概要）
出願人は生物活性ガラスを広範囲の化粧品に使用する場合、有利な保存効果を含む特に優れた性質を香粧品に付与することが分かった。出願人はまた生物活性ガラスが各種の標準的な家庭用洗剤や工業用洗浄剤を保存することも分かった。さらに、或る生物活性ガラス組成物はすぐれた洗浄性を供し、標準的家庭用洗剤および工業用洗浄剤の洗浄性を大いに増強する。さらに、或る生物活性ガラス組成物は機能性食品および栄養サプリメントとして、またはこのようなものに使用して有用であることを出願人は見出した。さらに、或る生物活性ガラス組成物はすぐれた食品用保存料として作用する。
【０００６】
さらに、本発明組成物はここに開示のように処方して、抗菌性、抗ウイルス性、抗真菌性、イオン遊離性、抗炎症性およびｐＨ効果を含む増強された有利な性質を有することができる。ここに使用する「生物活性ガラス」はその主要成分としてケイ素酸化物を有する無機ガラス物質である。整形治療のような関係のない目的に生物活性ガラスを使用することはラリー・エル・ヘンチおよびジョン・ケイ・ウエストの「生物活性ガラスの生物学的応用」、Ｌｉｆｅ  Ｃｈｅｍｉｓｔｒｙ  Ｒｅｐｏｒｔｓ，１９９６，第１３巻、１８７〜２４１頁に記載される。
【０００７】
（発明の詳細な記載）
生物活性ガラスはナトリウム・カルシウム・ホスホ・シリケートガラスである。ここで使用する用語「生物活性ガラス」とは、溶融−由来および／またはゾル−ゲル由来の微粒生物活性ガラスを意味する。さらに「生物活性ガラス」とは、溶融−由来および／またはゾル−ゲル由来の微粒生物活性ガラスの水性抽出物をも意味する。
【０００８】
本発明は好ましくは４０〜９６重量％の二酸化ケイ素（ＳｉＯ２）、約０〜３５重量％の酸化ナトリウム（Ｎａ２Ｏ）、約４〜４６重量％の酸化カルシウム（ＣａＯ）、および約１〜１５重量％のリン酸化物（Ｐ２Ｏ５）の生物活性ガラスを利用する。ここに引用するように、生物活性ガラスは一般にヒドロキシカーボネートアパタイト（ＨＣＡ）を形成しうる二酸化ケイ素をベースとする組成物である。一層好ましくは、該ガラスは４０〜６０重量％の二酸化ケイ素（ＳｉＯ２）、約５〜３０重量％の酸化ナトリウム（Ｎａ２Ｏ）、約１０〜３５重量％の酸化カルシウム（ＣａＯ）、および約１〜１２重量％のリン酸化物（Ｐ２Ｏ５）を含む。該酸化物は固溶体または混合酸化物として、または酸化物の混合物として存在しうる。
【０００９】
ＣＡＦ２，Ｂ２Ｏ３，Ａｌ２Ｏ３，ＭｇＯおよびＫ２Ｏはシリコン、ナトリウム、リンおよびカルシウム酸化物に加えて組成物に含むことができる。Ｂ２Ｏ３に対する好ましい範囲は０〜１０重量％である。Ｋ２Ｏに対する好ましい範囲は０〜８重量％である。ＭｇＯの好ましい範囲は０〜５重量％である。
【００１０】
一般に、生物活性ガラスは重量％で次の組成を有する。
成　分　　　　　　　 　重量％
ＳｉＯ２ 　　　　　　　４０〜９０
ＣａＯ　　　　　　　　 ４〜４５
Ｎａ２ Ｏ　　　　　　　　０〜３５
Ｐ２ Ｏ５　　　　　　　　　２〜１６
ＣａＦ２ 　　　　　　　　０〜２５
Ｂ２ Ｏ３　　　　　　　　　０〜４
Ｋ２ Ｏ　　　　　　　　　０〜８
ＭｇＯ　　　　　　　　 ０〜５
生物活性ガラスの一層好ましい組成（重量％）は次の通りである。
成　分　　　　　　　 　重量％
ＳｉＯ２ 　　　　　　　４０〜６８
ＣａＯ　　　　　　　　５〜３０
Ｎａ２ Ｏ　　　　　　 １０〜３５
Ｐ２ Ｏ５ 　　　　　　　　１〜１２
【００１１】
本発明はＡｇＮＯ３，ＣｕＯおよびＺｎＯのような金属イオン、または限定されないが銀、銅、および亜鉛イオンを含むその他の抗菌性塩からなる組成物を包含する。これらの金属は硝酸塩または酢酸塩の形でよい。これらの塩の好ましい範囲は０〜１５重量％である。本発明は金属イオンを含まない組成物も包含する。
【００１２】
もっとも好ましいガラスはＢｉｏｇｌａｓｓ（フロリダ大学の登録商標）で、これは約４５重量％の二酸化ケイ素、約２４．５重量％の酸化ナトリウム、約６重量％のリン酸化物、および約２４．５重量％の酸化カルシウムを含む組成を有する。別の好ましい物質はヒドロキシアパタイトである。いくつかの適用に対する別の好ましい物質は多孔性ゾル−ゲルガラスである。
【００１３】
非連結の微粒生物活性ガラスは本発明の多くの態様にとって好ましい。すなわち、該ガラスは粒子の溶融マトリックス、またはガラス繊維のメッシュまたはファブリック（織物、または不織布）よりむしろ小さい、不連続粒子形にある。ある条件下で本発明の不連続粒子は静電気または他の力のため相互に粘着する傾向があるが、それでも尚非連結性であると考えられる。好ましくは粒度は約９０μ未満、一層好ましくは約２０μ未満、尚一層好ましくは約５μ未満、もっとも好ましくは約２μ未満であり（ＳＥＭまたはレーザー光線分散技術により測定）、しかし異る用途には異る粒度を使用するのがよい。
【００１４】
生物活性ガラスの好ましい粒度範囲は現場および用途による。約１０００μ未満および約２μ以上の粒度も使用できる。このような小寸法の粒子は、望ましくない免疫応答を引き出さずに一般に本発明の利益を供する。
【００１５】
特定の理論に縛られるものではないが、ガラスから遊離するイオンの種類、そのイオンの量、遊離が起きる割合、周囲の環境のｐＨ、および生成する抗菌または抗炎症応答間に複雑な関係があると考えられる。この効果は生物活性ガラス自体の粒子に関し、およびガラス粒子由来の水性溶液においても認められる。従って、下記する組成物および使用において、微粒子および／または粒子由来の生物活性ガラス溶液は使用できる。
【００１６】
生物活性ガラスの大粒子は明きらかな抗菌性を有しない。しかし、小粒子の生物活性ガラスおよび高多孔性生物活性ガラスは明白な抗菌性を有する。生物活性ガラスは殺菌性を有し、例えばスタフィロコッカス・アウレウス、スタフィロコッカス・エピデルミディスおよび各種ストレプトコッカス属に対し有効である。これらの細菌は皮膚の内外に見出すことができる。これらの抗菌活性は水性環境で増強される。特定の作用機作に縛られるものではないが、この作用は特に、周囲環境のｐＨを増強する小粒子の非常に高い生物活性の結果であると考えられる。広い殺菌性と同時に組織生物相容性を維持する両方の性質は、微生物のコンタミに抵抗し、特に皮膚と接触する処方に適する小粒子の生物活性ガラスを含む各種処方を可能とする。
【００１７】
抗菌作用は粒度の低下につれて増加する。好ましい粒度は一部、期待される微生物挑戦および生物活性ガラスを含む処方の目的の純度による。例えば、平均２０μの生物活性ガラス粒子を有する処方は通常十分である。しかし、長期間持続する保存効果に対し、または高純度を維持するために、ＳＥＭまたはレーザー光線散乱技術により測定して平均５μ未満の粒子は使用できる。
【００１８】
高多孔性生物活性ガラスを小粒子の生物活性ガラスの代りに、またはそれに加えて使用する場合、粒度は約０〜５００μｍ、好ましくは約１０〜１５０μｍ、一層好ましくは約５０〜１００μｍである。該ガラスの多孔度は約０〜８５％、好ましくは約３０〜８０％、一層好ましくは約４０〜６０％である。多孔性生物活性ガラスは例えば、生物活性ガラス組成物中に浸出可能な物質を添加し、該ガラスから当該物質を浸出することにより製造できる。適当な浸出可能な物質は当業者には周知であり、例えば塩化ナトリウムおよび他の水溶性塩である。浸出可能な物質の粒度はざっと生成する気孔の大きさである。浸出可能な物質の相対量および寸法は多孔度を増加させる。また、ここに記載するように、多孔度は焼結法を使用し、および／または物質の気孔および相互の気孔を調整するためにガラスゲルの処理サイクルを調整することにより達成できる。
【００１９】
さらに、生物活性ガラスの水性抽出物由来の抗菌組成物および抗炎症組成物は生物活性ガラスを水性溶液に入れ、該ガラスを適当な期間、例えば１週以上にわたって溶解させ、次いで溶解ガラス粒子を濾過することにより形成できる。溶媒は蒸発して抗菌性を有する固体物質を得ることもできる。これらの組成物はこれに限定されないが、細菌、ウイルスおよびかびを含む微生物の排除、低減または予防に、例えば香粧品処方、洗浄剤処方、機能性食品および食品の保存料として有利な状況で使用できる。
【００２０】
ガラス組成物は溶融−由来ガラス、ゾル−ゲル由来ガラスおよび焼結ガラス粒子を供するいくつかの方法で製造できる。焼結粒子はゾル−ゲル由来、未反応、または予備反応の溶融−由来形でよい。
ガラス組成物は好ましくは溶融−由来である。溶融由来ガラスは一般に酸化物または炭酸塩の粒子を混合し、混合物を高温、一般には約１２５０°〜１４００℃で溶融し、均質化することにより製造できる。溶融ガラスはフリットにし、粉砕して小粒子物質を製造することができる。
【００２１】
それぞれの製造で、特にガラスは最後に局所適用できる物質の製造に使用する場合、試薬級ガラスを使用することが好ましい。生物活性ガラス粒子は上記米国特許５，２０４，１０６号明細書に記載した溶融−由来および粉砕方法を使用して製造できる。特定の粒度範囲を望む場合、篩別してこのような粒子を得ることができる。適当な無菌法では、ガラス粒子は超音波で清浄化し、シリンジに入れ、ガンマ線照射により無菌化できる。
【００２２】
本発明で使用する微粒生物活性物質は米国特許４，１５９，３５８号、４，２３４，９７２号、４，１０３，００２号、４，１８９，３２５号、１３４，１７１，５４４号、４，７７５，６４６号、４，８５７，０４６号および５，０７４，９１６号明細書に教示のような技術方法により製造できる。例えば、原料（例えば、ＳｉＯ２，ＣａＯ，Ｎａ２ＯおよびＰ２Ｏ５）をＮａｌｇｅｎｅ（登録商標）プラスチック容器で４時間ボールミルで混合する。次にミックスは白金ルツボ中１３５０℃で溶融し、２４時間均質化する。溶融ガラスは蒸留、脱イオン水に注ぎ入れ、ガラスフリットを生成する。別法では、リボンは作動ローラ上にガラスを注ぐことにより製造できる。フリットまたはリボンは例えば、いくつかの方法の１つにより粉砕できる。１つの方法ではフリットまたはリボンは乳鉢および乳棒で粉砕し、ＡＳＴＭ篩を通して所要粒度範囲を製造する。別法では、フリットまたはリボンはボール・ミル方法またはジェットミル方法を使用して粉砕できる。
【００２３】
生物活性ガラスは近−平衡（ｎｅａｒ−ｅｑｕｉｌｂｒｉｕｍ）乾燥を含む乾燥工程を使用して誘導できる。乾燥条件下の乾燥の代りに、またはそれに加えて近−平衡乾燥は最終組成物にＳｉＯ２供試量に非常に大きい平均気孔寸法を供する。さらに、近−平衡乾燥をすると、伝統的に製造したゾル−ゲル生物活性ガラス物質と比較して非常に高い再吸収割合を生ずる。例えば、１つのインビボ試験では、この方法で製造したゾル−ゲル物質は８週で５０％以上再吸収することを示した。比較できる先行４５５５溶融由来の生物活性ガラスは８週まで全く再吸収しない。実際に、５５％以上の二酸化ケイ素を含むガラスは生物活性がないことが示唆された。
【００２４】
ここで使用するように、近−平衡乾燥は大気孔構造、すなわち生物活性ガラスを与えるのに十分な気孔構造を有する生物活性ガラスを与えるのに十分な温度および圧力で相図の２相境界近くの状態下で乾燥する。例えば、近−平衡乾燥は通例の相図で説明されるように水（またはメタノール、エタノール、アセトン、液体（ＣＯ２、ベンゼンなど））に対しライン近くの条件下で乾燥することができる。平衡線および相対湿度（環境湿度から９８％）、近−平衡乾燥期間および乾燥を行なう温度から離れた乾燥条件の範囲に、設計した乾燥室の密封度を操作することにより、形成する生物活性ガラスの気孔寸法を劇的に変化できる。例えば、乾燥中乾燥室の密封度を高めると一般に相対湿度および孔の直径が増加するようになる。近−平衡乾燥温度は例えば、水の乾燥により変化することもできる。上記のような、水以外の液体を使用する場合、乾燥を一層速くし、またはゲルの気孔寸法範囲を大きな範囲に増加することができる。
【００２５】
ゾル−ゲル方法は生物活性ガラスの製造にゾル−ゲルの使用を含む任意の方法である。ゾル−ゲル由来ガラスは溶液の金属アルコキシドを混合し、次に加水分解、ゲル化、および低温（２００〜９００℃付近）燃焼してガラスを生成することにより無機網状構造を合成することにより一般に製造される。この方法で製造したゾル−ゲル由来ガラスは溶融由来ガラスまたは多孔性溶融由来ガラスと比較して、当初高い比表面積（ＳＳＡ）を有することが知られる。生成した物質はナノメーター寸法の多孔度を有し、５０〜４００ｍ２／ｇの範囲のＳＳＡを有する。ゾル−ゲル由来ガラスはナトリウムを含有しない。したがって、この物質が水性溶液と接触する場合、溶解機作は非ゾル−ゲル由来生物活性ガラスが関連するものとは異る。
【００２６】
一般に、ゾル−ゲル由来生物活性ガラスは重量％で次の組成を有する。
成　分　　　　　　　 　重量％
ＳｉＯ２ 　　　　　　　４９〜９０
ＣａＯ　　　　　　　　 ５〜４２
Ｐ２ Ｏ５ 　　　　　　　　 １〜１２
ゾル−ゲル由来生物活性ガラスの一層好ましい組成物は重量％で次の組成を含む。
成　分　　　　　　　 　重量％
ＳｉＯ２ 　　　　　　　４９〜７２
ＣａＯ　　　　　　　　 ５〜３５
Ｐ２ Ｏ５ 　　　　　　　　 ５〜９
【００２７】
ゾル−ゲル由来生物活性ガラスは高ＳＳＡ（すなわち、ガラス／溶液反応が起こりうる過量の表面積である）のため、水性溶液と容易に反応する。水性溶液に浸漬すると、ゾル−ゲル由来生物活性ガラスは反応を始め、可溶性シリカ、カルシウムおよびリン酸アニオンを遊離する。カルシウムおよびリン酸アニオンの濃度がＨＡｐの飽和限度まで増加すると、鉱物学的、ＨＡｐの豊富な層がゾル−ゲル由来生物活性ガラスを含む表面および周囲の表面（すなわち、ヒトの硬、軟組織）に形成する。
【００２８】
例えば、テトラエトキシシラン（ＴＥＯＳ）、リン酸トリエチル（ＴＥＰ）、および硝酸カルシウムを含む反応混合物はゾル−ゲル生物活性ガラスの製造に使用できる。カルシウム、チタン、ジルコニウム、マグネシウム、アルミニウム、鉄およびカリウムのアルコキシドも使用できる。他の適当な成分も当業者には明らかであろう。さらに、エアロゲルは使用できる。エアロゲルを使用する場合、近−平衡乾燥の代りに圧力を増加して大気孔寸法および一層高い再吸収能力を達成する。
【００２９】
近−平衡乾燥工程を使用するゾル−ゲル加工は最終製品に大きい気孔寸法を与え、高および低双方の二酸化ケイ素含量ゲルに対し非常に急速にＨＣＡを発達させる。実際に、これらの組成物はＳＢＦ（人工体液、ティー・コクボ等、Ｂｉｏｍｅｄ，Ｍａｔｅｒ．Ｒｅｓ．，２４，７２１〜３４，１９９０）または生理学的流体に暴露する場合、他のゲルより一層急速にＨＣＡを形成する。近−平衡乾燥技術は、大きな気孔直径を保有しながら一層高温に加熱できる一層均質なゲルも供する。この結果、最終製品のコントロール、例えば再吸収能力、均質性および物理構造を一層良くすることができる。例えば、近−平衡乾燥技術を使用せずに誘導したゾル−ゲル組成物は一層高量の二酸化ケイ素では適切な再吸収能力を供することはできない。対照的に、近−平衡乾燥技術は高量の二酸化ケイ素を含む場合でさえすぐれた再吸収能力を有するゲルを供する。このようなゾル−ゲルガラスはまた他のゾル−ゲルガラスより一層均質であり、カルシウムの分配が一層均一である。
【００３０】
この乾燥技術はすべての型のゾル−ゲル生物活性ガラスの製造に使用できる。例えば、この技術はフリット、リボン、モノリス、粉末、被覆、繊維、マット、織物および複合物の製造に使用できる。
【００３１】
フリットは任意の目的に対し約２μｍ〜１ｍｍまでのような非常に広範囲の粒度に粉砕できる。モノリスは各種移植材料のような複合形に成形できる。粉末は球形に、およびサブミクロンから数百μｍに製造できる。このような組成物は例えば、骨の修復および他の整形外科適用に、医薬品分配、歯の知覚過敏症の治療および歯構造のミネラル再強化、火傷の回復および傷害の回復に有用である。
【００３２】
特定の理論に縛られるものではないが、近−平衡乾燥工程は大きな気孔寸法を生成するゲルの気孔構造内部の毛管力を低減すると考えられる。ゲルはコロイド小粒子の網状構造である。網状構造は最終ガラス組成物の気孔および気孔流路になる空胞を含む。近−平衡乾燥工程の水分は網状構造の２粒子間の頸部における反応および頸部の強度およびゲル構造の「主鎖」を増強し、これにより乾燥構造の縮みを低減し、最終的に大気孔をゲルに形成すると信じられる。
【００３３】
他方、液体張力により気孔および流路の異る寸法間の圧力差は、
ΔＰ＝２ｒｃｏｓθ／γ
式中、ｒは液体張力であり、θは接触角であり、γは気孔および気孔流路の半径である。乾燥中、圧力差ΔＰは液体が蒸発する際網状構造を強く引き寄せ、気孔の崩壊およびゲルの縮少が可能になる。近−平衡乾燥は温度範囲の近平衡条件下で気孔構造の内側の液体を蒸発させることができると信じられる。これは高加熱条件下で流路および気孔の内側の液体蒸気圧を保持し、ゲル構造の縮少および崩壊に抵抗し、大気孔寸法を形成する。
【００３４】
生物活性ガラス、ゾル−ゲル由来の生物活性ガラスおよび／または生物活性ガラスの液体抽出物は各種香粧品、洗浄剤、機能性食品、栄養サプリメントおよび下記する他の製品に添加できる。
【００３５】
化粧品
概括
本発明は生物活性ガラスを含む新規香粧品を供する。現在の製造方法は製品が密封容器である場合一般に微生物汚染を調整するが、包装の開封後、細菌、菌類および／またはかびは香粧品を汚染する。しばしば、各種抗菌剤は香粧品に添加してこのプロセスを最少にする。しかし、これらの抗菌剤はしばしば香粧品使用者に皮膚刺激のような負の効果を与える。
【００３６】
本発明の目的は、現在入手できる香粧品と比較して皮膚刺激のような負の効果を創らずに微生物汚染に対する抵抗力を示す香粧品処方物を製造することである。
【００３７】
本発明の１つの態様では、生物活性ガラスは細菌、菌類および／またはかびによる汚染を含む微生物汚染を最少化するために香粧品処方物に含むことができる。香粧品組成物は生物活性ガラスの水性抽出物および／または生物活性ガラス粒子を含むことができる。
【００３８】
１つの態様では、香粧品処方は平均粒度１０μｍ未満を有する微粒生物活性ガラスを含む。別の態様では、平均粒度５μｍ未満、好ましくは２μｍ未満を有する微粒生物活性ガラスを使用する。好ましい香粧品製剤は特にクリーム、メーキャップ配合物、口紅、ローションおよび軟膏であり、生物活性ガラスの微生物殺滅効果はこれらの製剤に含まれる水分により一層増強されるからである。しかし、生物活性ガラスは実際に現在入手できる任意の香粧品に添加して汚染に対しその抵抗性を改良することができる。従って、香粧品は液体ベース、または別法では液体ベース以外でよい。香粧品処方物は例えば、クリーム、ローション、口紅、メーキャップ配合物およびチンキ剤を含むことができる。
【００３９】
１つの態様では、本発明は腐敗しやすい商品の保存料として使用するための生物活性ガラスを供する。腐敗しやすい商品は、例えば香粧品および／または医薬品製剤である。別の態様では、本発明はそれ自体生物活性ガラスを含有する保存料を供する。生物活性ガラスを含有する保存料は香粧品処方物に添加し、または含むことができる。
【００４０】
本発明による香粧品処方は、香粧品処方総重量の９５重量％まで、特に７０％まで、一層特に５０％、または４０％まで、尚一層好ましくは３０％までの生物活性ガラス量を含有できる。重量の７％または５％の上限はいくつかの処方に対し好ましいが、重量の３％はいくつかの処方で好ましい。下限は重量の０．０１％、特に０．１％であるが、重量の０．５％および１％は最低有効量として特に好ましい。
【００４１】
１つの態様では、香粧品処方はプロトン性溶媒を含む。別の態様では、香粧品処方は生物活性ガラスを含有し、これは重量基準％で次の範囲内の成分、４０〜６０％ＳｉＯ２、１０〜３０％ＣａＯ、１０〜３５％Ｎａ２Ｏ、２〜８％Ｐ２Ｏ５、０〜２５％ＣａＦ２、０〜１０％Ｂ２Ｏ３、０〜８％Ｋ２Ｏおよび０〜５％ＭｇＯを有する。
【００４２】
本発明による化粧品処方は、製剤に皮膚刺激細胞毒素やアレルゲン産生化学保存料を添加する必要がなく、生物活性ガラスを使用して十分に保存できる。さらに、付加的栄養補給効果は生物活性ガラスの抗菌および炎症抑止効果を通して達成できる。生物活性ガラスの抗炎症効果は刺激、かゆみ、赤みおよび発疹の減少を促進することにより皮膚ケア処方で特に有用になる。特別の場合、相乗効果を得るために標準保存料を使用して保存する製剤に本発明による保存料を添加することは望ましい。
【００４３】
生物活性ガラスは水性溶液（すなわち、ヒトの汗、湿気、体液）と反応して抗微生物／抗菌挙動、ＵＶ遮へい、抗炎症挙動、鉱物学的フィルム形成、および無機イオンの治療遊離のような生物活性効果を引き出す能力を有する。これらの効果は多くの香粧品に適用する上で有利であると考えられ、香粧品製品内に生物活性ガラスおよび／またはゾル−ゲル由来の生物活性ガラスを含むために使用できるいくつかの香粧品処方の例をここに記載する。
【００４４】
生物活性ガラスは毛髪、皮膚、爪および歯のようなタン白含有表面にヒドロキシカーボネート層（ＨＣＡ）を形成する。このＨＣＡ層は歯の知覚を減少し、爪を硬化／厚くし、皮膚を保護し、および毛髪テクスチャーを修正することができる。
生物活性ガラスおよび／またはゾル−ゲル由来の生物活性ガラスは可視およびＵＶ光線の吸収および散乱に有効で、軟焦点および日光遮へい適用に対しこれらの物質を魅力的なものにする。
【００４５】
１つの態様では、香粧品製品はゾル−ゲル由来の生物活性ガラスを含む。ゾル−ゲル由来の生物活性ガラスは非常に多孔性であるから可視およびＵＶ光線の散乱に有効である。可視光線の散乱は軟焦点香粧品製品には重要であり、これは実際に皮膚のしわがヒトの目に見にくくなるような仕方で皮膚から光線を散乱させる。さらに、ＵＶ光線の散乱剤は日光遮へい製品には重要である。こうしてゾル−ゲル由来生物活性ガラスは太陽スペクトルのＵＶＡおよびＵＶＢ区域のＵＶ光線の散乱に有効で、軟焦点効果を供する。
【００４６】
さらに、ゾル−ゲル由来生物活性ガラスは水性溶液と反応してカルシウム、リン酸アニオンおよび可溶性シリカの濃厚溶液を形成する。この溶液が飽和になると周囲のヒト組織に鉱物学的、ＨＡＰの豊富な層を形成できる。こうして、ゾル−ゲル由来生物活性ガラスは可視光線の散乱に有効であり、鉱物学的層の沈澱はさらに皮膚のしわを隠すことを助ける皮膚引き締め剤として作用できるので軟焦点製品に有効であることが期待される。
【００４７】
生物活性ガラスの他に、抗生物質も香粧品処方に添加できる。生物活性ガラスを含む香粧品製品に対する抗生物質の添加は局所適用を要する処方に特に有用である。
【００４８】
製造方法
本発明は生物活性ガラスを含む香粧品組成物の製造方法も供する。生物活性ガラスの抗微生物有効量は香粧品処方に添加または含まれる。「生物活性ガラスの抗微生物有効量」とは適当な粒度を有し、微生物汚染を有効に予防または抑制する生物活性ガラスの十分量を意味する。香粧品処方に含む生物活性ガラスの量および粒度は望む期間および純度および予期される微生物の挑戦により変化する。「生物活性ガラスの抗微生物有効量」とは、有効に微生物汚染を予防しまたは抑制する生物活性ガラスの水性抽出物の十分量も意味する。「抗微生物有効量」とは、有効に微生物汚染を予防しまたは抑制する微粒生物活性ガラスと生物活性ガラスの水性抽出物の組合せを意味する。
【００４９】
生物活性ガラスはゆっくり、中位の、適度の、または烈しく撹拌する一般的混合のような技術または技術の組合せを使用して香粧品処方に添加し、または含むことができる。十分な撹拌は相対的均質性を達成するために行なうべきである。好ましくは、混合および撹拌は過度の通気は避け、低剪断速度を有する。さらに、消泡剤は相互の凝集から粒子を維持するために使用できる。混和、分散、混合、組合せおよび／また乳化の他の方法または方法の組合せは使用できる。撹拌は例えば、標準混合装置により達成できる。一般の混合および混和は例えば、羽根車により達成できる。
【００５０】
意外なことに、多くの香粧品ベース処方に対し、生物活性ガラスは他の通常無機粉末、例えば二酸化チタンおよび酸化亜鉛粉末より一層容易に均質混合することが分かった。
【００５１】
生物活性ガラスは実際に任意の既知香粧品処方に添加し、または含むことができる。出願人は生物活性ガラスは任意の、これまで開発された香粧品処方に包含するのに適することは同様に予期する。１つの態様では、生物活性ガラスは微粒子でよい。別の態様では、生物活性ガラスは微粒生物活性ガラス由来の水性溶液でよい。尚別の態様では、生物活性ガラスは微粒生物活性ガラスと生物活性ガラス由来の水性溶液の組合せでよい。
【００５２】
出願人は意外なことに油と混合した生物活性ガラスはクリームを形成することを見出した。同様に、水と混合した生物活性ガラスは意外なことにクリームを形成する。油または水と生物活性ガラスとの混合に起因するクリームは香粧品処方に特に適する一貫した均質化テクスチャーを有する。
【００５３】
出願人は意外なことに生物活性ガラスと標準皮膚クリームとの組合せは生物活性ガラスを添加せずに適用した同じクリームと比較すると皮膚に快い非油性感覚と外観を与えることを見出した。任意の機作に縛られものではないが、生物活性ガラスは油および水およびタン白物質に対し親和性を有し、これは生物活性ガラスと油が滑かで、均質性クリーム稠度を形成することにより認められた予期されない効果と一致する。こうして生物活性ガラスは油性／脂肪性皮膚に対する有効な治療剤として適する。
【００５４】
生物活性ガラスおよびゾル−ゲル由来生物活性ガラスは香粧品製品を改良する多くの望ましい特徴を示す。しかし、生物活性ガラスおよび／またはゾル−ゲル由来生物活性ガラスは未反応（受動的）のまま残こり、その間包装され、次にヒトの身体上に適用する場合反応性（活性）になるように香粧品製品の処方化に困難がある。
【００５５】
生物活性ガラスおよびゾル−ゲル由来生物活性ガラスは水性溶液と反応するが、無水液体に浸漬する場合不活性である。こうして生物活性ガラスおよび／またはゾル−ゲル由来生物活性ガラスは液、ペーストまたは無水であるが、水溶性（または水透過性）のクリームに処方化できる。この場合、生物活性ガラスは無水液、ペースト、ゲルまたはクリームに浸漬する間未反応のまま残るが、ヒトの身体に適用すると活性となり、汗、湿気、および／または水分含有体液と反応できる。
【００５６】
１つの態様では、香粧品製品用生物活性ガラスおよび／またはゾル−ゲル由来生物活性ガラスは２つの別の容器（すなわち、エポキシ化合物に対し使用する分配系と同様の）を含有する分配系で使用される。生物活性ガラスおよび／またはゾル−ゲル由来生物活性ガラスは１つの容器内で無水液、ペースト、クリームまたはゲルに処方化することができ、一方水性液、ペースト、クリームまたはゲルは第２容器内に入れることができる。
【００５７】
別の態様では、生物活性ガラスおよび／またはゾル−ゲル由来生物活性ガラスは蒸発し、または身体に適用後皮膚に代謝される無水液、ペースト、クリームまたはゲルと混合される。無水液、ペースト、クリームまたはゲルは香粧品が包装されている間生物活性ガラスを保護し、しかし身体に適用されると消失し、こうして生物活性ガラスは汗、湿気、および／または他の水分含有体液と反応できる。
【００５８】
別の態様では、生物活性ガラスおよび／またはゾル−ゲル由来生物活性ガラスと関連する望ましい特徴は、生物活性ガラス由来の水性抽出物を使用することにより達成される。生物活性ガラスおよび／またはゾル−ゲル由来生物活性ガラスは溶液がカルシウム、リン酸アニオンおよび可溶性シリカで飽和するまで水性溶液と反応させることができる。次にこの溶液は濾過し、適当なｐＨに緩衝し、次に香粧品処方に適用して本発明による香粧品製品を開発できる。この態様では、処方は反応に利用できる生物活性ガラスまたはゾル−ゲル由来生物活性ガラスは固体ではないので、水性香粧品成分を含有できる。
【００５９】
多くの香粧品適用では、製品は５〜８のｐＨ値を有することが望まれる。水性サスペンジョンの生物活性ガラスによるこのｐＨレベルの維持は、しかしガラスが溶液と連続的に反応し、ｐＨ値を上げるので困難である。出願人は１％の少量のクエン酸が水性サスペンジョンで長期間にわたって一層中性のｐＨ値の方向に生物活性ガラスを有効に緩衝できることを見出した。これは塩酸をベースとする緩衝液のような標準的緩衝液を同じサスペンジョンに添加する効果と対比的である。これは適当な期間ｐＨレベルを維持しない。こうしてクエン酸は生物活性ガラスを有する水をベースとする溶液を緩衝する１つの好ましい方法である。生物活性ガラスは処方が適当に緩衝してｐＨが中性付近に確実に留まる場合、および生物活性ガラスは疎水性物質で被覆して処方中のガラスの反応を抑止する場合、水含有処方で特に有用である。
【００６０】
別の態様では、生物活性ガラスおよび／またはゾル−ゲル由来生物活性ガラスは他の成分、例えば色素および香料を添加して乾燥形に処方し、例えば皮膚、毛髪または爪適用に対し１回使用香粧品製品用小包または貯蔵品に包装できる。乾燥形は粉末でよい。
【００６１】
表１にリストした次の原料は生物活性ガラスと混合して安定な組成物を製造した。
2004500404.tif 000002
【００６２】
表２にリストした次の原料はゾル−ゲル由来生物活性ガラスと組合せた。
2004500404.tif 000003
【００６３】
ゾル−ゲル由来生物活性ガラスを含む生物活性ガラスは無水香粧品成分と組合せて安定な非刺激性香粧品処方を創ることができる。典型的無水成分のリストは表３に示す。
2004500404.tif 000004
【００６４】
ゾル−ゲル由来の生物活性ガラスを含む生物活性ガラスは無水および含水香粧成分と組合せて安定で刺激性のない香粧品処方を創ることができる。無水および含水香粧品成分は２区画分配系に使用できる。代表的無水および含水香粧品成分リストは表４に示す。
2004500404.tif 000005
2004500404.tif 000006
【００６５】
ゾル−ゲル由来生物活性ガラスを含む生物活性ガラスは皮膚に適用後短時間で蒸発する香粧品成分と合せることもできる。このような組合せは安定で、非−刺激性香粧品処方を創るために使用できる。皮膚に適用後蒸発できる代表的香粧品成分の例は表５に示す。
2004500404.tif 000007
【００６６】
本発明の１特徴は生物活性ガラスの使用に適する香粧品およびボディ用製品および処方物の次の非限定例を引用して一層明確に理解されるであろう。
香粧品およびボディ用健康製品の種類
本発明は各種の香粧品およびボディ用製品の新規処方物を製造する。これらは限定されないが、染色および日光ケア製品、おしめ、乳児用手ふきおよび手ふき、ベビーパウダーおよびボディーパウダーおよびおしめの発疹製品、看護用パッド（ブラジャーに対する）、メーキャップ製品、タンポン、マキシパッド（ｍａｘｉｐａｄ）およびパンチライナー（ｐａｎｔｉｌｉｎｅｒ）製品、座瘡の予防および治療製品、洗顔剤、調色および剥離製品、メーキャップ除去製品、顔の保湿剤、抗しわ剤、目のトリートメント、ハンドローションおよびボディローション製品、フットケア製品、かゆみ止め製品、抗菌、消毒、抗生物質および応急処置剤、棒、液体およびゲル形の浴用およびシャワー用石鹸および浴用塩製品、シャンプーおよび毛髪ほぐし製品、毛髪ムース、毛髪ゲルおよび毛髪噴霧製品、粉末、クリーム、ロールオン、エアゾルおよびスチック形の抗発汗剤および脱臭剤、シェービング後ローションおよびシェービング用ローション製品、クリーム、ゲル、粉末および石鹸形のシェービング用製品、クリーム、ワックスおよび粉末形の脱毛、抜毛および毛髪漂白製品、ねり歯磨き製品、口内洗浄および口すすぎ製品、かつらおよび飾り毛用粉末製品、肩パッド、そばかす被覆製品、点眼製品およびコンタクトレンズ処理製品を含む。
【００６７】
着色製品
本発明はブランド名バン・ド・ソレイル、バナナボート、コッパートーン、フルート・オブ・ジアース、グッド・センス、ハワイアントロピック、キス・マイファイス、ニュートロジーナとして市販される製品および最高級および一般的製造者が製造する製品のような各種品目の着色製品に生物活性ガラスを添加する新規処方を含む。
一般に、着色製品は活性成分デヒドロキシアセトン（ＤＨＡ）を含む。
【００６８】
着色製品の共通処方は水、グリセリン、ジヒドロキシアセトン、オクチルパルミテート、ブチレングリコール、セチルアルコール、ＰＰＧ−２０メチルグルコースエーテルジステアレート、ステアリルアルコール、アクリレート／Ｃ１０−３０アルキルアクリレートクロスポリマー、アロエゲル、カカオ脂、ＤＥＡ−セチルホスフェート、ジメチコーン、ジナトリウムＥＤＴＡ、ＤＭＤＭヒダントイン、ユーカリ油、香料、グリセリルステアレート、ヨードプロピルブチルカルバメート、ラノリン、ケイ酸アルミニウムマグネシウム、ＰＥＧ−１００ステアレート、ポリソルベート６０、ナトリウムメタバイサルファイト、ソルビン酸、ステアレス−２０、キサンタンガムおよび各種ビタミン、ミネラル、果実および植物抽出物を含む。
【００６９】
着色製品は１つ以上の次の物質、すなわちイソセテス−３アセテート、ソルビタンイソステアレート、ポリクオータミウム−３７、グリセレス−７トリアセテート、ジカプリレート／カプレート、ＰＰＧ−１トリデセス−６、ビスアボロール、ＰＥＧ−２０メチルグルコースセスキステアレート、カプリリック／カプリックトリグリセリド、不鹸化物、ベンジルアルコール、ブチルパラベン、Ｃ１２−１５アルコールベンゾエート、カプリリック／カプリック、トリグリセリド、カラメル、カルバメート／アクリレートコポリマー、カルボマー、セテアレス−２０、セテス−１０、セテス−２、セチルヒドロキシエチルセルロース、クエン酸、ジアゾリジニルウレア、ジメチルイソソルバイド、ジプロピレングリコール、ジナトリウムＥＤＴＡ、乳化性ワックス、エトキシジグリコール、エチルパラベン、イミダゾリジニルウレア、イソセテス−２０、イソプロピルパルミテート、メラニン、メチルグルセス−２０、メチルパラベン、オクチルメトキシシンナメート、パンテノール、ＰＥＧ−７グリセリルココエート、ワセリン、フェノキシエタノール、ポリジメチルシロキサン−ＰＰＧ−エーテル／ＩＰＤＩコポリマー、ポリソルベート２０、ポリソルベート８０、プロピレングリコール、プロピルパラベン、シリコーン、ナトリウムＰＣＡ、ソルビトール、ステアレス−２、ステアリン酸、トコフェリルアセテート、トリエタノールアミネルおよびウイッチヘーゼルを含むこともできる。
【００７０】
本発明は上記リストした任意成分の組合せに生物活性ガラスを添加することにより着色製品の新規処方を供する。さらに、生物活性ガラス自体は顔料として機能しうる。また、生物活性ガラスは限定されないが鉄、コバルトおよび／またはマンガを含む各種金属とドーピングして望む染色を生成できる。
【００７１】
日光ケア製品
本発明はブランド名Ａ−ＦＩＬ，Ａｌｂａ　Ｂｏｔａｎｉｃａ，Ａｌｏｅ　Ｖｅｒａ８０，Ａｍｂｒｅｌｌｅ，Ｂａｉｎ　ｄｅ　Ｓｏｌｅｉｌ，Ｂａｎａｎａ　Ｂｏａｔ，Ｂｉｏｓｕｎ，Ｂｌｕｅ　Ｌｉｚａｒｄ，Ｂｒｉｔｅ−Ｌｉｆｅ，Ｂｕｌｌ　Ｆｒｏｇ，Ｃｏｐｐｅｒｔｏｎｅ，Ｄｕｒａ　Ｓｃｒｅｅｎ，Ｅｌｔａ　Ｂｌｏｃｋ，Ｅｓｏｔｅｒｉｃａ，Ｆｌｅｎｔｓ，Ｆｒｕｉｔ　ｏｆ　ｔｈｅ　Ｅａｒｔｈ，Ｇｏｏｄ　Ｓｅｎｓｅ，Ｈａｗａｉｉａｎ　Ｔｒｏｐｉｃ，Ｊａｓｏｎ，Ｋｉｓｓ　Ｍｙ　Ｆａｃｅ，Ｌ．Ａ．Ｔａｎ，Ｌｉｌｙ　ｏｆ　ｔｈｅ　Ｄｅｓｅｒｔ，Ｎａｔｉｖｅ　Ｔａｎ，Ｎａｔｕｒｅ’ｓ　Ｇａｔｅ，Ｎｅｕｔｒｏｇｅｎａ，Ｎｏ　Ａｄ，Ｏｆｆ，Ｐａｎａｍａ　Ｊａｃｋ，Ｐｒｅ　Ｓｕｎ，Ｓｅａ　＆　Ｓｋｉ，Ｓｈａｄｅ　Ｓｕｎｂｌｏｃｋ，Ｓｕｎｂｒｅｌｌａｓ，Ｓｕｎ　Ｓｐｌａｓｈ，Ｔｉ−Ｓｃｒｅｅｎ，Ｗａｔｅｒ　Ｂａｂｉｅｓとして市販される製品、および最高級および一般的製造者が製造する製品のような各種ブランドのサンケア製品に生物活性ガラスを添加する新規処方を含む。
【００７２】
生物活性ガラスを含む着色およびサンケア処方物は生物活性ガラスを含まない処方物と比較して増強されたＵＶ保護を供する。どんな特別の理論によっても縛られないが、微粒生物活性ガラスの高および不規則表面積はこの増強されたＵＶ保護に寄与すると考えられる。さらに、反応性ガラス表面は付加的ＵＶ保護を与えるためにＨＣＡ保護層を供する。さらに、これらの処方物は遊離する可溶性カルシウムによる日光アレルギー効果を緩和することを助ける。
【００７３】
生物活性ガラスは３８０ｎｍ以下の波長のＵＶ光線を吸収し、２８０ｎｍ以下の波長を有するＵＶ光線に対し磨いた５ｍｍガラスブランクを通す透過率０％が観察された。こうして、生物活性ガラスは太陽光線のＵＶＢ（２７０〜３２０ｎｍ）区域に対しすぐれた日焼け止め剤およびＵＶＡ（３２０〜４００ｎｍ）区域に対し適度に良好な日焼け止め剤であるべきである。
【００７４】
生物活性ガラスの日焼け止め有効性はヒトの皮膚に適用後時間の関数として改良される。生物活性ガラスはヒトの汗と反応してガラスの表面に多孔性、鉱物学的ＨＡＰ−豊富な沈澱を形成することが期待される。この多孔性の表面沈澱は太陽光線を散乱させることが期待され、こうして反応時間と共に生物活性ガラスの日焼け止め特性を改良する。こうして、生物活性ガラスは皮膚からの発汗がＨＰＡ−豊富な表面沈澱と関連して散乱特性を活性化する時間にわたって改良する、活性の日焼け止め成分と考えられる。
【００７５】
トリス−緩衝、塩水、溶液と反応してＨＡＰの表面沈澱を形成する厚さ５ｍｍの磨いた生物活性ガラス試料を通す透過率を試験した。予め反応した生物活性ガラスを通した透過率は２８０〜６００ｎｍの任意の波長で未反応生物活性ガラスを通したものより少ないことが分かった。こうして、予備反応により形成したＨＡＰ層はＵＶおよび可視光線を散乱すると思われ、生物活性ガラスはヒトの皮膚の汗と反応を始めるとＵＶ照射の遮断に一層有効であるべきである。
【００７６】
一般に、サンケア製品は活性成分、アボベンゾン、酸化チタン、酸化亜鉛、オキシベンゾン、またはスリソベンゾンを含む。
サンケア製品の共通処方はオクチルメトキシシンナメート、オクチルサリチレート、ホモサルエート、ベンザルコニウムクロリド、水、ＰＶＰ／エイコセンコポリマー、ジオクチルホスフェート、トリエタノールアミン、セチルアルコール、レチニルパルミテート、カラス麦抽出物、トコフェロールアセテート、パンテノール、ジメチコーン、トリメチルシロキシシリケート、ビスアボロ、ＥＤＴＡジナトリウム、ソルビタンイソステアレート、ブチレングリコール、フェノキシエタノール、カルボマー、キサンタンガムおよびジアソリジニルウレアを含む。
【００７７】
サンケア製品は１つ以上の次のものを含むこともできる。ＰＶＰ／ヘキサデセン、ミリスチン酸イソプロピル、サリチル酸、２−エチルヘキシル、アクリレート／Ｃ１０−３０アルキルアクリレートクロスポリマー、アクリレート／オクチルアクリルアミドコポリマー、アロエ抽出物、ステアリン酸アルミニウム、アボベンゾン（パルソル１７８９）、硫酸バリウム、ベンゾフェノン−３、ベンジルアルコール、ブチルカルバメート、Ｃ１２−１５アルキルベンゾエート、セテアレス−２０、セテアリールアルコール、セチルパルミテート、シクロメチコーン、ＤＥＡ−セチルホスフェート、ＤＭＤＭヒダントイン、エデト酸ジナトリウム、エラスチン、乳化ワックスＮＦ、エチルヘキシルＰ−メトキシシンナメート、フルオロアルキルジメチコーン、香料、グリセリルモノステアレート−４５０、グリセリルステアレートＳＥ、加水分解コラーゲン、ヒドロキシプロピルセルロース、イミダゾリジニルウレア、ヨードプロピニル、イソヘキサデセン、パルミチン酸イソプロピル（パーム油）、ホホバ油、メンチルアンスラニレート、メチルパラベン、鉱油、オクタデセン／ＭＡコポリマー、オクトクリレン、オクチルパルミテート、オクチルドデシルネオペンタノエート、オキシベンゾン、パラフィン、ワセリン、フェネチルアルコール、フェニルベンズイミダゾールスルホン酸、ポリグリセリル−３ジステアレート、ＰＰＧ−１２／ＳＭＤＩコポリマー、ＰＰＧ−１５ステアリルエーテル、プロピレングリコール、プロピルパラベン、ＰＶＰ／ヘキサデセン、ＳＤアルコール４０、シアバター、シリカ、ソルビタンセスキオレエート、ソルビトール、ステアリン酸、ステアオキシトリメチルシラン、ステアリルアルコール、二酸化チタン、トリベヘニン、トリフルオロメチルＣ１−４および酸化亜鉛。
【００７８】
本発明は生物活性ガラスを上記任意成分の組合せに添加することによりサンケア製品の新規処方を供する。下記例１〜３はゾル−ゲル由来生物活性ガラスを含む生物活性ガラスを添加したサンケア処方の代表的態様を供する。
例１：生物活性ガラスを有する日焼け止めゲルの組成
成　分　　　　　　　　　　　　　　　　　　　　　　　　　　　重量％
ホホバグレーズ　　　　　　　　　　　　　　　　　　　　　　　８２．５
オクチルメトキシシンナメート                                  ７．５
ベンゾフェノン                                                ５．０
ショットガラス生物活性ガラス（＜４μ平均粒度）５．０
１００．０
例２：ゾル−ゲル由来生物活性ガラスを有する日焼け止めゲルの組成
成　分　　　　　　　　　　　　　　　　　　　　　　　　　　　重量％
ホホバグレーズ　　　　　　　　　　　　　　　　　　　　　　　８２．５
オクチルメトキシシンナメート                                  ７．５
ベンゾフェノン−３                                            ５．０
ショットガラスゾル−ゲル由来生物活性ガラス５．０
１００．０
例３：日焼け止めゲルの組成
処方ＣＰＤ３−３２，Ｊ，Ｋ，Ｎ，Ｏ，Ｒ，Ｓ
日焼け止めベース処方
成　分　　　　　　　　　　　　　　　　　　　　％
ホホバグレーズ　　　　　　　　　　　　　　　８７．５
オクチルメトキシシンナメート                  ７．５
ベンゾフェノン３５．０
１００．０
試験処方
ＣＰＤ３−３２Ｊ＝日焼け止めベース処方（上記）ＳＰＦ〜１５
ＣＰＤ３−３２Ｋ＝ホホバグレーズＳＰＦ〜０
ＣＰＤ３−３２Ｎ＝日焼け止めベース処方＋２％４５ｓ，ｄ５０＝１．６μ
ＣＰＤ３−３２Ｏ＝日焼け止めベース処方＋２％５８ｓ，ｄ５０＝０．７７μ
ＣＰＤ３−３２Ｒ＝日焼け止めベース処方＋４％４５ｓ，ｄ５０＝１．６μ
ＣＰＤ３−３２Ｓ＝日焼け止めベース処方＋４％５８ｓ，ｄ５０＝０．７７μ
【００７９】
おしめ、ベビー用手ふきおよび手ふき、ベビーパウダーおよびボディパウダー製品およびおしめ発疹製品
本発明はブランド名Ａ＆Ｄ，Ａｌｏｅ  Ｖｅｓｔａ，Ａｌｐｈａｒｍａ，Ａｍｍｅｎｓ，Ａｖｅｅｎｏ，Ｂａｂｙ  Ｍａｇｉｃ，Ｂａｌｍａｘ，Ｂｏｒｏｆａｘ，Ｂｏｕｄｒｅａｕｘ’ｓ，Ｂｒｉｔｅ−Ｌｉｆｅ，Ｂｕｒｔ’ｓ  Ｂｅｅｓ，Ｃａｌｄｅｓｅｎｅ，Ｃａｌｍｏｓｅｐｔｉｎｅ，Ｃａｓｈｍｅｒｅ  Ｂｏｕｑｕｅｔ，Ｃｅｔａｐｈｉｌ，Ｃｈｕｂｂｓ，Ｃｌｉｎｉｐａｄ，Ｃｏｍｆｏｒｔ  Ｂａｔｈ，Ｃｏｔｔｏｎｅｌｌｅ，Ｄｅｓｉｔｉｎ，Ｄｉａｐａｒｅｎｅ，Ｄｉａｐｅｒ  Ｄｏｕｂｌｅｒ，Ｄｉａｐｅｒ  Ｇｕａｒｄ，Ｄｒ．Ｓｍｉｔｈ’ｓ，Ｄｒｙｐｅｒｓ，Ｆｌａｎｄｅｒ’ｓ，Ｆｏｕｇｅｒａ，Ｇｅｒｂｅｒ，Ｇｏｌｄ  Ｂｏｎｄ，Ｇｏｏｄｎｉｔｅｓ，Ｇｏｏｄ  Ｓｅｎｓｅ，Ｇ＆Ｗ，Ｈｕｇｇｉｅｓ，Ｊｏｈｎｓｏｎ  ＆  Ｊｏｈｎｓｏｎ，Ｋｉｄ  Ｆｒｅｓｈ，Ｋｌｅｅｎｅｘ，Ｌｉｔｔｌｅ  Ｂｏｔｔｏｍｓ，Ｌｉｔｔｌｅ  Ｆｏｒｅｓｔ，Ｌｕｖｓ，Ｍｅｘｓａｎａ，Ｎａｔｕｒｅ  Ｂｏｙ  ＆  Ｇｉｒｌ，Ｎｅｕｔｒｏｇｅｎａ，Ｎｉｃｅ‘Ｎ  Ｃｌｅａｎ，Ｐａｌａｄｉｎ，Ｐａｍｐｅｒｓ，Ｐｈｉｓｏｄｅｒｍ，Ｐｌａｙｔｅｘ，Ｐｕｌｌ  Ｕｐｓ，Ｐｕｒｅ‘Ｎ  Ｇｅｎｔｌｅ，Ｐｕｒｅｌｌ，Ｓｈｏｗｅｒ  ｔｏ  Ｓｈｏｗｅｒ，Ｓｍｉｌｅｓ，Ｓｕａｖｅ，Ｓｗｅｅｎ，Ｔｏｍ’ｓ  ｏｆ  Ｍａｉｎｅ，Ｔｕｓｈｉｅｓ，Ｖａｓｅｌｉｎｅ，Ｗａｓｈ−Ｕｐ，Ｗｅｌｅｄａ，Ｗｅｔ  Ｏｎｅｓとして市販される製品、および最高級および一般的製造者が製造する製品のようなおしめ、ベビー用手ふきおよび手ふきベビーパウダーおよびボディパウダー製品の各種品目に生物活性ガラスを添加する新規処方を含む。
【００８０】
生物活性ガラスの抗炎症、抗菌および保湿性はおしめ、ベビーパウダー、ボディパウダー、おしめ発疹製品および湿ったタオルの炎症、発疹および臭いを低減するために特に有用である。さらに、生物活性ガラスは尿の酸度を低減でき、尿の水性性質により活性化される。
一般に、おしめ製品は水分を吸収する合成または天然吸収物質、漏れを防止する合成物質、および香料および／または抗菌剤を含む。
【００８１】
本発明は生物活性ガラスを上記任意成分の組合せに添加することによりおしめ製品の新規処方を供する。さらに、生物活性ガラスはいわゆる成人品目おしめ製品に使用できる。
【００８２】
一般にベビー用手ふきまたは手ふきは活性成分ジナトリウムココアンホジアセテート、保護剤シリコン油、鉱油、脂肪酸、脂肪アルコール、または植物油など、およびアロエゲル、プロピレングリコールおよびＰＥＧ−６０のような保湿剤を含む。
乳児用手ふきおよび手ふき製品の共通処方は水、プロピレングリコール、ＰＥＧ−７５ラノリン、ココアンホジアセテート、ポリソルベート２０、メチルパラベン、２−ブロモ−２−ニトロパン−１，３−ジオール、プロピルパラベン、アロエベラゲルおよび香料を含む。
【００８３】
乳児用手ふきおよび手ふき製品は１つ以上の次のものを含むこともできる。ココアミドプロピルＰＧ−ジモニウムクロリドホスフェート、アクリレート／Ｃ１０〜３０アルキルアクリレートクロスポリマー、アセトアミドプロピルトリモニウムクロリド、アクリレートコポリマー、アルキルポリグリコシド、アミノメチルプロパノール、ベンズアルコニウムクロリド、安息香酸、Ｃ１２−１５アルキルベンゾエート、クエン酸、ジアゾリジニルウレア、ジメチコーン、ジナトリウムＥＤＴＡ、リン酸ジナトリウム、ＤＭＤＨヒダントイン、エチルアルコール、グリセリン、イソプロピルミリステート、リンゴ酸、１１キシノール９、オレス−２０、ホスフェート、ホスホリピドＣＤＭ、ホスホリピドＥＦＡ、ポリアミノプロピルバイグアニド、ポタシウムラウレスホスフェート、ソルビン酸カリウム、レチニルパルミテート、ＳＤアルコール４０、シメチコーン、安息香酸ナトリウム、ナトリウム１１キシノール−９、ソルビン酸、４ナトリウムＥＤＴＡ、トコフェロールアセテートおよび各種ビタミンおよび植物抽出物。
【００８４】
本発明は生物活性ガラスを上記任意成分の組合せに添加することにより乳児用手ふきおよび手ふき製品の新規処方を供する。
一般に、ベビーパウダーおよびボディパウダー製品はタルクおよび／またはコーン澱粉、酸化亜鉛および香料を含む。
ベビーパウダーおよびボディパウダー製品の共通処方はコーン澱粉またはタルク、重炭酸ナトリウム、アロエベラゲル、リン酸３カルシウムおよび香料を含む。
【００８５】
ベビーパウダーおよびボディパウダー製品は１つ以上の次のものも含むことができる。リン酸３カルシウム、ベントナイト（天然粘土）、カオリン粘土、多糖類、精製米糠粉、シリカ、酸化亜鉛、ヒドロキシキノリン、８−ヒドロキシキノリンサルフェート、イソステアリン酸、ＰＰＧ−２０、メチルグルコースエーテル、炭酸マグネシウム、ステアリン酸亜鉛、樟脳、ベンズアルコニウムクロリドおよび各種果実、ミネラル、ビタミンおよびハーブ抽出物。
【００８６】
本発明は上記任意成分の組合せに生物活性ガラスを添加することによりベビーパウダーおよびボディパウダー製品の新規処方を供する。
一般におしめ発疹製品は酸化亜鉛および魚またはタラ肝油を含む。
おしめ発疹製品の共通処方はワセリン、ラノリン、タラ肝油、香料、鉱油、微結晶ワックスおよびパラフィンを含む。
【００８７】
おしめ発疹製品は１つ以上の次のものを含むこともできる。バルサム、安息香酸、水、ビスマスサブナイトレート、硼砂、シリコーン、メチルパラベン、タルク、トリヒドロキシステアリン、ビスアボロール、ポリパラベンおよびイミダゾリジニルウレア。
【００８８】
本発明は上記任意成分の組合せに生物活性ガラスを添加することによりおしめ発疹製品の新規処方を供する。
生物活性ガラスの抗菌、抗炎症および吸湿性は炎症、発疹および臭いを低減するためにおしめ発疹製品に特に有用である。
【００８９】
授乳パッド（ブラジャー用）
生物活性ガラスはＣｕｒｉｔｙ，Ｈｅａｌｔｈｆｌｏｗ，Ｇｅｒｂｅｒ，Ｊｏｈｎｓｏｎ’ｓ，Ｅｖｅｎｆｌｏ，Ｏｍｒｏｎのブランド名で市販される授乳パッドおよび最高級および総合的製造者が製造する製品を含む授乳パッド（ブラジャ用）の各種品目に添加することもできる。
生物活性ガラスの抗菌および抗炎症効果は炎症、発疹および臭いを低減するために授乳パッド（ブラジャー）に特に有用である。
【００９０】
メーキャップ製品
本発明はアルメイ、アルファ・ハイドロックス、アロマセラピ、バリ、ブラック・ラジアンス、ブリステックス、ボニー・ベル、ブライト・ライフ、バーツ・ビーズ、カブードルス、カーメックス、チャペット、チャップスティック、チャッターム、クリニィパッド、コティ、カバーガール、キュリティ、キュテックス、ダーマトーン、ガーデン・ボタニカ、ヘルペシン−エル、ジェーン、ジェイスン、キッドケア、ロレアル、リキマット、ラウド・ミュージック、エム・プロフェショナル、マックスファクター、メイビライン、ミラニイ、ナチュラルアイス、ニュートロジーナ、ノックスジーマ、オキュソフト、オイル・オブ・オレイ、オーリィ、ピータスンズ、パーパス、レブロン、サリーハンセン、サベックス、ソフトリップス、ステイ・フリー、タンパックス、ユナイテッド・カラーズ・オブ・ベネトン・コスメティックス、アルティメーツ、バセリン、ビラクティン、ウッド“ン”ワイルド、ウオルトラ・ジラクティンのブランド名で市販される製品および最高級および一般的製造者が製造する製品のようなマスカラ、アイシャドウ、アイライナーおよびまゆ毛ペンシル、ブラシ、コンシーラファンデーション、フェースパウダー、棒口紅、くちびる光沢剤、くちびるトリートメント、リップライナー、爪つや出しおよび爪つや出し除去製品を含む各種品目のメーキャップ製品に生物活性ガラスを添加する新規処方を含む。
【００９１】
生物活性ガラスの抗炎症および抗菌効果は細菌および炎症を低減するためにメーキャップ製品に特に有用である。
一般に、マスカラ製品はタルク、ワックス製品、保存料および着色剤を含む。　マスカラ製品の共通処方は水、蜜蝋、シクロペンタシロサン、グリセリルステアレート、ＰＰＧ−１７コポリマー、カルナバワックス、ステアリン酸、パラフィン、ブチレングリコール、ＥＤＴＡ、ポリエチレン、ナイロン−１２、ポリメチルメタクリレート、ＰＶＰコポリマー、ＰＶＰシリカ、トリエタノールアミン、合成ワックス、加水分解コーン澱粉、パンテノール、ジメチコノール、イソセテス−２０、ヒドロキシエチルセルロース、ジアゾリジルウレア、メチルパラベン、シメチコーン、ブチルパラベン、ジナトリウムオクチルアクリルアミド／アクリレーツ／ブチルアミノエチルメタクリレートコポリマー、ココアンホジアセテート、トコフェリルアセテート、イソプロピルチタニウムトリイソステアレート、レシチン、トリエチルアミン、２−オレアミド−１，３−オクタデカンジオールおよびプロピルパラベンを含む。
【００９２】
マスカラ製品は１つ以上の次のものを含むこともできる。マイカ、ＴＥＡ−ステアレート、グリセリルステアレート、トリコンタニルＰＶＰ、絹粉末、ジグリコール／ＣＨＤＭ／イソフタレート／シップコポリマー、ＰＴＦＥ、ステアレート、ソルビタンラウレート、ポリソルベート２０、アカシア、アクリレートコポリマー、変性アルコール、アミノメチルプロパンジオール、アンモニウムアクリレートコポリマー、水酸化アンモニウム、アンモニウムラノレート、アスコルビルパルミテート、ベンジルアルコール、ＢＨＡ、ブチルステアレート、Ｃ９−１１イソパラフィン、キャンデリラワックス、カルミン、セチルアルコール、セチルステアレート、水酸化クロムグリーン、クエン酸、シクロメチコーン、エチルパラベン、香料、グリセリン、グリセリルロジネート、ヒドグロプレックスＨｈｇ　Ｗｈｎ、加水分解ケラチン、ヒドロキシエチルセルロース、イミダゾリジニルウレア、酸化鉄、カオリン、珪酸アルミニウムマグネシウム、メチルエチルプロピルブチルパラベン／フェノキシエタノール、ＭＩＰＡ−ラノレート、ＭＩＰＡ−オレエート、ノキシノール−１０、オレイン酸、オレイルアルコール、ＰＥＧ−１００ステアレート、ペンタエリスリチルテトラステアレート、フェノキシエタノール、ポリブテン、ポリエチレン、ポリクオータニウム１０、ポリビニルアルコール、ポタシウムオコトキシノール−１２、ホスフェート、プロピレンカーボネート、プロピレングリコール、プロピル、クオータニウム−１５、クオータニウム−１８、ヘクトライト、クオータニウム−２２、ＳＤアルコール４０−Ｂ、シリカ、絹粉末、デヒドロ酢酸ナトリウム、ナトリウムラウレスサルフェート、ナトリウムラウリルサルフェート、ナトリウムポリメタクリレート、ソルビタンセスキオレエート、タルク、二酸化チタン、トリクロサン、トリメチルシロキシシリケート、ＥＤＴＡ３ナトリウム、ウルトラマリンおよびキサンタンガム。
【００９３】
本発明は上記任意成分の組合せに生物活性ガラスを添加することによりマスカラ製品の新規処方を供する。
一般に、アイシャドウ製品はタルク、マイカ、ポリエチレンフルオルエチレン、ステアリン酸マグネシウムおよび着色剤を含む。
アイシャドウ製品の共通処方はシクロメチコーン、タルク、ボロンニトリド、トリメチルシロキシシリケート、ポリエチレン、合成ワックス、微結晶ワックス、ステアリン酸亜鉛、カオリン、ジメチコーン、レチニルパルミテート、トコフェリルアセテート、アロエ抽出物、絹粉末、シリカＰＴＦＥ、デヒドロ酢酸、メチルパラベン、プロピルパラベン、エチルパラベンおよびジアゾリジニルウレアを含む。
【００９４】
アイシャドウ製品は１つ以上の次のものを含むこともできる。アスコルビルパルミテート、蜜蝋、ベンジルジメチルステアリルアンモニウムヘクトライト、ＢＨＴ、ビスマスオキシクロリド、Ｃ１２−１５アルキルベンゾエート、珪酸カルシウム、キャンデリラワックス、カプリル／カプリン酸トリグリセリド、カルナバワックス、水酸化クロム緑色、酸化クロム緑色、酸化鉄、クエン酸、ココカプリレートカプレート、Ｄ１トコフェロール、水素添加油、水素添加ラノリン、イミダゾリジニルウレア、イソプロピルトリイソステアロイルチタネート、ラウロイルリシン、ラウリルリシン、レシチン、親油性グリセリルモノステアレート、炭酸マグネシウム、マンガン紫色、メチルポリシロキサン、マイカ、鉱油、オクチルドデシルステアロイルステアレート、パラフィン、パラヒドロキシベンゾエートエステル、ポリメチルメタクリレート、ポリビニリデンコポリマー、プロピレンカーボネート、クオータニウム−１５、飽和脂肪酸グリセリド、デヒドロ酢酸ナトリウム、大豆リン脂質大豆レシチン、ステアリン酸、二酸化チタン、トリラウリン、トリオクタニオン、ウルトラマリン、酸化亜鉛、酸化鉄、フェロシアン化鉄、アンモニウムフェロシアン化鉄、カルミン、ポリグリセリル−３ジイソステアレート、水素添加ココ−グリセリド、エチレン／メタクリレートコポリマー、ナイロン−１２、ペンタヒドロスクアレン、アクリレートコポリマー、ポリグリセリ−４イソステアレート、ラウリルメチコーンコポリオール、パーフルオロポリメチリオスプロペスホスフェート、ブチルパラベン、フェノキシエタノールおよび各種着色剤。
【００９５】
本発明は上記任意成分の組合せに生物活性ガラスを添加することによりアイシャドウ製品の新規処方を供する。
一般に、アイライナーおよびまゆ毛ペンシル製品はタルク、マイカ、ポリエチレン、フルオルエチレン、ステアリン酸マグネシウムおよび着色剤を含む。
アイライナーおよびまゆ毛ペンシル製品の共通処方はシクロメチコーン、合成蜜蝋、アラキジルベヘネート、微結晶ワックス、クオータニウム−１８ヘクトライト、鉱油、プロピレンカーボネート、メチルパラベン、プロピルパラベンおよびＢＨＴを含む。
【００９６】
アイライナーおよびまゆ毛ペンシル製品は１つ以上の次のものを含むこともできる。ＰＰＧ−２ミリスチルエーテルプロピオネートセレシン、ヒマシ油、植物油、ラノリン、アルミニウム粉末、ブロンズ粉末、銅粉末、酸化亜鉛、水酸化アンモニウム、アスコルビン酸、アスコルビルパルミテート、ベンジルジメチルステアリルアンモニウムヘクトライト、ＢＨＡ、ビスマスオキシクロリド、ブチルステアレート、ブチレングリコール、ブチルパラベン、キャンデリラワックス、カプリル／カプリン酸トリグリセリド、カルミン、カルナウバセチルアルコール、カルナバワックス、セレシン、セロチン酸、セチルアルコール、セチルエステル、セチルパルミテート、水酸化クロム緑色、酸化クロム緑色、クエン酸、ジアゾリジニルウレア、ジメチコーン、アンモニウムフェロシアン化鉄、魚グリセリド、グリセリン、水素添加ヒマシ油、水素添加ココ−グリセリド、水素添加綿実油、水素添加魚油、水素添加パームグリセリド、水素添加植物油、ヒドロキシエチルセルロース、ヒドロキシル化ラノリン、イプフイリックグリセリルモノオレエート、酸化鉄、イソプロピルＣ１２−１５−パレス−９カルボキシレート、木蝋、親油性グリセリルモノステアレート、マンガン紫色、メリシン酸、メチルポリシロキサン、マイカ、ミリシルアルコール、オレオステアリン、オゾケライト、パラフィン、パラヒドロキシベンゾエートエステル、ＰＥＧ−８、ポリエチレン、ポリソルベート６０、ＰＰＧ−１５、ＰＰＧ−５エテス−２０、ＰＶＰラウレス−４、クオータニウム−１８ベントナイト、飽和脂肪酸グリセリド、シリカ、ソルビタンステアレート、大豆リン脂質大豆レシチン、ステアリン酸、ステアリルヘプタノエート、スチレン／アクリレートコポリマー、タルク、タロ−グリセリド、二酸化チタン、トコフェリルアセテート、トリステアリン、ウラトラマリン、各種ミネラル、ビタミン、水、ステアリン酸亜鉛および各種野菜および植物抽出物。
【００９７】
本発明は上記任意成分の組合せに生物活性ガラスを添加することによりアイライナーおよびまゆ毛ペンシル製品の新規処方を供する。
一般に、紅色付与製品はタルク、保存料、緩和剤および着色剤を含む。
紅色付与製品の共通処方はジメチコーン、オクチルパルミテート、タルク、ナイロン−１２、ネオペンチルグリコールジイソオクタノエート、トリベヘニン、イソステアリルベヘネート、ボロンナイトリド、アクリレートコポリマー、トコフェロール、レチニルパルミテート、メトキシプロピルグリコンアミド、キチン抽出物、ヒアルロン酸ナトリウム、加水分解グリコサミノグリカン、レシチン、キャンデリラワックス、大豆アミノ酸、ミモザワックス、ペンタヒドロスクアレン、ソルビタントリオレエート、水、プロピレングリコール、シリカ、フェノキシエタノール、チタニウムブチルパラベン、イソプロピルパラベン、イソブチルパラベン、ＢＨＡ、ラウリルリシンおよびメチルジヒドロイアスモネートを含む。
【００９８】
紅色付与製品は１つ以上の次のものを含むこともできる。アセチル化ラノリンアルコール、アラントイン、アスコルビルパルミテート、硫酸バリウム、ＢＨＴ、ビスマスオキシクロリド、ブチルパラベン、Ｃ１２−１５、アルキルベンゾエート、ケイ酸カルシウム、樟脳、カルボマー、カルミン、セチルアセテート、チョウジ油、ココカプリレートカプレート、ジアゾリジニルウレア、エチルパラベン、ユーカリ油、アンモニウムフェロシアン化鉄、フェロシアン化鉄、香料、イミダゾリジニルウレア、酸化鉄、カオリン、マンガン紫色、メントール、メチルパラベン、マイカ、イミダゾリジニルウレア、鉱油、カラス麦粉、オクチルドデシルステアロイルステアレート、パンテノール、ポリエチレン、ポリオキシメチレンウレア、ポリソルベート２０、ポリソルベート８０、クオータニウム−１５、デヒドロ酢酸ナトリウム、４ナトリウムＥＤＴＡプロピルパラベン、酸化錫、二酸化チタン、トリエタノールアミン、トリメチルシロキシシリケート、トリオクタニオン、ウルトラマリン、各種着色剤、各種植物抽出物、ステアリン酸亜鉛、水素添加ココ−グリセリド、オクチルヒドロキシステアレート、ウルトラマリンおよび各種着色剤。
【００９９】
本発明は上記任意成分の組合せに生物活性ガラスを添加することにより紅色付与製品の新規処方を供する。
一般に、コンシーラおよびファンデーション製品の共通処方は水、ブチレングリコール、ジメチコーン、イソステアリルアルコール、合成ワックス、シクロメチコーン、ＰＥＧ−２０メチルグルコースセスキステアレート、ステアリン酸ナトリウム、トリベヘニン、ポリメチルメタクリレート、サリチル酸、加水分解植物タン白、シリカ、タルク、微結晶ワックス、ジメチコーンコポリオール、ポリグリセリル−６−ポリリシノールエート、ステアリン酸アルミニウム、ボロンナイトリド、ジメチコノール、ジイソステアリルマレート、カゼイン、カラギナン、トコフェリルアセテート、レチニルパルミテート、アロエ抽出物、アスコルビン酸、メントール、塩化カルシウム、ナイロン−１２、パーフルオロポリメチルイソプロピルエーテル、メチルパラベン、プロピルパラベンおよびフェノキシエタノールを含む。
【０１００】
コンシーラおよびファンデーション製品は１つ以上の次のものを含むこともできる。パラフィン、ペンタエリスリチルテトラステアレート、オクチルヒドロキシステアレート、セテアレス−２０、セテレス−２、ＤＭＤＭヒダントイン、クオータニウム−１５、デキストリン、ケイ酸カルシウム、ステアリン酸亜鉛、オクチルドデシルミリステート、トリデシルトリメリテート、ビス−ジグリ−セリルカプリレート／カプレート／イソステアレート／ステア、グリセリルロジネート、アセチル化グリコールステアレート、アセチル化ラノリン、アセチル化ラノリンアルコール、アクリレートコポリマー、変性アルコール、アルキルオクタノエート、アラントイン、水酸化アルミニウム、アルミニウム澱粉オクテニルサクシネート、アミノエチルプロパノール、アラキジルベヘネート、アスコルビルパルミテート、硫酸バリウム、蜜蝋、ベントナイト、安息香酸、ＢＨＡ、ＢＨＴ、ビスアボロール、ビスアコジル、ビスマスオキシクロリド、ブチルパラベン、Ｃ１２−１５アルコールオクタノエート、Ｃ１２−１５アルキルベンゾエート、カルシウムアルミニウムボロシリケート、キャンデリラワックス、カプリリック／カプリックトリグリセリド、カルナバ、ヒマシ油、セルロースガム、セテアリールアルコール、セテアリールオクタノエート、酢酸セチル、セチルアルコール、セチルジメチコーンコポリオール、ココイルザルコシン、ジアゾリジニルウレア、ジカプリレート／ジカプレート、ジオクチルアジペート、ジプロピレングリコール、ジナトリウムＥＤＴＡ、ジソプロピルダイマージリノレート、エチレンブラシーレート、エチレン／メタクリレートコポリマー、エチレン／ビニルアセテートコポリマー、香料、グリセリン、グリセリルステアレート、ヘキシルラウレート、水素添加ココ−グリセリド、水素添加ポリイソブタン、イミダゾリジニルウレア、酸化鉄、イソセチルステアレート、イソドデカン、イソオクタヘキサコンタン、イソプロピルイソステアレート、イソプロピルパルミテート、イソプロピルチタニウムトリイソステアレート、イソステアリルネオペンタノエート、イソステアリルパルミテート、カオリン、ラノリン、ラノリンアルコール、ラノリン油、ラウレス−７、ラウロイルリシン、レシチン、親油性グリセリルモノステアレート、ケイ酸アルミニウムマグネシウム、炭酸マグネシウム、硫酸マグネシウム、メチコーン、メチルグルコースセスキステアレート、メチルポリシロキサン、マイカ、鉱油、ミリスチルラクテート、オクタメチルシクロテトラシロキサン、オクチルメトキシシンナメート、オクチルパルミテート、オクチルサリチレート、オクチルステアレート、オクチルドデカノール、オクチルドデシルネオペンタノエート、オクチルドデシルステアロイルステアレート、オゾケライト、パンテノール、ペクチン、ＰＥＧ−１００ステアレート、ＰＥＧ−２ステアレート、ＰＥＧ−２０ソルビタン蜜蝋、ＰＥＧ−３２、ＰＥＧ−６、ＰＥＣ−８、ワセリン、フェニルジメチコーン、ポリエチレン、ポリグリセリル−４イソステアレート、ポリグリセリル−６、リシノールエート、ポリイソブテン、ポリソルベート６０、プロピレングリコール、ＰＶＰ、クオータニウム−１８ヘクトライト、ＳＤアルコール４０ｂ、絹粉末、塩化ナトリウム、デヒドロ酢酸ナトリウム、ヒアルロン酸ナトリウム、ナトリウムラウロイルザルコシネート、ソルビン酸、ソルビタンセスキオレエート、ステアリン酸、ステアルオキシトリメチルシラン、ステアリルアルコール、ステアリルステアロイルステアレート、ｔ−ブチルハイドロキノン、４ＮａＥＤＴＡ、二酸化チタン、トコフェリルリノレート、トリコンタニルＰＶＰ、トリエタノールアミン、トリヒドロキシステアリン、トリメチルシロキシシリケート、３ＮａＥＤＴＡ、トリステアリン、ウルトラマリン青色、ｖａ／ビニルブチルベンゾエート、キサンタンガムおよび各種着色剤。
【０１０１】
本発明は上記任意成分の組合せに生物活性ガラスを添加することによりコンシーラおよびファンデーション製品の新規処方を供する。
一般に、おしろい製品はタルク、保存料、ステアリン酸カルシウムおよび着色剤を含む。
フェースパウダー製品の共通処方はタルク、鉱油、ステアリン酸亜鉛、カオリン、アルミニウム澱粉オクテニルサクシネート、アクリレートコポリマー、絹粉末、シリカ、プロピルパラベン、メチルパラベン、ケイ酸カルシウム、イミダゾリジニルウレア、二酸化鉄およびウルトラマリンを含む。
【０１０２】
おしろい製品は１つ以上の次のものを含むこともできる。アセチル化ラノリンアルコール、アスコルビルパルミテート、蜜蝋、ＢＨＴ、ビスマスオキシクロリド、樟脳、カプリリック／カプリックトリグリセリド、カルミン、チョウジ油、シクロメチコン、デキストリン、ジアゾリジニルウレア、ジメチコーン、エチレンアクリル酸コポリマー、エチルパラベン、ユーカリ油、香料、グリセリルロジネート、水素添加レシチン、イソプロピルパルミテート、ラウロイルリシン、レシチン、ステアリン酸マグネシウム、硫酸マグネシウム、マンガン紫色、メントール、メチコーン、メチル−エチル−プロピル−ｉブチルパラベン／フェノキシエタノール、マイカ、ナイロン−１２、カラス麦粉、オクチルパルミテート、オクチルドデカノール、ステアロイルステアレート、オクチルドデシルミリステート、パンテノール、フェノキシエタノール、フェニルトリメチコーン、ポリソルベート２０、プロピレングリコール、クオータニウム−１５、クオータニウム−１８ヘクトライト、レチニルパルミテート、デヒドロ酢酸ナトリウム、ナトリウム水素添加タロ−グルタメート、ソルビタンセスキオレエート、ソルビタントリオレエート、二酸化チタン、トコフェリルアセテート、トリクロサン、トリデシルトリメリテート、各種着色剤、各種植物抽出物、水、アロエ抽出物およびアロントイン。
【０１０３】
本発明は上記任意成分の組合せに生物活性ガラスを添加することによりフェースパウダー製品の新規処方を供する。
一般に、口紅およびくちびる光沢剤はヒマシ油、カプリリック／カプリックトリグリセリド、ステアリン酸、ラノリン、ポリブテン、鉱油、カオリン、シリカ、ＢＨＴ、および着色剤を含む。
口紅およびくちびる光沢剤の共通処法はトリクチルドデシルサイトレート、イソトリデシルイソノナノエート、Ｃ１０〜２０コレステロール／ラノステロールエステル、合成蜜蝋、パラフィン、セチルアルコール、キャンデリラワックス、アロエ抽出物、レチニルパルミテート、トコフェリルアセテート、アスコルビルパルミテート、ヒアルロン酸ナトリウム、ＰＥＧ−２０ソルビタン蜜蝋、クオータニウム−１８ヘクトライト、安息香酸、ＢＨＡ、メチルパラベン、プロピルパラベン、二酸化チタン、マイカ、二酸化鉄および各種着色剤を含む。
【０１０４】
口紅およびくちびる光沢剤は１つ以上の次のものを含むこともできる。アセチル化ラノリン、アクリレートコポリマー、アラントイン、アスコルビルパルミテート、蜜蝋、ビスジグリセリルポリアシルアジペート−２、ビスマスオキシクロリド、ブチルパラベン、Ｃ１０−３０コレステロール／ラノステロールエステル、カルナバ、ヒマシ油、セチルアセテート、セチルジメチコーンコポリオール、セチルオクタノエート、クエン酸、カカオ脂、ココナツ油、シクロメチコーン、シクロペンタシロキサン、シクロテトラシロキサン、ジイソプロピル、ダイマージリノルエート、ジメチコーン、トリイソステアクリルサイトレート、Ｄ１−トコフェロール、ドロメトリゾール、Ｄ−トコフェロール、エチルセルロース、香料、グリセリルオレエート、ブドウ種子油、ヘキシルラウレート、水素添加ポリイソブテン、水素添加大豆グリセリド、水素添加植物油、加水分解コラーゲン、加水分解グルコサミノグリカン、イソセチルステアレート、イソドデカン、イソプロピルミリステート、イソステアリルパルミテート、ラノリン、マグネシウムアスコルビルホスフェート、メントール、メチコーン、メチルグルコースセキステアレート、微結晶ワックス、鉱油、ミリスチルラクテート、ネオペンチルグリコールジコクタノエート、オクチルヒドロキシステアレート、オクチルメトキシシンナメート、オクチルパルミテート、オクチルドデカノール、オレイルアルコール、オキシベンゾン、オゾケライト、パジメート、ＰＥＣ−２０ソルビタン蜜蝋、ペンタエリスリチルテトラベヘネート、ペンタエリスリチルテトライソステアレート、ワセリン、フィトステロール／オクチルドデシルラウロイルグルタメート、ポリブテン、ポリエセレン、ポリエチレン、ポリグリセリル−２ジイソステアレート、ポリグリセリル−３ジイソステアレート、ポリグリセリル−４イソステアレート、ポリメチシルスクオキサン、ＰＰＧ５１／スムジコポリマー、プロピルガレート、プロピレングリコール、ＰＶＰ／ヘキサデセンコポリマー、ゴマ油、シェラックワックス、シリカ、ヒアルロン酸ナトリウム、乳酸ナトリウム、ナトリウムＰＣＡ、リン酸ナトリウム、サッカリンナトリウム、ソルビン酸、スクアラン、ステアリン酸、ステアリルジメチコーン、シュクロースアセテートイソブチレート、Ｔ−ブチルハイドロキノン、トコフェリルアセテート、トリヒドロキシステアリン、トリイソステアリルサイトレート、トリイソステアリン、トリメチルシロキシシリケート、ウレア、各種天然および人工フレーバ付与剤、各種ビタミン剤、水、小麦胚芽油、カプリリック／カプリックトリグリセリド、セレシン、トリフルオロメチルＣ１−４アルキルジメチコーン、アラキジルプロピオネート、フェニルトリメチコンおよびＢＨＴ。
【０１０５】
本発明は上記任意成分の組合せに生物活性ガラスを添加することにより口紅およびくちびる光沢剤製品の新規処方を供する。
下記例４は生物活性ガラスを添加する口紅処方の代表的態様を供する。
例４：生物活性ガラスを有する口紅
処方ＣＰＤ３−３３Ａ，Ｂ，Ｃ
2004500404.tif 000008
観察：
１）タルク処方は双方のガラスのように十分に／速く凝固しない。
２）５８ｓガラスはいくらか速く凝固し、４５ｓガラス処方と比較して一層滑かな製品を作ると思われる。
３）タルク処方は１時間で一層羽毛状（にじみ出る）を示した。
【０１０６】
一般に、くちびるトリートメント製品は保湿剤、治療剤、およびワセリンジェリーのような保護剤を含む。
くちびるトリートメント製品の共通処方は白色ワセリン、エチルヘキシルＰ−メトキシシンナメート、カルナバ、ヒドロキシル化乳グリセリド、ナイロン−１２、パラフィン、トコフェリルアセテート、ビスアボロール、レチニルパルミテート、パンテノール、レシチン、ステアリック、大豆ステアロール、硫酸亜鉛、サッカリンナトリウム、各種天然および人工フレーバ付与剤および各種植物抽出物を含む。
【０１０７】
くちびるトリートメント製品は１つ以上の次のものを含むこともできる。２−エチルヘキシルサリチレート、２−オクチルドデカノール、アラントイン、アロエ抽出物、アラム、アラカジルプロピオネート、蜜蝋、安息香酸、ベンゾフェノン−３、ＢＨＴ、ビスアコジル、ルリヂサ種実油、樟脳、カルナバワックス、ヒマシ油、セチルアルコール、セチルエステル、ココアバター、コーン油、ジメチコーン、ジメチコーン、ジペンタエリスリチルヘキサカプレート／ヘキサカプリレート、香料、水素添加ヒマシ油、イソプロピルラノレート、ククイナット油、ラノリン、メントール、メチルパラベン、微結晶ワックス、鉱油、混合ワックス、オクタデセン／ｍａコポリマー、オクチルメトキシシンナメート、オクチルパルミテート、オキシベンゾン、オゾケライト、パジメート、パラフィン、ワセリン、フェノール、ポリブテン、ポリフェニルメチルシロキサン５５６、ポリエチレン、プロピルパラベン、精製水、サッカリン、サリチル酸、ＳＤアルコール３６、ステアリルアルコール、ヒマワリ種実油、タルク、トリデシルステアレート、トリデシルトリメリテート、トリイソステアリンエステル、各種着色剤、ワックスパラフィンおよび白色ワックス。
【０１０８】
本発明は上記任意成分の組合せに生物活性ガラスを添加することによりくちびる処置製品の新規処方を供する。
一般に、リップライナー製品はワックス製品、保存料、鉱油、ステアリン酸および着色剤を含む。
リップライナー製品の共通処方はヒマシ油、イソプロピルパルミテート、ラノリン、蜜蝋、キャンデリラワックス、メドウフォーム種実油、香料、ゴマ油、ポリブテン、オゾケライト、ジオクチルドデシルフルオロヘプチルサイトレート、カルナバワックス、パラフィン、水素添加大豆グリセリド、プロピレングリコール、ステアリン酸、サッカリンナトリウム、プロピルパラベン、プロピルガレートおよびクエン酸を含む。
【０１０９】
リップライナー製品は１つ以上の次のものを含むこともできる。アロエ抽出物、ＢＨＡ、ビスマスオキシクロリド、ブロンズ粉末、ブチルパラベン、カルミン、ヒマシ油、セレシン、銅粉末、シクロメチコーン、ジイソステアリルダイマージリノレエート、含水シリカ、水素添加ヒマシ油、水素添加綿実油、水素添加植物油、酸化鉄、マンガン紫色、メチルパラベン、マイカ、ＰＥＧ−６蜜蝋、ポリブテン、クォータニウム−１８ベントナイト、レチニルパルミテート、サッカリンナトリウム、合成ワックス、二酸化チタン、トコフェリルアセテート、各種着色剤、各種天然および人工フレーバ付与剤、酸化亜鉛、アスコルビルパルミテート、飽和脂肪酸グリセリド、カプリル／カプリン酸トリグリセリド、グリセリルトリパルミテート、パラヒドロキシベンゾエートエステル、大豆リン脂質、大豆レシチンおよび親油性グリセリルモノステアレート。
【０１１０】
本発明は上記任意成分の組合せに生物活性ガラスを添加することによりリップライナー製品の新規処方を供する。
【０１１１】
一般に爪光沢剤製品はニトロセルロース、アセトンまたはエチルアルコールのような溶媒に溶解したラッカーおよび着色剤を含む。
爪光沢剤製品の共通処方は酢酸エチル、酢酸ブチル、イソプロピルアルコール、ニトロセルロース、グリセリルトリベンゾエート、アセチルトリブチルサイトレート、ステアルアルコニウムベントナイト、ステアルアルコニウムヘクトライト、グリセリルトリアセテート、樟脳、ＳＤアルコール４０、クエン酸、リンゴ酸、リン酸、２，４−ジ−ｔ−ブチルフェニル−３，５−ジ−ｔ−ブチル−４−ヒドロキシベンおよび酸化錫を含む。
【０１１２】
爪光沢剤製品は１つ以上の次のものを含むこともできる。アクリレートコポリマー、藻類抽出物、アルミニウム、酢酸アミル、ベンゾフェノン−１、ビオチン、ビスマスオキシクロリド、水酸化クロム緑色、酸化クロム緑色、ジアセトンアルコール、ジブチルフタレート、ジメチコーンコポリオール、ジプロピレングリコールジベンゾエート、エチルトシルアミド、エトクリレン、フェリックアンモニウムフェロシアナイド、フェリックフエロシアナイド、繊維ガラス、香料、グリコイスコポリマー、グアニン、含水シリカ、酸化鉄、酢酸イソブチル、マンガン紫色、酢酸メチル、マイカ、Ｎ−ブチルアルコール、酸化ポリエチレン、パンテノール、無水フタール酸、無水フタール酸／グリセリン／グリシジルデカンデートｃｏｐ、無水フタール酸／トリメリチック無水物／グリコールコポリマー、ポリエステルレジン、ポリエチレンテレフィスレート、酢酸プロピル、レチニルパルミテート、シリカ、銀、スチレン／アクリレーツコポリマー、シュクロースアセテートイソブチレート、スチレン／アクリレート／アクリロニトリルコポリマー、テトラブチルフェニルヒドロキシベンゾエート、二酸化チタン、トコフェリルアセテート、トシルアミド／エポキシレジン、トシルアミド／ホルムアルデヒドレジン、トリベンゾイン、トリメリチックアンヒドリド、ウルトラマリン、各種着色剤、ステアルアルコニウムヘクトライト、ジメチコーンコポリオール、アクリレートコポリマー、ジプロピレングリコールジベンゾエート、トリベンゾイン、ビオチン、パンテノール、レチニルパルミテート、トコフェリルアセテート、アルミニウム粉末、ビスマスオキシクロリド、ポリエステルレジン、シュクロースアセテートイソブチレート、ジアセトンアルコール、ベンゾフェノン−１、グアニン、トルエン、トシルアミド／ホルムアルデヒドレジン、ジブチルフタレート、テトラブチルフェニルヒドロキシベンゾエート、二酸化チタン、二酸化鉄、マイカ、アンモニウムフェロシアン化鉄、パントテン酸カルシウム、ヘプタン、エトクリレン、アセチルトリブチルサイトレート、加水分解ケラチンおよび各種着色剤。
【０１１３】
本発明は上記任意成分の組合せに生物活性ガラスを添加することにより爪光沢剤製品の新規処方を供する。
生物活性ガラスおよびゾル−ゲル由来生物活性ガラスは水性流体と反応してカルシウム、リン、ナトリウムおよびシリコンのような無機元素の豊富な溶液を形成する。これらの無機元素は爪の上に沈澱して鉱物学的層（すなわち、ヒドロキシアパタイト）を形成できる。鉱物学的層は爪に強度を加えることが期待される。
【０１１４】
下記例５〜８はゾル−ゲル由来生物活性ガラスを含む生物活性ガラスを添加する爪ケア処方の代表的態様を供する。
例５：無水爪強化剤ゲル１の組成
2004500404.tif 000009
例６：無水爪強化剤ゲルＩＩ
2004500404.tif 000010
例７：爪ゲル（生物活性ガラスを有する無水の）の組成
2004500404.tif 000011
例８：皮膚および爪処置組成物
（ゾル−ゲル由来生物活性ガラスを有する無水物）
2004500404.tif 000012
【０１１５】
一般に、爪光沢剤除去製品はアセトンまたは酢酸エチルを含む。
爪光沢剤除去製品の共通処方は酢酸エチル、アルコール、水、プロピレンカーボネート、ジメチルグルタレート、ジメチルサクシネート、ジメチルアジペート、ゼラチン、グリセリン、ジグリセロール、香料、イソプロパノール、酢酸プロピル、ベンゾフェノン−１、ヒマシ油および各種着色剤を含む。
爪光沢剤除去製品は１つ以上の次のものを含むこともできる。アセトン、クエン酸、デナトニウムベンゾエート、ＰＥＧ−７５ラノリン油、鉱油、パンテノールおよびトコフェリルアセテート。
生物活性ガラスは上記任意成分の組合せに添加できる。
【０１１６】
タンポン、マキシパッドおよびパンチライナー製品
本発明はオルウェイズ、ケアフリー、コテックス、ｏ．ｂ．，プレイテックス、タンパックスのブランド名で市販される製品および最高級および一般的製造者が製造する製品のようなタンポン、マキシパッドおよびパンチライナーの各種品目に生物活性ガラスを添加する新規処方を含む。
【０１１７】
一般に、タンポン製品は綿および／またはレーヨンの折り重ね部分および綿帯を含む。
タンポン製品は１つ以上の次のものを含むこともできる。ポリエチレン／ポリエステル被覆、ポリソルベート−２０、香料、およびプラスチックまたは厚紙適用具。
一般に、マキシパッドおよびパンチライナー製品はセルロース、プラスチックおよび粘着ストリップを含む。マキシパッドおよびパンチライナーは香料を含むこともできる。
【０１１８】
本発明は上記任意成分の組合せに生物活性ガラスを添加することによりタンポン、マキシパッドおよびパンチライナー製品の新規処方を供する。
生物活性ガラスの抗菌および吸湿性は細菌および臭いを低減するためにタンポン、マキシパッドおよびパンチライナー製品に特に有用である。
【０１１９】
座瘡の予防および治療製品
本発明はＡｃｎｅ　Ａｉｄ，Ａｃｏｎｍｅｌ，Ａｖｅｅｎｏ，Ｂｉｏｒｅ，Ｂｕｒｔ’ｓ　Ｂｅｅｓ，Ｃｌｅａｎ　＆　Ｃｌｅａｒ，Ｃｌｅａｒ　Ｌｏｇｉｘ，Ｃｌｅａｒａｓｉｌ，Ｄｅｓｅｒｔ　Ｅｓｓｅｎｃｅ，Ｅｘａｃｔ，Ｆｏｓｔｅｘ，Ｇａｒｄｅｎ　Ｂｏｔａｎｉｋａ，Ｈｙｌａｎｄ’ｓ　Ｈｏｍｅｏ−ｐａｔｈｉｃ，Ｌｏｎａｘ，Ｊａｓｏｎ，Ｊｏｈｎｓｏｎ　＆　Ｊｏｈｎｓｏｎ，Ｋｉｓｓ　Ｍｙ　Ｆａｃｅ，Ｌｉｑｕｉｍａｔ，Ｎｅｕｔｒｏｇｅｎａ，Ｎｏｘｚｅｍａ，Ｏｒａｎｇｅ　Ｄａｉｌｙ，Ｏｘｙ，Ｐａｍｏｘｙｌ，Ｐｅｒｍｏｘ，Ｐｏｎｄ’ｓ，Ｒｅｚａｍｉｄ，Ｓａｌ　Ａｃ，Ｓａｌｉ−ｃｙｌｉｃ　Ａｃｉｄ，Ｓａｓｔｉｄ，Ｓｅｂａｓｏｒｂ，Ｓｔｉｅｆｅｌ，Ｓｔｒｉｄｅｘ，Ｓｕａｖｅ，Ｓｕｌｆｏｒｃｉｎ，Ｓｕｌｆｕｒ　Ｓｏａｐ，Ｓｕｌｐｈｏ−Ｌａｃ，Ｔ−Ｚｏｎｅ，Ｚｉｒｈのブランド名で市販される製品、および最高級および一般的製造者が製造する製品のような各種品目の座瘡予防および治療製品に生物活性ガラスを添加する新規処方を含む。
【０１２０】
一般に、座瘡予防および治療製品は活性成分ベンゾイルパーオキシドまたはサリチル酸を含む。
座瘡予防および治療製品の共通処方はレゾルシノール、硫黄およびアルコールまたはベンゾイルパーオキシドの組合せから成る活性成分を含む。
座瘡予防および治療製品は１つ以上の次の不活性成分を含むこともできる。アルコール、アタプルガイト、ベントナイト、ブチルパラベン、カルボマー、クエン酸、ジオクチルナトリウムスルホサクシネート、ジナトリウムＥＤＴＡ、エデテートジナトリウム、ＥＤＴＡ、香料、グリセリン、ヒドロキシエチルセルロース、ヒドロキシプロピルメチルセルロース、酸化鉄、イソプロピルミリステート、カオリン、ラウルアミドｄｅａ、メチルパラベン、パラクロロメタキシルエノール、ＰＥＧ−８ラウレート、水酸化カリウム、プロピレングリコール、プロピルパラベン、サリチル酸、シメチコーン、亜硫酸水素ナトリウム、ナトリウムボロヒドリド、塩化ナトリウム、ナトリウムココエート、水酸化ナトリウム、ナトリウムポリナフタレンスルホネート、ナトリウムタロ−エート、タルク、二酸化チタン、トリナトリウムヘドタ、各種植物および鉱物抽出物、水、キサンタンガム、酸化亜鉛、水酸化アルミニウム、グリセリルステアレートＳＥおよびＰＥＧ−１２。
【０１２１】
本発明は上記任意成分の組合せに生物活性ガラスを添加することにより座瘡予防および治療製品の新規処方を供する。
生物活性ガラスの抗菌および抗炎症性は座瘡の予防および治療製品に特に有用である。生物活性ガラスは炎症を低減し、一方座瘡を生ずる細菌および微生物を殺す局所座瘡クリームに使用できる。
【０１２２】
顔用洗浄、調色、表皮剥離およびメーキャップ除去製品
本発明はＡａｐｒｉ，Ａｌｂｏｌｅｎｅ，Ａｌｍａｙ，Ａｌｐｈａ，Ｈｙｄｒｏｘ，Ａｍｂｉ，Ａｑｕａ　Ｇｌｙｃｏｌｉｃ，Ａｑｕａｎｉｌ　Ｌｏｔｉｏｎ，Ａｒｔｒａ，Ａｖｅｅｎｏ，Ｂａｓｉｓ，Ｂｉｏｒｅ，Ｂｏｄｙｃｏｌｏｇｙ，Ｂｏｎｎｉｅ　Ｂｅｌｌ，Ｂｒｉｔｅ−Ｌｉｆｅ，Ｂｕｒｔ’ｓ　Ｂｅｅｓ，Ｃａｍｏｃａｒｅ，Ｃｅｔａｐｈｉｌ，Ｃｌｅａｎ　＆　Ｃｌｅａｒ，Ｃｌａｉｒｏｌ，Ｃｌｅａｒｓｉｌ，Ｃｌｅａｒｌｙ　Ｎａｔｕｒａｌ，Ｃｏｖｅｒ　Ｇｉｒｌ，Ｃｕｒａｄ，Ｄｉｃｋｉｎｓｏｎ’ｓ，ＤＭＬ，Ｅａｒｔｈ　Ｓｃｉｅｎｃｅ，Ｆｒｅｅｍａｎ，Ｇａｒｄｅｎ　Ｂｏｔａｎｉｋａ，Ｊｏｎａｘ，Ｊａｓｏｎ，Ｊｅｒｇｅｎｓ，Ｊｏｈｎｓｏｎ　＆　Ｊｏｈｎｓｏｎ，Ｋｅｒｉ，Ｋｉｓｓ　Ｍｙ　Ｆａｃｅ，Ｌａ　Ｂｅｌｌａ，Ｌ’Ｏｒｅａｌ，Ｍａｙｂｅｌｌｉｎｅ，Ｍｏｉｓｔｕｒｅｌ，Ｎｅｕｔｒｏｇｅｎａ，Ｎｉｖｅａ，Ｎｏｘｚｅｍａ，Ｏｉｌ　ｏｆ　Ｏｌａｙ，Ｏｘｙ，Ｐｈｉｓｏｄｅｒｍ，Ｐｌｅｎｉｔｕｄｅ，Ｐｏｎｄ’ｓ，Ｐｒｏｐａ　ｐＨ，Ｐｕｒｐｏｓｅ，Ｒｅｖｉｖａ，Ｒｅｖｌｏｎ，ＲｏＣ，Ｓｅａ　Ｂｒｅｅｚｅ，Ｓｅｂａｎ，Ｓｔ．Ｉｖｅｓ　Ｓｗｉｓｓ　Ｆｏｒｍｕｌａ，Ｓｔｉｅｆｅｌ，Ｓｔｒｉｄｅｘ，Ｓｕａｖｅ，Ｔ−Ｚｏｎｅ，Ｔｅｎ−Ｏ−Ｓｉｘ，Ｖｅｇｅｅ　Ｔｏｎｉｃのブランド名で市販する製品、および最高級および一般的製造者が製造する製品のような顔の洗浄、調色、表皮剥離製品およびメーキャップ除去製品の各種品目に生物活性ガラスを添加する新規処方を含む。
【０１２３】
一般に、顔の洗浄、調色または表皮剥離製品またはメーキャップ除去製品は樟脳、水、メントール、ステアリン酸、水酸化カルシウム、水酸化アンモニウム、およびαまたはβヒドロキシ酸、レチノン酸、アゼライン酸またはアダペレンのような表皮剥離剤を含む。
顔の洗浄、調色、表皮剥離製品およびメーキャップ除去製品の共通処方は水、グリセリン、ナトリウムラウレスサルフェート、ココアミドプロピルベタイン、トコフェリルアセテート、パンテノール、メチルラクテート、カプリレート／ステアレス−２０、メタクリレートコポリマー、キサンタンガム、微結晶ワックス、ナトリウムマグネシウムシリケート、水酸化ナトリウム、香料、ＤＭＤＭヒダントイン、ヨードプロピニルブチルカルバメート、各種ビタミン、ミネラル、果実および植物抽出物および各種着色剤を含む。
【０１２４】
顔の洗浄、調色、および表皮剥離製品およびメーキャップ除去製品は１つ以上の次のものを含むこともできる。１−ヘキサデカノール、ヨードプロピルブチルカルバメート、アクリレートクロスポリマー、アクリレート／Ｃ１０−３０アルキル、アラントイン、水酸化アンモニウム、蜜蝋、ベンゾフェノン−４、ベンジルアルコール、β−カロテン、ＢＨＴ、硼酸、ブチレングリコール、ブチルパラベン、樟脳、カプリリック／カプリックトリグリセリド、カルボマー、セレシン、セテアレス−２０、セテアリールアルコール、セテアリールイソノナノエート、セチルアルコール、セチルヒドロキシエチルセルロース、セチルオクタノエート、クロルヘキシドリンジグルコネート、水酸化クロム緑色、クエン酸、ココアミドｍｅａ、ココアミドプロピルホスファチジルｐｇ−ジモニウムクロリド、ココアミドプロピルアミンオキシド、コロイド性カラス麦粉、コーン胚芽油、ｄｅａ−セチルホスフェート、ジアゾリジニルウレア、ジカプリレート／ジカプレート、ジメチコーン、ジナトリウムＥＤＴＡ、ジナトリウムラウレススルホサクシネート、ジナトリウムラウロアンホジアセテート、ジナトリウムオレアミドＰＥＧ−２スルホサクシネート、ジナトリウムリシノールアミドｍｅａ−スルホサクシネート、エデテートジナトリウム、ＥＤＴＡ、エトキシジグリコール、エチルパラベン、ゼラチン、グリセリルラウレート、グリセリルポリメタクリレート、グリセリルステアレート、グリコールＤＳ、ヘキシレングリコール、ヒドロキシセチルヒドロキシエチルジモニウムクロリド、ヒドロキシプロピルグアー、ヒドロキシプロピルトリモニウムクロリド、ヒドロキシプロピルセルロース、イミダゾリジニルウレア、酸化鉄、イソセチルアルコール、イソプロピルミリステート、イソプロピルパルミテート、乳酸、ラノリン油、ラウレス−４、ラウレス−９、ラウリン酸、ラウリルホスフェート、ラウリルポリグルコース、ケイ酸アルミニウムマグネシウム、メントール、メチルグルセス−２０、メチルクロロイソチアゾリノン、メチルジブロモグルタロニトリル、メチルイソチアゾリノン、メチルパラベン、鉱油、ミリスチン酸、オクチルヒドロキシステアレート、オリーブ油、パルミチン酸、パラフィン、ＰＥＧ−１０水素添加ヒマシ油、ＰＥＧ−１０大豆ステロール、ＰＥＧ−１００ステアレート、ＰＥＧ−１２０グルコースジオレエート、ＰＥＧ−１２０メチルグルコースジオレエート、ＰＥＧ−１５０ジステアレート、ＰＥＧ−２ステアレート、ＰＥＧ−２０、ＰＥＧ−２００グリセリルタロ−エート、ＰＥＧ−３ジステアレート、ＰＥＧ−７グリセリルココエート、ＰＥＧ−８、ＰＥＧ−８０ソルビタンラウレート、ＰＥＧ−９トリデシルエーテル、ペンタソジウムペネテート、ワセリン、ＰＧ−アセテートホスフェート、フェノキシエタノール、フェニルエチルアルコール、ポルオキサマー１８４、ポリデセン、ポリオールアルコキシエステル、ポリオキシエチレン１５ココアミンホスフェート／オレエートｃｏｍｐ．，ポリクオータニウム−１０、ポリクオータニウム−２４、ポリクオータニウム−７カプリロイルサリチル酸、ポリソルベート２０、ポリソルベート６０、ポリソルベート８０、水酸化カリウム、ミ���スチン酸カリウム、パルミチン酸カリウム、ソルビン酸カリウム、ステアリン酸カリウム、ＰＰＧ−１０ブタンジオール、ＰＰＧ−１０メチルグルコースエーテル、ＰＰＧ−１２ブテス−１６、ＰＰＧ−１５ステアリルエーテル、プロピレングリコール、プロピルパラベン、クオータニウム−１５、ベニバナ油、サリチル酸、ゴマ油、シメチコーン、硼酸ナトリウム、ナトリウムＣ１２−１５アルコールエトキシカルボキシレート、塩化ナトリウム、ナトリウムココエート、ナトリウムココイルグルタメート、ナトリウムココイルイセチオネート、ナトリウムドデシルベンゼンスルホネート、ナトリウムイセチオネート、ナトリウムイソステアロイルラクチレート、乳酸ナトリウム、ナトリウムラウロアンホアセテート、ナトリウムラウロイルザルコシネート、ナトリウムラウリルサルフェート、ナトリウムラウリルスルホアセテート、ナトリウムミリストイルザルコシネート、ナトリウムパームケルネレート、ナトリウムＰＣＡ、ステアリン酸ナトリウム、亜硫酸ナトリウム、ナトリウムタロ−エート、ナトリウムトリデセスサルフェート、ステアルアミドプロピルｐｇ−ジモニウムクロリドホスフェート、ステアレス−２、ステアレス−２１、ステアリン酸、ステアリルアルコール、シュクロースラウレート、タルク、ｔｅａ−ステアレート、４−ナトリウムＥＤＴＡ、４ナトリウムエチブロネート、二酸化チタン、トリクロカルバン、ペンタナトリウムペンテテート、トリクロサン、トリエタノールアミン、トリナトリウムヘドタ、トロメサミン、ナトリウムセチルサルフェート、オレイルベタイン、ラウセス−３、自己乳化ワックス、ココアンホカルボキシグリシネート、ラウルアミドＤＥＡ、ラウルアミドＭＥＡ、リノールアミドＤＥＡ、ポリエチレン、ラウリルメチルグルセス−１０ジヒドロキシプロピルジモニウムクロリド、ナトリウムラウロアンホジアセテートおよびデシグルコシド。
【０１２５】
本発明は上記任意成分の組合せに生物活性ガラスを添加することにより顔の洗浄、調色および表皮剥離製品およびメーキャップ除去製品の新規処方を供する。　生物活性ガラスの抗炎症および抗菌効果は細菌および炎症を低減するため顔の洗浄、調色、および表皮剥離製品およびメーキャップ除去製品に特に有用である。さらに生物活性ガラスの研磨性は表皮剥離に有用である。
【０１２６】
顔の保湿、抗しわ、目のトリートメントおよび手およびボディローション製品
本発明はブランド名Ａｃｉｄ　Ｍａｎｔｌｅ，Ａ−Ｄｅｒｍａ，Ａｂｒａ，Ａｌｂａ　Ｂｏｔａｎｉｃａ，Ａｌｂｏｌｅｎｅ，Ａｌｍａｙ，Ａｌａ　Ｄｅｒｍ，Ａｌｌｅｒｃｒｅｍｅ，Ａｌｏｅ　Ｖｅｒａ８０，Ａｌｐｈａ　Ｈｙｄｒｏｘ，Ａｌｐｈａ　Ｋｅｒｉ，ＡｍＬａｃｔｉｎ，Ａｑｕａ　Ｃａｒｅ，Ａｑｕａ　Ｇｌｙｃｏｌｉｃ，Ａｑｕａ　Ｌａｃｔｉｎ，Ａｑｕａｎｉｌ，Ａｓｏｒｂａｓｅ，ＡｒｔｈｉＣａｒｅ，Ａｔｒａｃ−Ｔｒａｎ，Ａｖｅｅｎｏ，Ａｖｏｎ，Ｂａｂｙ　Ｍａｇｉｃ，Ｂａｋｅｒ　Ｃｕｍｍｉｎｓ，Ｂａｌｍ　Ｂａｒｒ，Ｂａｓｉｓ，Ｂｅａｕｔｙ　Ｗｉｔｈｏｕｔ　Ｃｒｖｅｔｔｙ，Ｂｅｔａ　Ｃａｒｅ，Ｂｉｏｒｅ，Ｂｏｄｙｃｏｌｏｇｙ，Ｂｒｉｔｅ−Ｌｉｆｅ，Ｂｕｒｔ’ｓ　Ｂｅｅｓ，Ｃａｌｇｏｎ，Ｃａｍｏｃａｒｅ　Ｇｏｌｄ，Ｃａ−Ｒｅｚｚ，Ｃａｒｍｏｌ，Ｃａｒｒｉｎｇｔｏｎ，ＣＢＩ，Ｃｅｔａｐｈｉｌ，Ｃｈａｍｂｅｒｌａｉｎ，Ｃｌａｉｒｏｌ，Ｃｌｅａｎ　＆　Ｃｌｅａｒ，Ｃｏｍｐｌｅｘ　１５，Ｃｏｒａｌ　Ｓｐｒｉｎｇｓ，Ｃｏｒｎ　Ｈｕｓｋｅｒｓ，Ｃｕｒｅｌ，Ｃｕｔａｒ，Ｃｕｔｅｍｏｌ，Ｄｅｒｍａｌ　Ｔｈｅｒａｐｙ，Ｄｅｒｍａｃｅｒｉｎ，Ｄｅｒｍａｓｉｌ，Ｄｅｒｍａｔｏｎｅ，Ｄｅｒｍｏｖａｎ，ＤｉａＤｅｒｍａｌ，ＤｉａｂｅｔｉＤｅｒｍ，Ｄｉｘｉｅ　Ｈｅａｌｔｈ，ＤＭＬ，Ｄｏａｋ，ＤＰＭ，Ｅａｒｔｈｌｙ　Ｅｌｅｍｅｎｔｓ，Ｅａｒｔｈ　Ｓｃｉｅｎｃｅ，Ｅａｒｔｈ　Ｔｈｅｒａｐｅｕｔｉｃｓ，Ｅｌｔａ，Ｅｐｉｌｙｔ，Ｅｓｏｔｅｒｉｃａ，Ｅｓｔａｒ，Ｅｕｃｅｒｉｎ，Ｅｖｉａｎ，Ｅｘｏｒｅｘ，Ｆａｃｅ　Ｌｉｆｔ，Ｆｏｒｍｕｌａ４０５，Ｆｏｕｇｅｒａ，Ｆｒｅｅｍａｎ，Ｆｒｕｉｔ　ｏｆ　ｔｈｅ　Ｅａｒｔｈ，Ｇａｌｄｅｒｍａ，Ｇａｒｄｅｎ　Ｂｏｔａｎｉｋａ，Ｇｏｌｄ　Ｂｏｎｄ，Ｇｏｌｄｅｎ　Ｓｕｎ，Ｇｏｏｄ　Ｓｅｎｓｅ，Ｈｅａｌｔｈｆｌｏｗ，Ｈｙｄｒｏｘ−Ｃ，Ｊａｍｉｅｓｏｎ　＆　Ｃｏ．，Ｊ．Ｃ．Ｂｒｉｌｌａｎｔｉｎｅ，Ｊａｓｏｎ，Ｊｅａｎ　Ｎａｔｅ，Ｊｅｒｇｅｎｓ，Ｊｏｃｋｅｙ　Ｃｌｕｂ，ＫＣ　＆　Ｃｏｍｐａｎｙ，Ｋｅｒｉ，Ｋｅｒｏｄｅｘ５１，Ｋｉｓｓ　Ｍｙ　Ｆａｃｅ，Ｌａ　Ｂｅｌｌａ，Ｌａｃ−Ｈｙｄｒｉｎ　Ｆｉｖｅ，ＬａｃｔｉＣａｒｅ，Ｌａｄｙ　Ｅｓｔｈｅｒ，Ｌａｎｄｅｒ，Ｌａｎｏｌａｒ，Ｌａｎｔｉｓｅｐｔｉｃ，Ｌｉｔｔｌｅ　Ｆｏｒｅｓｔ，Ｌｕｂｒｅｘ，Ｌｕｂｒｉｄｅｒｍ，ＭＧ−２１７，Ｍｏｉｓｔｕｒｅｌ，Ｎａｔｅ’Ｎａｔｕｒａｌｓ，Ｎａｔｕｒａｄｅ，Ｎａｔｕｒａｌｉｆｅ，Ｎａｔｕｒｅ’ｓ　Ａｐｏｔｈｅｃａｒｙ，Ｎａｔｕｒｅｓ　Ｆａｍｉｌｙ，Ｎａｔｕｒｅ’ｓ　Ｇａｔｅ，Ｎｅｕｔｒｏｇｅｎａ，Ｎｉｖｅａ，Ｎｏｘｚｅｍａ，Ｎｕｔｒａｄｅｒｍ，Ｎｕｔｒａ−Ｅ，Ｎｕｔｒａｄｅｒｍ，Ｎｕｔｒａｐｌｕ，Ｏｉｌａｔｕｍ　Ａｄ，Ｏｉｌ　ｏｆ　Ｏｌａｙ，Ｏｐｔｉｍｕｍ　Ｓｅｒｉｅｓ，Ｏｒａｎｇｅ　Ｄａｉｌｙ，Ｐａｃｑｕｉｎ，Ｐａｌｍｅｒ’ｓ，Ｐｅｎ−Ｋｅｒａ，Ｐｅｒｆｅｃｔ　Ｓｏｌｕｔｉｏｎｓ，Ｐｅｔａｌ　Ｆｒｅｓｈ，Ｐｌｅｎｉｔｕｄｅ，Ｐｏｎｄ’ｓ，Ｐｏｒｃｅｌａｎａ，Ｐｒａｘ，Ｐｒｅｔｔｙ　Ｆｅｅｔ　＆　Ｈａｎｄｓ，Ｐｒｏｔｅｑｕｅ，Ｐｕｒｐｏｓｅ，Ｑｕｅｅｎ　Ｈｅｌｅｎｅ，Ｒｅｖｌｏｎ．Ｒｅｘ　Ｅｍｅ，ＲｏＣ，Ｒｏｓｅ　Ｍｉｌｋ，Ｓａｒａｈ　Ｍｉｃｈａｅｌｓ，Ｓａｒｎａ，Ｓｅａ　Ｂｒｅｅｚｅ，ＳＦＣ，Ｓｅｂａ　Ｎｉｌ，Ｓｈｅｐａｒｄ’ｓ，Ｓｈｉｋａｉ，Ｓｉｍｐｌｙ　Ｂｅ　Ｗｅｌｌ，Ｓｏｆｔ　Ｓｅｎｓｅ，Ｓｔａｔｅ　ｏｆ　Ｍｉｎｄ，Ｓｔ．Ｉｖｅｓ　Ｓｗｉｓｓ　Ｆｏｒｍｕｌａ，Ｓｔｉｋ，Ｓｔｒｅｔｃｈ　Ｍａｒｋ，Ｓｕａｖｅ，Ｓｕｄｄｅｎ　Ｃｈａｎｇｅ，Ｓｕｎｄａｎｃｅ，Ｓｗｅｅｎ，Ｔｈｅ　Ｈｅａｌｉｎｇ　Ｇａｒｄｅｎ，Ｔｈｅｒａｐｌｅｘ，Ｔｒｉｐｌｅ　Ｌａｎｏｌｉｎ，Ｕｎｉｖｅｒｓｉｔｙ　Ｍｅｄｉｃａｌ，Ｕ−Ｌａｃｔｉｎ，Ｕｌｔｒａ　Ｍｉｄｅ２５，Ｖａｎｉｃｒｅａｍ，Ｖａｓｅｌｉｎｅ，Ｖａｓ　Ｐｅｔ，Ｖｉｔａｌ　Ｃａｒｅ，Ｖｉｔｅｃ，Ｗｉｂｉ，Ｗｉｌｄ　Ｙａｍ　Ｃｏｍｐｌｅｘ，Ｗｏｌｔｒａ，Ｘｐｒｅｓｓｉｏｎｓ，Ｙａｒｄｌｅｙ’ｓ　ｏｆ　Ｌｏｎｄｏｎ，Ｚｉｍ’ｓ　Ｃｒａｃｋ　Ｃｒｅｍｅとして市販される製品、および最高級および一般的製造者が製造する製品のような顔の保湿剤、抗しわ剤、抗老化剤、目のトリートメントおよび、手およびボディローション製品のような各種品目に生物活性ガラスを添加する新規処方を含む。
【０１２７】
生物活性ガラスは抗炎症および抗菌性を有するのでこれらの製品に特に有用である。或る処方の温和な研磨性および高ｐＨは皮膚に研磨作用を現わしてしわを除去する。さらに、これら生物活性ガラスを添加する処方はしわにより創られる皮の影を隠すために使用できる。
生物活性ガラスを含む皮膚処方は皮膚の角膜層にＨＣＡ保護層も供する。さらに、生物活性ガラスの抗炎症作用は赤みおよび刺激を減少する一方で抗菌作用は殺菌する。
【０１２８】
一般に、顔の保湿、抗しわ、および目のケア製品または手およびボディローション製品は緩和剤、保存料およびコラーゲンを含む。
顔の保湿、抗しわ、および目のケア製品および手およびボディローション製品の共通処方は水、グリセリン、ステアリン酸、アロエゲル、グリコールステアレート、大豆ステロール、レシチン、ジメチコーン、グリセリルステアレート、セチルアルコール、珪酸アルミニウムマグネシウム、香料、カルボマー、ステアルアミドＡＭＰ、メチルパラベン、ＤＭＤＭヒダントイン、ヨードプロピニル、ブチルカルバメート、ジナトリウムＥＤＴＡ、ブチレングリコール、二酸化チタン、各種ミネラル、果実、植物およびビタミン抽出物および各種着色剤を含む。
【０１２９】
顔の保湿、抗しわ、および目のケア製品および手およびボディローション製品は１つ以上の次のものを含むこともできる。１−ヘキサデカノール、アセマンナンヒドロゲル、アセチル化ラノリンアルコール、アクリレートコポリマー、アクリレート／Ｃ１０−３０アルキルアクリレートクロスポリマー、アクリレート／カルバメートコポリマー、アラントインオクチルジメンチルｐａｂａ、アルコール、アラントインテトラＥＤＴＡ、αリポイック酸、アルミニウム澱粉オクテニルサクシネート、アンモニウムグリコレート、水酸化アンモニウム、乳酸アンモニウム、アンズケルネル油、アスコルビン酸ポリペプチド（ビタミンＣ）、アスコルビルパルミテート、アボベンゾン、蜜蝋、ベンゾフェノン−４、ベンジルアルコール、ＢＨＴ、ビスアボロイ、ブリセリルステアレート、硼酸、ブチロラクトン、Ｃ１０−３０コレステロール／ラノステロールエステル、Ｃ１２−１５アルキルベンゾエート、Ｃ１３−１４イソパラフィン、塩化カルシウム、水酸化カルシウム、硫酸カルシウム、樟脳、カプリル酸、ヒマシ油、セラミド３、セレシン、セテアレス２０、セテアリールアルコール、セテアリールオクタノエート、セテス−２４、セトリモニウムクロリド、酢酸セチル、セチルジメチコーン、セチルエステル、セチルオクタノエート、セチルパルミテート、セチルリシノールエート、クロリド、クロルフェネシン、コレカルシフェロール、コレステリルイソステアレート、コレス−２４、クエン酸、ココカプリレートカプレート、カカオ脂、ココベタイン、コロイドカラス麦粉、コポリマー、シクロメチコーン、シクロペンタシロキサン、ｄｅａ−セチルホスフェート、ｄｅａ−オレス−３ホスフェート、デルマステロン（生物活性マルチ野生いも類複合種）、ジアゾリジニルウレア、ジカプリレート／ジカプレート、ジカプリリルエーテル、ジカプリリルマレエート、ジイソプロピルセバケート、ジオクタノエート、ジオクチルサクシネート、ジプロピレングリコール、ジステアリルジモニウムクロリド、ジステアリルジモニウム、乳化剤、エトキシジグリコール、エチレンブラシレエート、エチルヘキシルＰ−メトキシシンナメート、グリセリン、ユーカリプトール、ユーカリ油、フマル酸、ゼラチン、グルコース、グリセリルジラウレート、グリコール酸、グリコプロテイン、グリシン、ＧＭＳ／ＰＥＧ１００ステアレート、グアーガム、ヘキシルラウレート、ヒアルロン酸、水素添加ヒマシ油、水素添加ラノリン、水素添加ポリイソブタン、加水分解動物タン白、ヒドロキシエチルセルロース、イミダゾリジニルウレア、イソセチルステアレート、イソデシルオレエート、イソヘキサデカン、イソプロピルイソステアレート、イソプロピルミリステート、イソプロピルパルミテート、イソステアリン酸、イソステアリルアルコール、イソステアリルベンゾエート、イソステアリルネオペンタンデート、カオリン（天然粘土）、乳酸、ラノリン、ジアゾリジニルウレア、ラウレス−２３、ラウレス−４、ラウレス−７、ラウロイルリシン、リノールアミドプロピルｐｇ−ジモニウムクロリドホスフェート、亜麻仁油、マグネシウムアスコルビルホスフェート、硫酸マグネシウム、リンゴ酸、メントール、メンチルアンステニ���ート、メンチルラクテート、メトキシプロピルグルコンアミド、メチルグリセス−２０、メチルセルロース、メチルクロロイソチアゾリノン、メチルイソチアゾール、メチルイソチアゾリノン、鉱油、ミンク油、モノグリセリドサイトレート、ミリスチルラクテート、ミリスチルミリステート、ネオペンチルグルコールジカプリレート／ジカプレート、ナイロン−１２、オクチルヒドロキシステアレート、オクチルメトキシシンナメート、ＰＥＧ−８蜜蝋、フェニルベンズイミダゾールスルホン酸、オクチルメトキシシンナメート、オクチルパルミテート、オクチルサリチレート、オクチルドデカノール、オクチルドデシルミリステート、オクチルドデシルネオペンタノエート、オレイルザルコシン、オキシベンゾン、パーム油、パルミチン酸、ＰＥＧ１００ステアレート、ＰＥＧ−１０大豆ステロール、ＰＥＧ−１００ステアレート、ＰＥＧ−１５ココアミン、ＰＥＧ−４ジラウレート、ＰＥＧ−４０ステアレート、ＰＥＧ−５グリセリルステアレート、ＰＥＧ−５０ステアレート、ＰＥＧ−８ジステアレート、ＰＥＧ−８ステアレート、ワセリン、ＰＧ−ジオクタノエート、フェノール、フェノキシエタノール、フェニルカルビノール、フェニルジメチコーン、リン脂質、ポリアクリルアミド、ポリグリセリル−３メチルグルコースジステアレート、ポリグリセリル−４イソステアレート、ポリグリセリルメタクリレート、ポリオキシル４０ステアレート、ポリソルベート２０、ポリソルベート４０、ポリソルベート６０、水酸化カリウム、ソルビン酸カリウム、ステアリン酸カリウム、プロジエステロンＵＳＰ、プロピレングリコール、ＰＶＭ／ＭＡデカジエンクロスポリマー、ＰＶＰ／エイコセンコポリマー、ＰＶＰ／ヘキサデセンコポリマー、ピリドキシンＨＣＬ（ビタミンＢ６）、クオータニウム−１５、レゾルシノール、レチニルパルミテート、サッカライドイソメレート、サリチル酸、ＳＤアルコール４０−ｂ、シアバター、絹アミノ酸、安息香酸ナトリウム、硼砂、アルギン酸ナトリウムカルシウム、ナトリウムカルボマー、塩化ナトリウム、ナトリウムＤＮＡ、ヒアルロン酸ナトリウム、ナトリウムイソステアロイルラクチレート、ナトリウムラウリルサルフェート、ナトリウムＰＣＡ、ピルビン酸ナトリウム、ステアリン酸ナトリウム、ソルビン酸、ソルビタンラウレート、ソルビタンステアレート、ソルビトール、大豆油、ワセリン特別画分、スクアラン、ステアピリウムクロリド、ステアルアミドｄｅａ、ステアルアミドプロピルＰＧ−ジモニウムクロリドホスフェート、ステアレス−２、ステアレス−２１、ステアルオキシトリメチルシラン、ステアリルアルコール、ｔｅａ，ｔｅａ−アクリレーツ／ｃ１０−３０アルキルアクリレートクロスポリマー、ｔｅａ−カルボマ−９４１、ＴＥＡ−ステアレート、４ＮａＥＤＴＡ、トランス−ベクター−受渡し系（リポコ−ポリマー複合体）、トリ−サイトレート、トリカプリン、トリデシルステアレート、トリデシルトリメリテート、トリエタノールアミン、トリイソセチルサイトレート、トリラウリン、トリナトリウムＥＤＴＡ、トロルアミン、ウレア、羊毛ワックス、アルコール、コラーゲン、エラスチン、プロピルパラベン、ＰＥＧ−４０、ナトリ���ムセテアリールサルフェート、ステアリルアルコール、クオータニウム−２２、水酸化ナトリウムおよびシリカ。
【０１３０】
本発明は上記任意成分の組合せに生物活性ガラスを添加することにより顔の保湿、抗しわおよび目ケア製品および手およびボディローション製品の新規処方を供する。
下記例９および１０はゾル−ゲル由来生物活性ガラスを含む生物活性ガラスを添加する皮膚ローション／メーキャップベースおよびクリームファンデーションメーキャップ処方の代表的態様を供する。
例９：ゾル−ゲル由来生物活性ガラスを有する皮膚
ローション／メーキャップベースの組成
2004500404.tif 000013
例１０：Ｂｉｏｇｌａｓｓ処方ＣＰＤ３−３４Ａ，Ｂ，Ｃを
有するクリームファンデーションメーキャップ
2004500404.tif 000014
観察：３４Ｂおよび３４Ｃの双方は３４Ａ（タルク処方）以上に一層一様に適用され、および双方は乾燥後３４Ａより油性が非常に少なく感じられる。３４Ｃは３４Ｂより油性が少ない。
【０１３１】
フットケア製品
本発明はＡｂｓｏｒｂｉｎｅ　Ｊｒ．，Ａｆｔａｔｅ，Ａｌｏｅ　Ｖｅｓｔａ，Ａｌｐｈａ　Ｈｙｄｒｏｘ，ＢＦＩ，Ｂａｚａ，Ｂｌｉｓ−ｔｏ−Ｓｏｌ，Ｂｒｉｔｅ−Ｌｉｆｅ，Ｃａｒｒｉｎｇｔｏｎ，Ｃｒｕｅｘ，Ｄｅｓｅｎｅｘ，Ｄｅｓｅｒｔ　Ｅｓｓｅｎｃｅ，Ｄｒ．Ｓｃｈｏｌｌ’ｓ，Ｅａｒｔｈ　Ｔｈｅｒａｐｅｕｔｉｃｓ，Ｆｏｕｇｅｒａ，Ｆｒｅｅｍａｎ，Ｆｕｎｇｉ　Ｃａｒｅ，Ｆｕｎｇｉｃｌｅａｒ，ＦｕｎｇｉＣｕｒｅ，Ｆｕｎｇｉｎａｉｌ，Ｆｕｎｇｉ　Ｎａｉｌ，Ｆｕｎｇｕｓ　Ｓｔｏｐ，Ｇｏｌｄ　Ｂｏｎｄ，Ｈｅａｌｔｈ　ａｔ　Ｈｏｍｅ，Ｊｏｈｎｓｏｎ’ｓ，ＬＡ　Ｃｒｏｓｓ，Ｌａｍｉｓｉｌ，Ｌｏｔｒｉｍｉｎ，Ｍａｖｉｓ，Ｍｉｃａｔｉｎ，Ｍｉｃｏｎａｚｏｌｅ，Ｎｅｕｔｒｏｇｅｎａ，ＮＰ−２７，Ｏｄｏｒ−Ｅａｔｅｒｓ，Ｏｒｌｙ，Ｏｕｔｇｒｏｗ，Ｐａｒｅｘ，Ｐｉｎａｕｄ，Ｐｏｄｉａｃｉｎ，Ｐｒｅｔｔｙ　Ｆｅｅｔ　＆　Ｈａｎｄｓ，Ｑｕｉｎｓａｎａ，Ｓｔ．Ｉｖｅｓ　Ｓｗｉｓｓ　Ｆｏｒｍｕｌａ，Ｓｗｅｅｎ，Ｔｅｔｔｅｒｉｎｅ，Ｔｉｎａｃｔｉｎ，Ｔｉｎｇ，ＴｉｎｇＡＦ，Ｔｒｉｍ．Ｔｒｉｐｌｅ　Ｃａｒｅ，Ｖａｓｅｌｉｎｅ，Ｚｅａｓｏｒｂのブランド名で市販される製品、および最高級および一般的製造者が製造する製品のような運動家の足、真菌類の状態および臭いを処理する製品および足用軽石製品を含むフットケア製品の各種品目に生物活性ガラスを添加する新規組成物を含む。
【０１３２】
生物活性ガラスを含むフットケア処方は抗菌性であり、やわらげる効果を創る。生物活性ガラスの抗菌効果は生物活性ガラスをフットケア製品に特に適するようにする抗真菌性を含む。さらに、生物活性ガラスの吸湿性は足の水分減少を助ける。生物活性ガラスは足用軽石を得るのに使用でき、または軽石に添加することもできる。例えば、粉末は任意の許容できる方法により焼結して足用軽石に使用する多孔性固体物質を得ることができる。
【０１３３】
一般に、フットケア製品は活性成分アリルアミン、アゾール、グリセオフルビン、オキシコナゾールまたはトリナフテートを含む。
フットケア製品の共通処方はトルナフテート、亜鉛ウンデシルネート、コナゾール、硝酸塩、コーン澱粉、酸化亜鉛、カオリンおよびベンズエソニウムクロリドを含む。
【０１３４】
フットケア製品は１つ以上の次の不活性成分を含むこともできる。即ち、アセトン、アクリレートコポリマー、アルジオキサ、ベヘノキシジメチコーン、金セン花属、炭水化物アクリルコポリマー、セテアレス−６、クロロキシレノール、ジアゾリジニル尿素、エデト酸ジナトリウム、香料、イミドウレア、ヨウ素、イソブタン、イソプロピルミリステート、メントール、微孔性セルロース、一塩基性リン酸ナトリウム、ステアリルアミドエチルジエタノールアミン、ミリスチルミリステート、ポリソルベート６０、ポリソルベート８０、ヨウ化カリウム、クオータニウム、ＳＤアルコール４０、重炭酸ナトリウム、ステアリルアルコニウムヘクトライト、ステアリルアミドエチルジエチルアミン、ステアリン酸、ステアリルアルコール、タルク、チモール、トリグリセリルジイソステアレート、ニガヨモギ油、キサンタンガム、水、サリチル酸、サリチル酸メチル、ベントナイト、樟脳、ベンズエトニウムクロリド、テルビナフィン塩酸塩、ベンジルアルコール、セチルアルコール、セチルパルミテート、水酸化ナトリウム、ソルビタンモノステアレート、澱粉、ステアリン酸マグネシウムおよび各種ハーブ、植物および鉱物抽出物。
本発明は上記任意成分の組合せに生物活性ガラスを添加することによりフットケア製品の新規組成物を供する。
【０１３５】
抗−かゆみ製品
本発明はＡ＆Ｄ　Ｏｉｎｔｍｅｎｔ，Ａｆｔｅｒ　Ｂｉｔｅ，Ａｍｅｒｉｃａｉｎｅ，Ａｑｕａｐｈｏｒ，Ａｒｃｔｉｃ　Ｓｐｒａｙ，Ａｖｅｅｎｏ，Ｂａｃｉｇｕｅｎｔ，Ｂａｃｔｉｎｅ，Ｂｅｎａｄｒｙｌ，Ｂｅｔａｄｉｎｅ，Ｂｌｕｅ　Ｓｔａｒ，Ｂｏｉｌ　Ｅａｓｅ，Ｃａｌａｄｒｙｌ，Ｃａｌｄｅｃｏｒｔ，Ｃａｍｐｈｏ−Ｐｈｅｎｉｑｕｅ，Ｃｈｉｇｇｅｒｅｘ，Ｃｏｒｔａｉｄ，Ｃｏｒｔｉｚｏｎｅ，Ｄｅｒｍａｒｅｓｔ，Ｄｅｒｍｏｐｌａｓｔ，Ｅｘｏｒｅｘ，Ｆｏｉｌｌｅ，Ｇｏｌｄ　Ｂｏｎｄ，Ｇｏｏｄ　Ｓｅｎｓｅ，Ｈｕｍｃｏ，Ｉｔｃｈ−Ｘ，Ｉｖａｒｅｓｔ，Ｉｖｙ　Ｂｌｏｃｋ，Ｉｖｙ−Ｄｒｙ，ＫｅｒｉＣｏｒｔ−１０，Ｌａｎａｂｉｏｔｉｃ，Ｌａｎａｃａｎｅ，Ｌａｎａｃｏｒｔ，Ｌｏｔｒｉｍｉｎ，Ｍｅｄｉ−Ｑｕｉｋ，Ｍｉｃａｔｉｎ，Ｍｙｃｉｔｒａｃｉｎ，Ｎｅｏｓｐｏｒｉｎ，Ｎｕｐｅｒｃａｉｎａｌ，Ｐｏｌｙｓｐｏｒｉｎ，Ｒｈｕｌｉ，Ｓａｒｎｏｌ−ＨＣ，Ｓｏｌａｒｃａｉｎｅ，Ｓｔｉｎｇ　Ｋｉｌｌ，Ｔｅｃｎｕ，Ｔｅｇｒｉｎ，Ｔｉｎａｃｔｉｎ，Ｕｎｇｕｅｎｔｉｎｅのブランド名で市販される製品、および最高級および一般的製造者が製造する製品のような抗−かゆみ製品の各種品目に生物活性ガラスを添加する新規処方を含む。
【０１３６】
一般に、抗−かゆみ製品は活性成分ベンゾカイン、ノバカインまたはバシトラシンを含む。
抗−かゆみ製品の共通処方は樟脳、ベンゾカイン、プラモキシン塩酸塩、酢酸亜鉛、またはハイドロコーチゾンから成る活性成分を含む。
【０１３７】
抗−かゆみ製品は１つ以上の次の不活性成分を含むこともできる。即ち、１−ヘキサデカノール、５−クロロ−２−メチル−４−イソチアゾリン−３−オン（および）２−メット、酢酸、接着剤、アルコール、アロエベラ、硫酸アルミニウム、アンモニア、ベンズアルコニウムクロリド、ベンジルアルコール、ビスアボロール、ブチレングリコール、カラミン、酢酸カルシウム、カルボマー、セレシン、セテアレス−２０、セテアリールアルコール、セテス−２、セチルアルコール、セチルパルミテート、クロロチモール、クエン酸、コールタール溶液、ジアゾリジニル尿素、ジメチコーン、ジオクチルナトリウムスルホサクシネート、ジフェンヒドラミン塩酸塩、ジナトリウムＥＤＴＡ、ジステアリルジモニウムクロリド、エデテートジナトリウム、エトキシジグリコール、香料、グリセリン、グリセリルステアレートＳＥ、グリセリルトリベヘネート、ヒドロキシプロピルメチルセルロース、ヒドロキシプロピルセルロース、ヨードプロピルブチルカルバメート、イソブタン（噴射剤）、イソプロパノール、イソプロピルアルコール、イソプロピルミリステート、イソプロピルパルミテート、イソステアリルネオペンタノエート、カラヤ、ラネス−１６、ラノリン、ラウレス−２３、リドカイン塩酸塩、マルトデキストリン、メントール、イソプロピルアルコール、メチルグルセス−２０、サリチル酸メチル、メチルパラベン、鉱油、カラス麦粉、オクトキシノール−９、オリーブ油、パンテノール、ＰＥＧ−２オレエート、ワセリン、ポリエチレングリコール、ポリソルベート４０、水酸化カリウム、ジャガイモデキストリン、ＰＰＧ−１トリデセス−６、プロピレングリコール、プロピルパラベン、ＳＤアルコール３８−ｂ、ＳＤアルコール４０、アクリル酸ナトリウムコポリマー、硼砂、ナトリウムセテアリールサルフェート、塩化ナトリウム、クエン酸ナトリウム、ラウリル硫酸ナトリウム、ステアレス−２、ステアレス−２１、ステアリン酸、ステアリルアルコール、スチレン／アクリレートコポリマー、硫酸化ヒマシ油、チモール、二酸化チタン、トコフェリルアセテート、トリエタノールアミン、各種着色剤、水、白色ワセリン、白色ワックス、酸化亜鉛、亜鉛ピリチオン、パラフィン、黄色ワックス、マルトデキストリン、および各種果実、野菜、鉱物およびビタミン抽出物。
本発明は上記任意成分の組合せに生物活性ガラスを添加することにより抗−かゆみ製品の新規組成物を供する。
【０１３８】
抗菌、防腐、抗生物質および応急処置製品
本発明はＡｂｓｏｒｂｉｎｅ，Ｂ−Ｄ，Ｂａｃｉｇｕｅｎｔ，Ｂａｃｔｉｎｅ，Ｂａｇ　Ｂａｌｍ，Ｂｅｎ　Ｇａｙ，Ｂｅｔａｄｉｎｅ，Ｂｅｔａｓｅｐｔ，ＢＦＩ，Ｂｌｕｅ　Ｓｔａｒ，Ｂｏｉｌ　Ｅａｓｅ，Ｂｒｉｔｅ−Ｌｉｆｅ，Ｃａｍｐｈｏ−Ｐｈｅｎｉｑｕｅ，Ｃａｒｒａｋｌｅｎｚ，Ｃｌｉｎｉｐａｄ，Ｃｌｏｃｒｅａｍ，Ｄｅｒｍｏｐｌａｓｔ，Ｄｙｎａ−ｈｅｘ，Ｆａｍｉｌｙ　Ｍｅｄｉｃ，Ｆｌｅｘ−Ａｌｌ，Ｆｏｕｇｅｒａ，Ｇｌｏｖｅｒ’ｓ，Ｇｏｌｄ　Ｂｏｎｄ，Ｇｏｏｄ　Ｓｅｎｓｅ，Ｈｉｂｉｃｌｅｎｓ，Ｈｉｂｉｓｔａｔ，Ｈｕｍｃｏ，Ｉｏｄｅｘ，Ｊｏｈｎｓｏｎ　＆　Ｊｏｈｎｓｏｎ，Ｌａｎａｂｉｏｔｉｃ，Ｌａｎａｃｏｒｔ，Ｌａｎｄｅｒ，Ｌａｎｏｃａｎｅ，Ｌａｖｏｃａｌ，Ｍｅｄｉ−Ｑｕｉｋ，Ｍｅｎｔｈｏｌａｔｕｍ，Ｍｉｎｅｒａｌ　Ｉｃｅ，Ｍｙｃｉｇｕｅｎｔ，Ｍｙｃｉｔｒａｃｉｎ，Ｎｅｏｓｐｏｒｉｎ，Ｎｅｘｃａｒｅ，Ｐｏｌｙｓｐｏｒｉｎ，Ｒｅｓｉｎｏｌ，Ｓａｙｍａｎ，Ｓｅｎｓｏｇａｒｄ，Ｓｐｅｃｔｒｏｃｉｎ，Ｓｐｏｒｔｓｃｒｅｍｅ，Ｓｔｏｐａｉｎ，Ｓｗａｎ，Ｔｏｐ　Ｃａｒｅ，Ｕｎｇｕｅｎｔｉｎｅ，Ｖｉｃｋｓ，Ｚｅｐｈｉｒａｎ　Ｃｈｌｏｒｉｄｅのブランド名で市販される製品、および最高級および一般的製造者が製造する製品のような抗菌、防腐、抗生物質および応急処置製品の各種品目に生物活性ガラスを添加する新規処方を含む。
【０１３９】
一般に、抗菌、防腐、抗生物質、および応急処置製品はアルコール、過酸化水素、ポボ−ヨウ素、フェノールまたはレゾルシノールを含む。
抗菌、防腐、抗生物質および応急処置製品の共通処方はポリミキシンＢサルフェート、バシトラシン亜鉛、ネオマイシンおよびプラモキシン塩酸塩の組合せから成る活性成分を含む。
【０１４０】
抗菌、防腐、抗生物質、および応急処置製品は１つ以上の次の不活性成分を含むこともできる。即ち、バシトラシン、ベンズアルコニウムクロリド、安息香酸、ビスマスフォーミックヨーダイド、ブチルパラベン、樟脳、コレステロール化軟膏、クエン酸、塩基、二塩基リン酸ナトリウム、エデト酸ジナトリウム、乳化ワックス、イソプロピルアルコール、リコカイン塩酸塩、グリセリン、過酸化水素、イミドウレア、イソプロピルアルコール、軽鉱油、炭酸マグネシウム、メントール、メチルパラベン、微結晶ワックス、オクトキシノール−９、ワセリン、リン酸、ポロクサマ−１８８、ポリミキシンＢサルフェート、ソルビン酸カリウム、プラモキシン塩酸塩、プロピレングリコール、シリカ、安息香酸ナトリウム、ラウリル硫酸ナトリウム、ピロ亜硫酸ナトリウム、チモリ、トコフェリルアセテート、水、白色ワセリンおよび亜鉛フェノールスルフェネート。
本発明は上記任意成分の組合せに生物活性ガラスを添加することにより抗菌、防腐、抗生物質、および応急処置製品の新規組成物を供する。
【０１４１】
微粒生物ガラスの処方は傷の治癒に必要な時間量を劇的に低減でき、および自然の治癒プロセスを促進できる組成物を与える。これらの処方の効果は傷の治癒能力がいくらか抑制される免疫性妥協患者でもっとも劇的に説明される。
【０１４２】
傷、火傷およびすり傷に有用な微粒生物活性ガラスは一般に次の組成（重量％）を有する。
成　分　　　　　　　　 　　％
ＳｉＯ２ 　　　　　　　　４０−６０
ＣａＯ　　　　　　　　 １０−３０
Ｎａ２ Ｏ　　　　　　　　１０−３５
Ｐ２Ｏ５２−８
ＣａＦ２ 　　　　　　　　０−２５
Ｂ２Ｏ３０−１０
Ｋ２ Ｏ　　　　　　　　　０−８
ＭｇＯ　　　　　　　　 ０−５
生物活性ガラスの好ましい組成は：
ＳｉＯ２ 　　　　　　　　４５
ＣａＯ　　　　　　　　 ２４．５
Ｎａ２ Ｏ　　　　　　　　２４．５
Ｐ２ Ｏ５６
生物活性ガラスの好ましい粒度範囲は小さく、９０μ未満が推奨される。１０μ未満および２μ未満の粒度も使用できる。このような小寸法範囲の粒子は一般に何らかの望ましくない免疫応答がなく有効である。
【０１４３】
局所抗生物質は皮膚トリートメントに適する抗生物質である。このような抗生物質の例はクロラムフェニコール、クロルテトラサイクリン、クリンダマイシン、クリオクニノール、エリスロマイシン、フラマイセチン、グラムイシジン、フシデイン酸、ゲンタマイシン、マフェナイド、ムピロイシン、ネオマイシン、ポリミキシンＢ、バシトラシン、シルバースルファジアジン、テトラサイクリンおよびクロロテトラサイクリンである。当業者は、例えばＵ．Ｓ．Ｐ．Ｄにリストされるもののような他の適当な局所抗生物質があることを認めるであろう。
【０１４４】
生物活性ガラスおよび局所抗生物質は任意の医薬的に許容しうるキャリアに組合せて傷、火傷またはすり傷に対する適用を有利にすることができる。これらの組成物は軟膏、白色ワセリン、鉱油および当業者に既知の他の物質と組合せることができる。
これらの生物活性ガラスおよび局所抗生物質組成物は他の傷、火傷およびすり傷治療剤またはコラーゲン、フィブリン、フィブロネクチン、ビタミンＥ、ガーゼ、棉、セルロース、合成の傷または火傷手当用品のような手当て用品および当業者に既知の他の傷または火傷手当て用品／治療剤と組合せることもできる。繊維ガラスおよび生物活性ガラスの繊維から製造された繊維ガラスの手当て用品も使用できる。
【０１４５】
生物活性ガラスは皮膚の移植に使用することもでき、微粒生物活性ガラスは意図する場所に置く前に移植皮片に添加することができる。移植皮片は移植前局所抗生物質によりさらに処理することもできる。生物ガラスの移植皮片への適用は、移植皮片が宿主のベッドに「取りこみ」、組込む見込みを増加するためのものである。
【０１４６】
何らかの特別の理論又は機作に縛られないが、高表面積および微粒生物活性ガラスの反応性はナトリウムを遊離して傷または火傷のｐＨを上げ、酸素を増加するが、そうでなければこれらのｐＨはより低い。これは生物活性ガラスを使用する場合、および組織補修に関係する各種生長要素を活性化することにより機能できる抗生物質と組合せて使用する場合、抗菌効果を有する。これらの反応はガラス表面に一層高いマイナス荷電表面および高い特異的表面積（例えば、０．５ｍ２／ｇ  １２時間までに）の発達を生じこれはコラーゲン、フィブロネクチンおよび細胞を引きつける。さらに、生物活性ガラスは傷分泌物および血液に天然に存在するカルシウムおよびリンの沈澱を生じ、これはコラーゲン、フィブリンおよびフィブロネクチンを添加して傷を急速かつ有効に安定化できるカルシウムおよびリン層を急速形成させる。いくつかの場合、本発明の組成物または方法により治癒した傷、火傷またはすり傷は痂皮形成の必要なく治癒する。すなわち、新しい上皮組織が直接形成される。
【０１４７】
生物活性ガラスを抗生物質と併用する場合、傷、火傷、またはすり傷に適用直前に微粒生物活性ガラスと抗生物質を混合することが好ましい。従って、微粒生物活性ガラスと局所抗生物質は２部分系に入れ、そこで生物活性ガラスと局所抗生物質は混合され、同時に適用される。例えば、２つの別の貯蔵室および混合室を有する２部分混合シリンジは使用できる。他の２部分系も使用できる。例えば、微粒生物活性ガラスは包帯に添加することができ、局所抗生物質は傷、火傷またはすり傷に適用し、次に包帯を適用できる。別法では、他の２部分分配系は使用できる。
【０１４８】
石鹸および浴用塩製品
本発明はＡｂｒａ，Ａｌｂａ　Ｂｏｔａｎｉｃａ，Ａｌｂｏｌｅｎｅ，Ａｌｏｅ　Ｖｅｒａ８０，Ａｌｐｈａ　Ｈｙｄｒｏｘ，Ａｒｏｍａ，Ａｕｒａ　Ｃａｃｉａ，Ａｕｓｓｉｅ，Ａｖｅｅｎｏ，Ｂａｂｙ　Ｍａｇｉｃ，Ｂａｌｍｅｘ，Ｂａｒｅ　Ｅｌｅｇａｎｃｅ，Ｂａｓｉｓ，Ｂｏｄｙ　＆　Ｅａｒｔｈ，Ｂｏｄｙｃｏｌｏｇｙ，Ｂｕｂｂｌｅ　Ｆａｃｔｏｒｙ，Ｂｕｒｔ’ｓ　Ｂｅｅｓ，Ｃａｌｇｏｎ，Ｃａｍａｙ，Ｃａｐｒｉ，Ｃａｒｅｓｓ，Ｃａｒｒｉｎｇｔｏｎ，Ｃａｓｈｍｅｒｅ　Ｂｏｕｑｕｅｔ，Ｃｅｔａｐｈｉｌ，Ｃｌａｉｒｏｌ，Ｃｌｅａｒａｓｉｌ，Ｃｌｅａｒｌｙ　Ｎａｔｕｒａｌ，Ｃｏａｓｔ，Ｃｏｎｔｉ　Ｃａｓｔｉｌｅ，Ｃｕｔｉｃｕｒａ，Ｄｅｒｍａｌａｂ，Ｄｅｓｅｒｔ　Ｅｓｓｅｎｃｅ，Ｄｉａｌ，Ｄｏｖｅ，Ｅａｒｔｈ　Ｔｈｅｒａｐｅｕｔｉｃｓ，Ｅｕｃｅｒｉｎ，Ｅｘｏｒｅｘ，Ｆａ，Ｆｅｌｓ　Ｎａｐｔｈａ，Ｆｏｒｍｕｌａ４０５，Ｇｉｌｌｅｔｔｅ，Ｇｒａｎｄｐａ’ｓ，Ｈｕｍｃｏ，Ｉｒｉｓｈ　Ｓｐｒｉｎｇ，Ｉｖｏｒｙ，Ｊａｓｏｎ，Ｊｅａｎ　Ｎａｔｅ，Ｊｅｒｇｅｎｓ，Ｊｏｈｎｓｏｎ　＆　Ｊｏｈｎｓｏｎ，Ｊｏｈｎｓｏｎ’ｓ，Ｋｅｒｉ，Ｋｉｒｋｓ　Ｃａｓｔｉｌｅ，Ｋｉｓｓ　Ｍｙ　Ｆａｃｅ，Ｌａｖａ，Ｌｅｖｅｒ２０００，ＬｉｆｅＢｕｏｙ，Ｌｉｎｄｏｒａ，Ｌｏｗｉｌａ，Ｌｕｂｒｉｄｅｒｍ，Ｌｕｘ，Ｍａｓａｄａ，Ｍｏｉｓｔｕｒｅｌ，Ｎａｔｅ’Ｎａｔｕｒａｌｓ，Ｎａｔｕｒａｄｅ，Ｎａｔｕｒｅ’ｓ　Ｇａｔｅ，Ｎｅｕｔｒｏｇｅｎａ，Ｎｉｖｅａ，Ｎｏ　Ｒｉｎｓｅ，Ｎｏｘｚｅｍａ，Ｏｉｌ　ｏｆ　Ｏｌａｙ，Ｏｉｌａｔｕｍ，Ｐａｃｋｅｒ’ｓ，Ｐａｌｍｏｌｉｖｅ，ＰａｎＯｘｙｌ　Ｂａｒ，Ｐｈｉｓｏｄｅｒｍ，Ｐｏｌｙｔａｒ，Ｐｕｒｅｌｌ，Ｐｕｒｅ　＆　Ｎａｔｕｒａｌ，Ｐｕｒｅ　Ｐｌｅａｓｕｒｅ，Ｐｕｒｐｏｓｅ，Ｒｅｖｌｏｎ，Ｓａｆｅｇｕａｒｄ，Ｓａｎ　Ｆｒａｎｃｉｓｃｏ　Ｓｏａｐ，Ｓａｒａｈ　Ｍｉｃｈａｅｌｓ，Ｓａｙｍａｎ，Ｓｈｉｅｌｄ，Ｓｈｉｋａｉ，Ｓｉｍｐｌｙ　Ｂｅ　Ｗｅｌｌ，Ｓｏｆｔｓｏａｐ，Ｓｔｉｅｆｅｌ，Ｓｔ．Ｉｖｅｓ　Ｓｗｉｓｓ　Ｆｏｒｍｕｌａ，Ｓｔａｔｅ　ｏｆ　Ｍｉｎｄ，Ｓｕａｖｅ，Ｓｕｍｍｅｒ’ｓ　Ｅｖｅ，Ｓｗｅｅｎ，Ｔｈｅ　Ｈｅａｌｉｎｇ　Ｇａｒｄｅｎ，Ｔｏｍ’ｓ　ｏｆ　Ｍａｉｎｅ，Ｔｏｎｅ，Ｕｌｔｒａ　Ｓｗｉｍ，Ｖａｓｅｌｉｎｅ，Ｖｅｌ　Ｂｅａｕｔｙ　Ｂａｒ，Ｖｉｌｌａｇｅ　Ｎａｔｕｒａｌｓ，Ｗｈｉｔｅ　Ｒａｉｎ，Ｙａｒｄｌｅｙ’ｓ　ｏｆ　Ｌｏｎｄｏｎ，Ｚｅｓｔのブランド名で市販される製品および最高級および一般的製造者が製造する製品のような浴用およびシャワー用のバー、液、ゲル形石鹸、および浴用塩の各種品目に生物活性ガラスを添加する新規処方を含む。
【０１４９】
生物活性ガラスの抗菌性は石鹸処方に特に有用である。さらに、石鹸製造は一般に無水方法であるので、このような処方の創製は比較的簡単な方法である。或る粒度を有する生物活性ガラスは研磨効果を有し、特にハンドソープ（すなわち「Ｌａｖａ」）に適する。さらに、生物活性ガラスは或る顔の洗浄剤に含まれるポリマービーズに似た長球にすることができる。
生物活性ガラスの抗炎症性は浸漬および抗かゆみ浸漬製品の双方に特に有用である。このような新規製品は赤みおよび皮膚刺激を低減する。
【０１５０】
一般に、浴用およびシャワー用のバー、液体およびゲル形石鹸および浴用塩製品は水酸化ナトリウムまたはアンモニウム、タロ−、ココナツまたはパーム核油および香料を含む。
浴用およびシャワー用のバー、液体およびゲル形石鹸および浴用塩製品の共通処方はトリクロカーボン、石鹸、ナトリウムタロ−エート、パルミチン酸ナトリウム、ナトリウムココエート、パーム核油タイプ、水、ＰＥＧ−６、メチルエーテル、香料、グリセリン、ソルビトール、塩化ナトリウム、４Ｎａエチブロネート、５Ｎａペンテテート、ＢＨＴおよび各種着色剤を含む。
【０１５１】
浴用およびシャワー用のバー、液体およびゲル形石鹸および浴用塩製品は１つ以上の次のものを含むこともできる。即ちアセトアミドプロピルトリモニウムクロリド、アルキルアリールポリエーテルアルコール、アラントイン、アミノメチルプロパノール、アンモニウムラウレスサルフェート、アンモニウムラウリルサルフェート、ベヘンアミドプロピルｐｇ−ジモニウムクロリド、ベンゾフェノン４、ＢＨＴ、ビオチン、硼酸、Ｃ１２−１５アルキルベンゾエート、カルシウムペントテネート、カルボマー、セチルアルコール、水酸化クロムグリーン、ココアミドＤＥＡ、ココアミドプロピルオキシド、カカオ脂、ココベタンＰＥＧ−１８、ココグリセリルエーテルスルホネート、ココナツ脂肪酸、コーン油、綿実油、デシルグルコシド、ジアゾリジニルウレア、ジメチコーン、ジメチコーンコポリオール、ジナトリウムココイル、ジナトリウムＥＤＴＡ、リン酸２ナトリウム、ＥＤＴＡ、エトキシジグリコール、エチルアルコール、エチドン酸、エチドロン酸、グリセリルラウレート、グリコールステアレート、グリコリピド、グアーヒドロキシプロピルトリモニウムクロリド、ヘキシレングリコール、加水分解絹タン白、ヒドロキシプロピル、ヒドロキシプロピルメチルセルロース、イミダゾリジニルウレア、ヨードプロピルブチルカルバメート、イソプロピルラノレート、イソプロピルミリステート、ラノリン油、ラウルアミドＤＥＡ、ラウルアミドＭＥＡ、ラウレス−１０、ラウレス−２３、ラウリン酸、ラウリルアルコール、ラウリルサルフェート、レシチン、レモンジュース、リノールアミドＤＥＡ、マグネシウムココエート、マグネシウムラウレート、マグネシウムステアレート、メチル−グルセス−１０、メチルグルセス−２０、メチルセルロース、メチルクロロイソチアゾリノン、メチルイソチアゾリノン、メチルパラベン、鉱油、オレエート／ココエート、オレイルアルコール、オレイルラクテート、パーム酸、パルミチン酸、パラフィン、ＰＥＧ５５プロピレングリコールオレエート、ＰＥＧ７グリセリルココエート、ＰＥＧ−１２、ＰＥＧ−１２０メチルグルコースジオレエート、ＰＥＧ−２０、ＰＥＧ−３ジステアレート、ＰＥＧ−５Ｍ、ＰＥＧ−７５、ＰＥＧ−８、ＰＥＧ−９０Ｍ、ワセリン、フェノキシエタノール、ポリクオータニウム−１０、ポリクオータニウム−２２、ポリソルベート２０、ＰＰＧ−５−セテス−２０、プロピレングリコール、プロピルパラベン、レチニルパルミテート、絹ペプチド、安息香酸ナトリウム、クエン酸ナトリウム、ナトリウムコクグリセリルエーテルスルホネート、ナトリウムココイルグルタメート、ナトリウムココイルイソチオネート、ナトリウムドデシルベンゼンスルホネート、ナトリウムドデシルベンゼンスルホネート、蟻酸ナトリウム、水酸化ナトリウム、イセチオン酸ナトリウム、ナトリウムラウレート、ナトリウムウラレスサルフェート、ナトリウムラウロイルラクチレート、ナトリウムラウロイルザルコシネート、ナトリウムミレスサルフェート、ナトリウムパームケルネレート、ナトリウムリシノールエート、ステアリン酸ナトリウム、ナトリウムスチレン／アクリレートコポリマー、ナトリウムスチレネルアクリレート／ジビニルベンゼンコポリマー、硫酸ナトリウム、ステアリルアミドプロピルＰＧ−ジモニウムクロリドホスフェート、ステアリン酸、ヒマワリ種実油、タロ−酸、ｔｅａラウリルサルフェート、ｔｅａ−オレエート、ＴＥＡ−ステアレート、二酸化チタン、トコフェリルアセテート、トリクロサン、ナトリウムＣ１４−１６オレフィンスルホネート、トリエタノールアミン、３Ｎａ　ＥＤＴＡ、３Ｎａエチドロネート、３Ｎａ　ＨＥＤＴＡ、ウルトラマリンブルー、ナトリウムラウレスサルフェート、水、ジナトリウムラウレススルホサクシネート、ココアミドプロピルベタイン、ナトリウムラウレス−１３カルボキシレート、香料、グリセリン、パンテノール、アロエゲル、塩化アンモニウム、ＤＭＤＭヒダントイン、ＰＥＧ−１５０ジステアレート、グリコールジステアレート、クエン酸、ポリクオータニウム−７、ココアミドＭＥＡ、４Ｎａ　ＥＤＴＡ、ラウレス−７、各種着色剤および各種植物、鉱物およびビタミン抽出物。
【０１５２】
本発明は生物活性ガラスを上記任意成分の組合せに添加することにより浴用およびシャワー用のバー、液体およびゲル形石鹸および浴用塩製品の新規処方を供する。
【０１５３】
シャンプーほぐし製品、毛髪ムース、毛髪用ゲルおよび毛髪スプレー製品
本発明はＡｄｏｒｎ，Ａｇｒｅｅ，Ａｌｂｅｒｔｏ　ＶＯ５，Ａｌｌｅｒｃｒｅｍｅ，Ａｌｏｅ　Ｖｅｒａ８０，Ａｍｅｒｉｃａｎ　Ｃｒｅｗ，Ａｑｕａ　Ｎｅｔ，Ａｕｓｓｉｅ，Ａｕｓｓｉｅ　Ｌａｎｄ，Ｂａｂｙ　Ｍａｇｉｃ，Ｂａｌｓａｍ，Ｂｒｅｃｋ，Ｂｒｉｔｅ−Ｌｉｆｅ，Ｂｒｙｌｃｒｅｅｍ，Ｃｉｔｒｅ　Ｓｈｉｎｅ，Ｃｌａｉｒｏｌ，Ｃｏｌｏｒ　Ｓｏｆｔ，Ｃｏｎｄｉｔｉｏｎ３−ｉｎ−１，Ｃｏｎｓｏｒｔ，Ｃｏｒｔｅｘｘ，ＤｅｅｐＥａｒｔｈ，Ｄｅｎｏｒｅｘ，Ｄｅｐ，ＤＨＳ，Ｄｉｐｐｉｔｙ−Ｄｏ，Ｄｒｙ　Ｌｏｏｋ，Ｄｒｙ　Ｓｔｙｌｅ，Ｅｌｔａ，Ｅｕｒｏｐｅａｎ　Ｍｙｓｔｉｑｕｅ，Ｆｉｎａｌ　Ｎｅｔ，Ｆｉｎｅｓｓｅ，Ｆｌｅｘ，Ｆｒｅｅ　ａｎｄ　Ｃｌｅａｒ，Ｆｒｅｅｍａｎ，Ｆｒｅｅｚｅ　Ｉｔ，Ｆｒｉｚｚ　Ｃｏｎｔｒｏｌ，Ｆｒｉｚｚ　Ｅａｓｅ，Ｇａｒｄｅｎ　Ｂｏｔａｎｉｋａ，Ｇｉｌｌｅｔｔｅ，Ｇｏｏｄ　Ｓｅｎｓｅ，Ｇｒｏｏｍ　Ｃｌｅａｎ，Ｈａｓｋ，Ｈｅａｄ　＆　Ｓｈｏｕｌｄｅｒｓ，Ｈｅｎｎａ　Ｇｏｌｄ，Ｈｅｒｂｏｌｄ，Ｉｎｆｕｓｉｕｍ２３，Ｉｏｎｉｌ　Ｔ，Ｉｖｏｒｙ，Ｊａｓｏｎ，Ｊｅｒｉｓ，Ｊｈｅｒｉ　Ｒｅｄｄｉｎｇ，Ｊｈｉｒｍａｃｋ，Ｊｏｈｎ　Ｆｒｉｅｄａ，Ｊｏｈｎｓｏｎ　＆　Ｊｏｈｎｓｏｎ，Ｊｏｈｎｓｏｎ’ｓ，Ｊｏｉｃｏ，Ｋｉｓｓ　Ｋｉｄｓ，Ｋｉｓｓ　Ｍｙ　Ｆａｃｅ，Ｌａ　Ｂｅｌｌａ，Ｌ．Ａ．Ｌｏｏｋｓ，Ｌａｎｄｅｒｓ，Ｌｏｏｎｅｙ　Ｔｕｎｅｓ，Ｌ’Ｏｒｅａｌ，Ｌｏｖｉｎｇ　Ｃａｒｅ，Ｍａｒｃｉ　Ｇｅｌｌｅ，Ｍａｎｅ’ｎ　Ｔａｉｌ，Ｍｉｎｋ　Ｄｉｆｆｅｒｅｎｃｅ，Ｎｅｓｔｌｅ，Ｎｅｕｔｒｏｇｅｎａ，Ｎｅｘｘｕｓ，Ｎｉｚｏｒａｌ，Ｎｏ　Ｒｉｎｓｅ，Ｏｇｉｌｖｉｅ，Ｐａｎｔｅｎｅ，Ｐａｕｌ　Ｍｉｔｃｈｅｌｌ，Ｐｅｒｍａ　Ｓｏｆｔ，Ｐｅｒｔ　Ｐｌｕｓ，Ｐｈｙｓｉｑｕｅ，Ｐｉｎａｕｄ，Ｐｒｏｔｅｉｎ２９，Ｐｒｏ−Ｖ，Ｐｒｅｌｌ，Ｐｒｏｇａｉｎｅ，Ｐｓｓｓｓｓｓｔ，Ｑｕｅｅｎ　Ｈｅｌｅｎｅ，Ｒａｖｅ，Ｒｅｄｋｅｎ，Ｒｅｖｌｏｎ，Ｒｏｙａｌ　Ｃｒｏｗｎ，Ｒｕｓｓ　Ｋａｌｖｉｎ’ｓ　Ｇｅｎｅｒｉｃ，Ｓａｌｏｎ　Ｇｒａｆｉｘ，Ｓａｌｏｎ　Ｓｅｌｅｃｔｉｖｅｓ，Ｓａｌｏｎ　Ｓｔｙｌｅ，Ｓｃａｌｐｉｃｉｎ，Ｓｅｂａｓｔｉａｎ，Ｓｅｂｕｃａｒｅ，Ｓｅｂｕｌｅｘ，Ｓｅｂｕｔａｎｅ，Ｓｅｌｓｕｎ　Ｂｌｕｅ，Ｓｔ．Ｉｖｅｓ　Ｓｗｉｓｓ　Ｆｏｒｍｕｌａ，Ｓｔｉｆｆ　Ｓｔｕｆｆ，Ｓｔｙｌｅ，Ｓｕａｖｅ，Ｓｕｐｅｒｓｅｔ，Ｔｅｇｒｉｎ，Ｔｈｅ　Ｄｒｙ　Ｌｏｏｋ，Ｔｈｅｏｒｉｅ，Ｔｈｅｒｍａｓｉｌｋ，Ｔｈｉｃｋｅｒ　Ｆｕｌｌｅｒ　Ｈａｉｒ，Ｔｉｇｉ，Ｔｏｍ’ｓ　ｏｆ　Ｍａｉｎｅ，Ｔｏｐ　Ｂｒａｓｓ，Ｔｒｅｓ　Ｆｌｏｒｅｓ，Ｔｒｅｓｅｍｍｅ，Ｕｌｔｉｍａｔｅ　Ｌｏｏｋ，ＵｌｔｒａＳｗｉｍ，Ｕｎｉｖｅｒｓｉｔｙ　Ｍｅｄｉｃａｌ，Ｖａｓｅｌｉｎｅ，Ｖｅｎｔｕｒｅ，Ｖｉｄａｌ　Ｓａｓｓｏｏｎ，Ｖｉｔａｌ　Ｃａｒｅ，Ｖｉｔａｌｉｓ，Ｗｈｉｔｅ　Ｒａｉｎ，Ｗｉｌｄｒｏｏｔ，Ｗｉｌｌｏｗ　Ｌａｋｅ，Ｙｏｕｔｈ　Ｈａｉｒ，Ｚｉｎｃｏｎのブランド名で市販される製品、および最高級および一般的製造者が製造する製品のようなシャンプー、毛髪ほぐし製品、毛髪ムース、毛髪ゲルおよび毛髪スプレー製品の各種品目に生物活性ガラスを添加する新規処方を含む。
【０１５４】
一般に、シャンプーおよび毛髪ほぐし製品はアンモニウムラウリルスルホネート、トリエタノールアミン、ラウルアミドＤＥＡ、レシチン、グリコールステアレート、メチルパラベンおよびメチルイソチオゾリンを含む。
【０１５５】
生物活性ガラスおよびゾル−ゲル由来生物活性ガラスは水性流体と反応してカルシウム、リン、ナトリウムおよびシリコンのような無機元素の豊富な溶液を形成できる。このような毛髪ケア製品に添加する生物活性ガラスはこれらの無機元素を毛髪上に沈澱して鉱物学的層（すなわち、ヒドロキシアパタイト）を形成する。この鉱物学的層は毛髪に強度を加え、一方また「柔軟性」および毛髪の「スタイル−能力」を多分改良することが期待される。さらに、生物活性ガラスはふけの発生を低減する抗菌効果を供する。
【０１５６】
シャンプーおよび毛髪ほぐし製品の共通処方は水、アンモニウムラウレスサルフェート、アンモニウムラウリルサルフェート、グリコールジステアレート、ジメチコーン、ココアミドＭＥＡ、セチルアルコール、香料、ポリメタクリルアミドプロピル、トリモニウムクロリド、クエン酸ナトリウム、ＤＭＤＭヒダントイン、塩化ナトリウム、ＰＥＧ−１４Ｍ、２水素化タロ−ミドエチルヒドロキシエチルモニウム、２Ｎａ　ＥＤＴＡ、フェノキシエタノール、クエン酸、メチルジブロモグルタロニトリル、アンモニウムキシレン−スルホネートおよび各種着色剤を含む。
【０１５７】
シャンプーおよび毛髪ほぐし製品は１つ以上の次のものを含むこともできる。即ち、２−オレアミド−１，３オクタデカンジオール（セラマイド−γ）、アセトアミドＭＥＡ、アクリレート／Ｃ１０−３０アルキルアクリレートクロスポリマー、アクリル酸ポリマー（カルボマー１３４２）、アルコール、アロエベラゲル、アルミニウムスターチオクテニルサクシネート、アモジメチコーン、アルギニン、ベンゾフェノン−３、ベンゾフェノン−４、ビオチン、ブチル化ヒドロキシトルエン、ブチレングリコール、カルボマー、カルボン酸、セトリモニウムクロリド、クロロキシレノール、コールタール蒸留物、ココアミドＤＥＡ、ココアミドＭＩＰＡ、ココアミドプロピルベタイン、ココアミドプロピルヒドロキシスルタイン、ココアミドプロピルアミンオキシド、ココベタイン、ココジモニウムヒドロキシプロピル加水分解毛髪ケラチン、ココトリモニウムクロリド、シクロメチコーン、システイン、ＤＥＡ−メトキシシンナメート、デシルポリグルコース、ジゾリジニルウレア、ジメチコノール、ジメチルエーテル、ジナトリウムココアンホジアセテート、ジナトリウムラウレススルホサクシネート、ジナトリウムラウロアンホジアセテート、ジナトリウムオレアミドＭＥＡスルホサクシネート、リン酸ニナトリウム、ジナトリウムリシノールアミド、エルゴカルシフェロール、エチルパラベン、グリセリンジステアリルジモニウムクロリド、グリセリン、グリコールステアレート、グリコサミノグリカン、グアーヒドロキシプロピルトリモニウムクロリド、塩酸、加水分解動物タン白、加水分解コラーゲン、加水分解ケラチン、加水分解絹、加水分解植物タン白、加水分解小麦タン白、加水分解小麦澱粉、加水分解酵母、ヒドロキシプロピルグアーヒドロキシプロピルトリモニウムクロリド、ヒドロキシプロピルメチルセルロース、ヒドロキシプロピルトリモニウム加水分解小麦タン白、イミダゾリジニルウレア、イノシトール、ヨードプロピルブチルカルバメート、ヨードプロピルブチルカルバメート、イソブタン、イソラウレス−６、イソステアルアミドプロピルモルホリンラクテート、ケラチンアミノ酸、ケトコナゾール、ラクトアミドＭＥＡ、ラウルアミドＤＥＡ、ラウルアンホグリシネート、ラウレス−１０、ラウレス−２３、ラウレス−４、ラウレス−６、ラウリルアルコール、レシチン、クエン酸マグネシウム、マグネシウムラウレスサルフェート、ミアスルホサクシネート、メントール、メセナミン、メトキシプロピルグルコンアミド、メチルクロロイソチアゾリノン、メチルイソチアゾリノン、メチルパラベン、マイカ、オクトキシノール−４０、オクチルジメチルＰＡＢＡ、オクチルヒドロキシステアレート、オクチルメトキシシンナメート、オレアルコニウムクロリド、パルミチン酸、パンテシン、パンテノール、パンテニルエチルエーテル、パントテン酸、ＰＥＧ−１２、ＰＥＧ−１２０メチルグルコースジオレエート、ＰＥＧ−１５ココポリアミン、ＰＥＧ−１５０ジステアレート、ＰＥＧ−２３Ｍ、ＰＥＧ−２７ラノリン、ＰＥＧ−５５プロピレングリコールオレエート、ＰＥＧ−６０アーモンドグリセリド、ＰＥＧ−６００、ＰＥＧ−７グリセリルココエート、ＰＥＧ−８０ソルビタンラウレ���ト、リン酸、フィタントリオール、フィチン酸、ポリクオータニウム−１６、ポリクオータニウム−１０、ポリクオータニウム１１、ポリクオータニウム−３０、ポリクオータニウム−４、ポリクオータニウム−４６、ポリクオータニウム−７、ポリソルベート２０、ポリソルベート８０、カリウムココイル加水分解コラーゲン、ソルビン酸カリウム、ＰＰＧ−１２ブテス−１６、ＰＰＧ−５ラウレス５、ＰＰＧ−９、プロピレングリコール、プロピルパラベン、ピリチオン亜鉛、クオータニウム−１５、クオータニウム−２２、クオータニウム−７５、クオータニウム−８０、レチニルパルミテート、リシノールアミドプロピルエチルジモニウムエトサルフェート、ＳＤアルコール４０、血清タン白、絹アミノ酸、絹タン白、シルセスキオクサンコポリマー、安息香酸ナトリウム、ナトリウムＣ１４−１７アルキルＳＥＣスルホネート、ナトリウムココイルザルコシネート、グルタミン酸ナトリウム、水酸化ナトリウム、ナトリウムヒドロキシメチルグリシネート、ナトリウムラウレス−１３カルボキシレート、ナトリウムラウルイミノジプロピオネート、ナトリウムラウロイルザルコシネート、ナトリウムラウリルサルフェート、ナトリウムメチルパラベン、ナトリウムミレスサルフェート、ナトリウムオレスサルフェート、リン酸ナトリウム、ナトリウムスチレン／アクリルレート／ジビニルベンゼンコポリマー、硫酸ナトリウム、ナトリウムトリデセスサルフェート、可溶化コールタール抽出物、可溶性コラーゲン、ソイアミドＤＥＡ、ステアリルアルコール、タロ−エス−６０ミリスチルグリコール、ＴＥＡ−ドデシルベンゼンスルホネート、ＴＥＡ−ドデシルフェニルスルホネート、ＴＥＡ−ラウリルサルフェート、４Ｎａ　ＥＤＴＡ、組織流体抽出物、二酸化チタン、トコフェリルアセテート、局所タール溶液、トリデセス−１２、トリエタノールアミンラウリルサルフェート、トリメチルシリルアモジメチコーン、小麦オリゴ糖、小麦胚芽アミドプロピルジメチルアミン、キサンタンガム、酵母抽出物、加水分解大豆タン白、ナトリウムＰＣＡ、エトキシジグリコール、リノールアミドプロピルＰＧ−ジモニウムクロリドホスフェート、水素化ポリデセン、トリメチロールプロパン、フェノキシエタノールおよび各種果実、鉱物およびビタミン抽出物。
【０１５８】
本発明は上記任意成分の組合せに生物活性ガラスを添加するシャンプーおよび毛髪ほぐし製品の新規処方を供する。
【０１５９】
一般に毛髪ムース、毛髪ゲルおよび毛髪スプレー製品は鉱油、ラノリン、ステアリン酸および亜鉛ピリオチンを含む。
毛髪ムース、毛髪ゲルおよび毛髪スプレー製品の共通処方は水、イソブタン、ポリクオータニウム４、プロパン、プロピレングリコール、Ｃ９−１１パレス−８、ＤＭＤＭヒダントイン、香料、パンテノール、２Ｎａ　ＥＤＴＡ、パンテニルエチルエーテル、パンテシン、ラウルアミンオキシド、ケラチンアミノ酸およびクエン酸を含む。
【０１６０】
毛髪ムース、毛髪ゲルおよび毛髪スプレー製品は１つ以上の次のものを含むこともできる。即ち、アセトアミドＭＥＡ、アクリレートコポリマー、アクリレート／ジメチコーン／メタクリレートコポリマー、アラニン、変性アルコール、アラントイン、アミノエチルプロパノール、安息香酸アンモニウム、水酸化アンモニウム、アメジメチコーン、アラキドン酸、アルギニン、アスコルビルパルミテート、ベヘン酸、ベンゾフェノン−３、ベンゾフェノン−４、ベタイン、硼酸、ＰＶＭ／ＭＡコポリマーのブチルエステル、Ｃ１３−１４イソパラフィン、パントテン酸カルシウム、カルボマー、カルボポール、カタラーゼ、セテアリールオクタノエート、セテス−１６、セテス−２０、セトリモニウムブロミド、セトリモニウムクロリド、セチルアルコール、クロルヘキシジンジヒドロクロリド、ココアミドＤＥＡ、ココアミドプロピルベタイン、ココアミドプロピルヒドロキシスルタイン、コラーゲン、シクロメチコーン、ＤＥＡ−メトキシシンナメート、ジアゾリジニルウレア、ジイソブチルアジペート、ジメチコーンコポリオール、ジメチコノール、ジメチルエーテル、ジメチルラウルアミンイソステアレート、ジメチルステアルアミン、ジオクチルセバケート、ジステアリルジモニウムクロリド、エトサルフェート、ＰＶＭ／ＭＡコポリマーのエチルエステル、エチルジモニウム、ゼラチン、グルタミン酸、グリセリン、グリシン、ヒアルロン酸ｍ、ハイドロフルオロカーボン１５２Ａ、加水分解エラスチン、加水分解大豆タン白、加水分解小麦タン白、加水分解小麦澱粉、親水性ポリエーテルポリウレタン、ヒドロキシエチルセルロース、ヒドロキシプロピルグアー、ヒドロキシプロピルメチルセルロース、ヨードプロピニルブチルカルバメート、ヨードデカン、イソプロピルアルコール、イソステアレス−１０、ケラチンタン白、ラクトアミドＭＥＡ、ラネス−１６、ラウルアミドＤＥＡ、ラウルアミドＭＥＡ、ラウレス−１１、ラウレス−２３、ラウレス−４、ラウレス−７、ラウレス−９、レシチン、リノールアミドプロピル、リノール酸、リシン、リシンヒドロキシプロピルトリモニウムクロリド、メチルクロロイオソチアゾリノン、メチルクロロイソチアゾリノン、メチルクロロイソチアゾリノン、メチルイソチアゾリン、メチルイソチアゾリノン、メチルパラベン、鉱油、ミリストイル加水分解コラーゲン、ナイアシンアミド、ＳＤアルコール４０、１１キシノール−１０、オクチルヒドロキシステアレート、オクチルサリチレート、オクチルアクリルアミド／アクリレーツコポリマー、オクチルアクリルアミド／アクリレート／ブチルアミノエチルメス、オクチルメトキシシンナメート、オレアルコニウムクロリド、オレイン酸、オレス−２０、オレス−１６、パルミチン酸、パルミトイルミリスチルセリネート、ＰＥＧ−１５ココアミンクロリド、ＰＥＧ−４０水素化ヒマシ油、ＰＥＧ−６ココアミド、ＰＥＧ６０−水素化ヒマシ油、ＰＥＧ−７５ラノリン、ＰＥＧ−８ソルビトール、フェノキシエタノール、フェニルトリメチコーン、リン脂質、フィタントリオール、ポリアクリルアミド、ポリクオータニウム−１１、ポリクオータニウム−４６、ポリクオータニウム−７、ポリソルベート２０、ポリソルベート８０、ポリゾフェノン−４、カリウムジメチコーンコポリオールパンテニルホスフェート、水酸化カリウム、ソルビン酸カリウム、ＰＰＧ−１２−ＰＥＧ−５０テノリン、ＰＰＧ−５−セテス−２０、ＰＰＧ−９ジエチルモニウムクロリド、プロリン、ＰＶＰ、ピリドキシン塩酸塩、クオータニウム−１５、レチニルパルミテート、リボ核酸、セリン、絹アミノ酸、絹タン白、安息香酸ナトリウム、ナトリウムＣ１３−１５パレス−８ブチルホスフェート、ナトリウムＣ１３−１５パレス−８ホスフェート、ナトリウムＣ１４−１６オレフィンスルホネート、塩化ナトリウム、ナトリウムココイルイセチオネート、ナトリウムヒドロキシメチルグリシネート（アミノ酸誘導体）、ナトリウムＰＣＡ、ソルビトール、ソイアミドＤＥＡ、ステアルアルコニウムクロリド、ステアレス−１６、ステアレス−２、ステアリン酸、ステアリルアルコール、ｔｅａ−ドデシルベンゼンスルホネート、４Ｎａ　ＥＤＴＡ、スレオニン、トコフェリルアセテート、トリデセス−１２、トリエタノールアミン、トリソプロパノールアミン、ウレタン／Ｃ１−２０ｐｅｇアルキルコポリマー、ＶＡ／クロトネーツ／ビニルネオデカンデートコポリマー、各種果実、植物、ビタミン抽出物、小麦胚芽アミドプロピル、エチルジモニウムエトサルフェート、酵母抽出物、イソブタン、ＡＭＰ−イソステアロイル加水分解大豆タン白、ブチレングリコール、およびＳＤアルコール４０。
【０１６１】
本発明は上記任意成分の組合せに生物活性ガラスを添加することにより毛髪ムース、毛髪ゲルおよび毛髪スプレー製品の新規処方を供する。
生物活性ガラスの抗菌性およびｐＨ効果は細菌を低減し、毛髪のｐＨレベルを正常化するためシャンプーおよび他の毛髪ケア製品に特に有用である。さらに、毛髪表面に結合するミネラルを遊離する生物活性ガラスの能力は毛髪の強度、ボディおよび容積を増強するため有用である。
【０１６２】
下記例１１〜１３はゾル−ゲル−由来生物活性ガラスを含む生物活性ガラスを添加するシャンプー処方の代表的態様を供する。
例１１：生物活性ガラスを有する毛髪シャンプーの組成
2004500404.tif 000015
例１２：４５ｓ５ガラスを有する毛髪シャンプー
（３つの別の処方：ＣＰＤ３−１５Ａ，Ｂ，Ｃ，Ｄ）
2004500404.tif 000016
例１３：生物活性ガラスを有する毛髪シャンプー
処方ＣＰＤ３−３１Ａ，Ｂ，Ｃ，Ｄ
2004500404.tif 000017
初めのｐＨ値
ｐＨ０３１Ａ−８．９
ｐＨ０３１Ｂ−８．２
ｐＨ０３１Ｃ−５．７
ｐＨ０３１Ｄ−４．８
２４時間後のｐＨ値
ｐＨ２４３１Ａ−９．６
ｐＨ２４３１Ｂ−９．２
ｐＨ２４３１Ｃ−８．５
ｐＨ２４３１Ｄ−７．２
【０１６３】
抗発汗および脱臭製品
本発明は５Ｄａｙ，Ａｌｌｅｒｃｒｅｍｅ，Ａｌｍａｙ，Ａｑｕａ　Ｖｅｌｖａ，Ａｒｍ　＆　Ｈａｍｍｅｒ，Ａｒｒｉｄ　ＸＸ，Ｂａｎ，Ｂａｎｉｓｈ，Ｂｒｕｔ，Ｃｅｒｔａｉｎ　Ｄｒｉ，Ｃｌｅａｒｌｙ　Ｆｒｅｓｈ　＆　Ｎａｔｕｒａｌ，Ｃｒｙｓｔａｌ　Ｃｌｅａｎ，Ｃｒｙｓｔａｌ　Ｓｔｉｃｋ，Ｄｅｇｒｅｅ，Ｄｅｓｅｒｔ　Ｅｓｓｅｎｃｅ，Ｄｏｖｅ，Ｄｒｙ　Ｉｄｅａ，Ｅｎｇｌｉｓｈ　Ｌｅａｔｈｅｒ，Ｇｉｌｌｅｔｔｅ，Ｈｉ　＆　Ｄｒｉ，Ｊａｓｏｎ，Ｊｏｋｅｙ　Ｃｌｕｂ，Ｋｉｓｓ　Ｍｙ　Ｆａｃｅ，Ｌａｄｙ　Ｃｒｙｓｔａｌ，Ｌａｄｙ　Ｍｉｔｃｈｕｍ，Ｌａｄｙ　Ｓｐｅｅｄ　Ｓｔｉｃｋ，　Ｌａｄｙ’ｓ　Ｃｈｏｉｃｅ，Ｍｅｎｎｅｎ，Ｍｉｔｃｈｕｍ，Ｎａｉｒ，Ｎａｔｕｒｅ’ｓ　Ｇａｔｅ，Ｎａｕｔｉｃａ，Ｎｕｌｌｏ，Ｏｌｄ　Ｓｐｉｃｅ，Ｐｉｎａｕｄ，Ｐｏｗｅｒ　Ｓｔｉｃｋ，Ｒｅｖｌｏｎ　Ｈｉ　＆　Ｄｒｉ，Ｒｉｇｈｔ　Ｇｕａｒｄ，Ｓｅｃｒｅｔ，Ｓｏｆｔ　＆　Ｄｒｙ，Ｓｐｅｅｄ　Ｓｔｉｃｋ，Ｓｕａｖｅ，Ｓｕｒｅ，Ｔｅｅｎ　Ｓｐｒｉｔ，Ｔｏｍ’ｓ　ｏｆ　Ｍａｉｎｅ，Ｔｕｓｓｙ，Ｓｏｆｔ　＆　Ｄｒｉ，Ｙｏｄｏｒａのブランド名で市販される製品および最高級および一般的製造者が製造する製品のような粉末、クリーム、ロール・オン、エアゾル、およびスチック形の抗発汗および脱臭製品の各種品目に生物活性ガラスを添加する新規処方を含む。
【０１６４】
脱臭剤および抗発汗処方の生物活性ガラスの抗発汗および吸湿性は臭いの原因となる細菌を調整し、一方抗炎症性は腋の下の刺激を低減する。生物活性ガラスは脱臭剤「結晶」と同様に固体非晶質形にも添加できる。磨いた固体形によりこすることも抗菌効果を有する。
【０１６５】
一般に、抗発汗または脱臭製品はアルミニウムクロロハイドレート、塩化アルミニウム、塩化ジルコニウムまたはトリクロサンを含む。
スチック、ロール・オン、エアロゾル、クリーム、パッド、および粉末形の抗発汗および脱臭製品の共通処方はアルミニウムジルコニウムテトラクロロハイドレックスグリまたはアルミニウムクロロハイドレートから成る活性成分を含む。
【０１６６】
抗発汗および脱臭製品は１つ以上の次のものを含むこともできるすなわち、アルクロキサ、アルコール、アラントイン、アロエベラゲル、塩化アルミニウム、ＰＰＧ−１４ブチルエーテル、シクロメチコーン、ベーキングソーダ、ベヘニルアルコール、ベンズエソニウムクロリド、安息香酸、ＢＨＴ、Ｃ１２−１５アルキルベンゾエート、Ｃ１８−３６酸トリグリセリド、セテアレス−２０、セテアリールアルコール、クエン酸、コーン澱粉、シクロメチコーン、シクロペンタシロキサン、シクロテトラシロキサン、ジベンジリデンソルビトール、ジカプリレート／ジカプレート、ジイソプロピルアジペート、ジイソプロピルセバケート、ジメチコーン、ジプロピレングリコール、パンテノール、ファルネソル、香料、グリセリン、グリセリルオレエート、グリセリルステアレート、ヘクトライト、ハイドロフルオロカーボン１５２Ａ、水素添加ヒマシ油、水素添加ポリイソブタン、水素添加植物油、ヒドロキシエチルセルロース、イソブタン、イソプロピルアルコール、イソプロピルミリステート、ラウレス−４、メチルパラベン、鉱油、ミリスチルミリステート、オクトキシノール−９、オクチルノナノエート、オクチルパルミテート、オクチルドデカノール、ＰＥＧ−１００ステアレート、ＰＥＧ−２０、ＰＥＧ−２５プロピレングリコールステアレート、ＰＥＧ−８ジステアレート、ペンタデカラクトン、ワセリン、ＰＧ、フェニルトリメチコーン、ポリエチレン、ポリオール、多糖類、ポリソルベート２０、ポリチレン、カリウム明ばん、ソルビン酸カリウム、ＰＰＧ−１４ブチルエーテル、ＰＰＧ−１−ＰＥＧ−９ラウリルグリコールエーテル、プロパン、プロピレンカーボネート、プロピレングリコール、プロピルパラベン、精製粘土、クオータニウム−１８、ＳＤアルコール４０、シリカ、絹粉末、重炭酸ナトリウム、ナトリウムラウレス１３カルボキシレート、ステアリン酸ナトリウム、ソヤエチルモルホリニウムエトサルフェート、澱粉、ステアリルアルコール、タルク、Ｔ−ブチルアルコール、Ｔ−ブチルハイドロキノン、４Ｎａ　ＥＤＴＡ、トリベヘニン、トリクロサン、トリエチルサイトレート、尿素、各種着色剤、各種ミネラルおよびビタミン抽出物、植物油、植物澱粉、水、キサンタンガム、酸化亜鉛。
【０１６７】
本発明は上記任意成分の組合せに生物活性ガラスを添加することにより抗発汗および脱臭製品の新規処方を供する。
生物活性ガラスの抗菌、抗炎症および吸湿効果は細菌、臭いおよび水分を低減するため抗発汗および脱臭製品に特に有用である。
【０１６８】
アフターシェーブおよびシェービングローション製品
本発明はＡｃｅｉｔｅ，Ａｆｔａ，Ａｑｕａ　Ｖｅｌｖａ，Ａｓｐｅｎ，Ｂｒｕｔ，Ｂｕｍｐ　Ｆｉｇｈｔｅｒ，Ｂｕｒｔ’ｓ　Ｂｅｅｓ，Ｅａｒｔｈ　Ｓｃｉｅｎｃｅ，Ｅｄｇｅ，Ｆｌｅｎｔｓ，Ｇｉｌｌｅｔｔｅ，Ｈｏｙｔ　Ｃｏ．，Ｉｃｅ　Ｓｐｏｒｔ，Ｉｏｄｅｘ，Ｊａｓｏｎ，Ｊｏｖａｎ，Ｍｅｎｎｅｎ，Ｏｌｄ　Ｓｐｉｃｅ，Ｐｉｎａｕｄ，Ｐｏｍａｄａ，Ｒｅｑｕａ，Ｓａｍｂｏｒｎｓ，Ｓａｘｏｎ，Ｓｋｉｎ　Ｂｒａｃｅｒ，Ｓｕｐｅｒ　Ｍａｃｈｏ，Ｗｉｌｌｉａｍｓのブランド名で市販される製品、および最高級および一般的製造者が製造する製品のようなアフターシェービングおよびシェービングローション製品の各種品目に生物活性ガラスを添加する新規処方を含む。
【０１６９】
生物活性ガラスを含むアフターシェービングおよびシェービングローション処方物はアフターシェービングの刺激を低減するすぐれた抗炎症効果を供する。
一般に、アフターシェービングおよびシェービングローション製品はプロピレングリコール、メントールおよび安息香酸を含む。
アフターシェービングおよびシェービングローション製品の共通処方はＳＤアルコール４０、水、グリセリン、メントール、香料、ベンゾフェノン−１および各種着色剤を含む。
【０１７０】
アフターシェービングおよびシェービングローション製品は１つ以上の次のものを含むこともできる：アロエ抽出物、アルミニウム澱粉オクテニルサクシネート、安息香酸、ベンジルアルコール、ＢＨＴ、Ｃ１２−１５アルキルベンゾエート、カルボマー９８０、キャッサバ粉、シクロメチコーン、ジメチコーン、２Ｎａ　ＥＤＴＡ、エチレンジアミン、イソデシルオレエート、イソプロピルミリステート、メチルパラベン、ミリスチルプロピオネート、パンテノール、ＰＥＧ／ＰＰＧ−１７／６コポリマー、ＰＥＧ−６０水素添加ヒマシ油、ＰＧ、フェノキシエタノール、ポリソルベート８０、ＰＰＧ−１５、プロピレングリコール、ＳＤアルコール３９−Ｃ、ステアリルエーテル、テトラヒドロキシプロピル、トコフェリルアセテート、トリエタノールアミン、各種植物、果実、およびビタミン抽出物、キサンタンガム、プロピレングリコール、安息香酸、ベンゾフェノン−２、ＢＨＴ、ＰＧ、およびベンジルアルコール。
【０１７１】
本発明は上記任意成分の組合せに生物活性ガラスを添加することによりアフターシェービングおよびシェービングローション製品の新規処方を供する。
生物活性ガラスの抗炎症効果は炎症を低減するためアフターシェービングおよびシェービングローション製品に特に有用である。
【０１７２】
シェービング用製品
本発明はＡｆｔａ，Ａｌｂａ　Ｂｏｔａｎｉｃａ，Ａｖｅｅｎｏ，Ｂａｒｂａｓｏｌ，Ｂｒｕｔ，Ｂｕｍｐ　Ｓｔｏｐｐｅｒ，Ｂｕｒｍａ−Ｓｈａｖｅ，Ｂｕｒｔ’ｓ　Ｂｅｅｓ，ＣＡＭ，Ｃｏｌｇａｔｅ，Ｅａｒｔｈ　Ｓｃｉｅｎｃｅ，Ｅｄｇｅ，Ｅｖｅｒｒｅａｄｙ，Ｇｉｌｌｅｔｔｅ，Ｊａｓｏｎ，Ｋｉｓｓ　Ｍｙ　Ｆａｃｅ，Ｌａｄｙ　Ｌｅｇｓ，Ｍａｇｉｃ　Ｐｌａｔｉｎｕｍ，Ｍａｇｉｃ　Ｓｈａｖｉｎｇ　Ｐｏｗｄｅｒ，Ｎｏｘｚｅｍａ，Ｏｌｄ　Ｓｐｉｃｅ，Ｐａｌｍｏｌｉｖｅ，Ｐｉｎａｕｄ，Ｒｅｍｉｎｇｔｏｎ，Ｒｅｑｕａ，Ｒｉｓｅ，Ｓｈａｖｅ　ｉｎ　ｔｈｅ　Ｓｈｏｗｅｒ，Ｓｋｉｎ　Ｂｒａｃｅｒ，Ｓｋｉｎｍａｔｅ，Ｓｋｉｎｍａｔｅｓ，Ｓｏｆｔ　Ｓｈａｖｅ，Ｔｏｍ’ｓ　ｏｆ　Ｍａｒｉｎｅ，Ｗｉｌｌｉａｍｓのブランド名で市販される製品、および最高級および一般的製造者が製造する製品のようなクリーム、ゲル、粉末および石鹸形のシェービング用製品の各種品目に生物活性ガラスを添加する新規処方を含む。
【０１７３】
一般的に、クリーム、ゲル、粉末または石鹸形のシェービング用製品はアロエゲルのような保湿剤およびステアリン酸のような保護剤を含む。
シェービング用製品クリーム、ゲル、粉末または粉石鹸の共通処方は水、トリエタノールアミン、パルミチン酸、ステアリン酸、イソペンタン、モノグリセリド、ソルビトール、ＰＥＧ−９０Ｍ、ＰＶＰ、香料、イソブタン、各種着色剤、および各種花、ビタミン、およびミネラル抽出物を含む。
【０１７４】
クリーム、ゲル、粉末、または石鹸形のシェービング用製品は１つ以上の次のものを含むこともできる、すなわち１−ドデカノール、アラントイン、アロエ抽出物、アルミニウム澱粉オクテニルサクシネート、水酸化アンモニウム、硫化バリウム、べヘントリモニウムメトサルフェート、ベンズアルデヒド、ベンゾフェノン−１、ベンジルアルコール、ＢＨＡ、ＢＨＴ、ブロメライン、ブタン、Ｃ１６−２２、炭酸カルシウム、水酸化カルシウム、チオグリコール酸カルシウム、カルボマー、セルロースポリマー、セテアリールアルコール、セチルアルコール、クロルヘキシジングルコネート、コーン澱粉、ジアゾリジニルウレア、ジメチコーン、４級化ジメチルサルフェート、ジオクチルサクシネート、トリエタノールアミンを有するエステル、脂肪酸エステル、グリセリド、グリセリン、グリセリルオレエート、グリセリルステアレート、グアニジンカーボネート、ヒドロキシエチルセルロース、イソプロピルミリステート、イソプロピルパルミテート、ラノリンアルコール、ラノリン油、ラウレス−２３、レシチン、メントール、メチルパラベン、乳タン白、ミリスチルプロピオネート、ノノキシノール１０、酸化ポリエチレン、パラフィン、ＰＥＧ１４Ｍ、ＰＥＧ１５０ペンタエリスリチルテトラステアレート、ＰＥＧ６カプリリック／カプリックグリセリド、ペンタン、５Ｎａペンテテート、ワセリン、フェニカルビノール、ポリエチレン、ポリクォータニウム−１０、ポリソルベート２０、ポリソルベート６０、ミリスチン酸カリウム、ＰＰＧ−１２−ＰＥＧ−６５，プロパン、プロピルガレート、プロピレングリコール、プロピルパラベン、レゾルシン、レチニルパルミテート、ＳＤアルコール４０、石鹸、安息香酸ナトリウム、硼砂、塩化ナトリウム、ナトリウムラウリルサルフェート、ナトリウムメタシリケート、ミリスチン酸ナトリウム、ステアリルアルコール、ＴＥＡステアレート、ｔｅａマレエート、４Ｎａエチブロネート、二酸化チタン、トコフェリルアセテート、トリクロサン、イソブタン、シクロメチコーン、およびＣ１２−１５アルキルベンゾエート。
【０１７５】
本発明は上記任意成分の組合せに生物活性ガラスを添加することによりシェービングクリームおよびゲル製品の新規処方を供する。
生物活性ガラスの抗菌効果は細菌およびシェービング中負った刻みおよび切り傷から感染の可能性を低減するためひげそり用製品に特に有用である。
【０１７６】
脱毛剤および毛髪漂白製品
本発明はＡｎｄｒｅａ，Ａｒｄｅｌｌ，Ｂｅｔｔｅｒ−Ｏｆｆ，Ｂｉｋｉｎｉ　Ｂａｒｅ，Ｈａｉｒ　Ｏｆｆ，Ｊｏｌｅｎ，Ｎａｉｒ，Ｎａｔｕｒａｌ，Ｎｅｅｔ，Ｎｕｄｉｔ，Ｏｎｅ　Ｔｏｕｃｈ，Ｓａｌｌｙ　Ｈａｎｓｏｎ，Ｚｉｐのブランド名で市販される製品、および最高級および一般的製造者が製造する製品のようなクリーム、ワックスおよび粉末形の脱毛、抜毛および毛髪漂白製品の各種品目に生物活性ガラスを添加する新規処方を含む。
【０１７７】
一般に脱毛、抜毛および毛髪漂白製品は活性成分チオグリコール酸カルシウムまたは水酸化カルシウムを含む。
脱毛、抜毛または毛髪漂白製品の共通処方は水、鉱油、水酸化カルシウム、セテアリールアルコール、チオグリコール酸カルシウム、チオグリコール酸ナトリウム、セテアレス−２０、各種花およびハーブ、およびビタミン抽出物、および各種着色剤を含む。
【０１７８】
脱毛、抜毛および毛髪漂白製品は１つ以上の次のものを含むこともできる、すなわち重炭酸アンモニウム、ベンズアルコニウムクロリド、樟脳、セチルアルコール、カモミレ抽出物、クエン酸、ジメチコーン、香料、グリセリルステアレート、過酸化水素、酸化鉄、イソプロピルミリステート、イソプロピルパルミテート、イソプロピルステアレート、マルトデキストリン、オクトキシノール−９、ペンタエリスリチルテトラカプリレート／カプレート、ワセリン、リン酸、ソルビン酸カリウム、ＳＤアルコール４０、ステアルアミドプロピルジメチルアミン、ステアリルステアレート、スイートアーモンド油、カルシウムグリセリルステアレート、オクチルパルミテート、ステアリン酸、プロピレングリコール、トリエタノールアミン、イミダゾリジニルウレア、ＰＥＧ−１００ステアレート、可溶性コラーゲン、ラノリルアルコール、２Ｎａ　ＥＤＴＡ、カルボマー、メチルパラベン、チオグリコレート、ステアリルアルコール、およびシリカ。
【０１７９】
本発明は上記任意成分の組合せに生物活性ガラスを添加することにより脱毛、抜毛およびワックス製品の新規処方を供する。
生物活性ガラスの抗炎症および抗菌効果は炎症、細菌および臭いを低減するため脱毛抜毛およびワックス製品に特に有用である。
【０１８０】
ねり歯磨き製品
生物活性ガラスはＡｃｔ，Ａｉｍ，Ａｑｕａｆｒｅｓｈ，Ａｒｍ　＆　Ｈａｍｍｅｒ，Ｂｉｏｒｅ，Ｂｉｏｔｅｎｅ，Ｂｏｉｒｏｎ，Ｂｒｅａｔｈ　Ｒｅｍｅｄｙ，Ｂｒｉｔｅ−Ｌｉｆｅ，Ｂｕｔｌｅｒ，Ｃｅｐａｃｏｌ，Ｃｌｏｓｅ−Ｕｐ，Ｃｏｌｇａｔｅ，Ｃｒｅｓｔ，Ｄｅｎｔｕ−Ｃｒｅｍｅ，Ｄｅｓｅｒｔ　Ｅｓｓｅｎｃｅ，Ｅｎａｍｅｌｏｎ，Ｆｉｘｏｄｅｎｔ，Ｆｒｅｓｈ‘Ｎ　Ｂｒｉｔｅ，Ｇｅｌ−Ｋａｍ，Ｇｌｅｅｍ，Ｉｎｔｅｒｐｌａｋ，Ｋｅｅｐ，Ｋｉｄｓ　Ｄｅｎｔａｌ　Ｋａｒｅ，Ｌｉｓｔｅｒｉｎｅ，Ｍｅｎｔａｄｅｎｔ，Ｎａｔｕｒａｌ　Ｗｈｉｔｅ，Ｎａｔｕｒｅ’ｓ　Ｇａｔｅ，Ｏｒａｊｅｌ，Ｏｒａｌ−Ｂ，Ｐｅａｒｌ　Ｄｒｏｐｓ，Ｐｅｐｓｏｄｅｎｔ，Ｐｌａｋ　Ｓｍａｃｋｅｒ，Ｐｌｕｓ＋Ｗｈｉｔｅ，Ｐｏｌｌｉｄｅｎｔ，Ｑ−Ｄｅｎｔ，Ｒｅｍｂｒａｎｄｔ，Ｓｅｎｓｏｄｙｎｅ，Ｔｈｅｒｍｏｄｅｎｔ，Ｔｏｍ’ｓ　ｏｆ　Ｍａｉｎｅ，Ｔｏｐｏｌ，Ｕｌｔｒａ　Ｂｒｉｔｅ，Ｕｌｔｒａ　Ｐｌｕｓ，Ｖａｄｅｍｅｃｕｍ，Ｖｉａｄｅｎｔのブランド名で市販される製品、および最高級および一般的製造者が製造する製品のようなねり歯磨き製品の各種品目に添加することもできる。
【０１８１】
一般に、ねり歯磨き製品は弗化物、トリクロサン、ピロリン酸塩、シリカ、ベーキングソーダ、硝酸カリウムおよび天然および／または人工フレーバ付与剤を含む。
ねり歯磨き製品の共通処方は弗化ナトリウム、水、ソルビトール、水和シリカ、クエン酸亜鉛３水和物、ナトリウムラウリルサルフェート、ＳＤアルコール３８−Ｂ、フレーバ、セルロースガム、サッカリンナトリウム、および各種着色剤を含む。
【０１８２】
ねり歯磨き製品は１つ以上の次のものを含むこともできる、すなわちアセスルファムカリウム、アルミナ、塩化アンモニウム、ベータ−ｄ−グルコース、過酸化カルシウム、硝酸カルシウム、カルボマー、カルボキシメチルセルロース、クエン酸、コエンチムＱ１０、リン酸２カルシウム２水和物、グリセリン、過酸化水素、ラクトペルオキシダーゼ、グルコースオキシダーゼ、リゾチーム、塩化マグネシウム、メチルパラベン、ミクロデントポルオキサマー、リン酸１アンモニウム、パパイン、ＰＥＧ−３００、ＰＥＧ６０、水素添加ヒマシ油、ＰＥＧ−１２、ＰＥＧ−３２、ＰＥＧ−６、ＰＥＧ−７５、リン酸、ポルオキサマー４０７、ポルオキサポール１２２０、硝酸カリウム、ソルビン酸カリウム、チオシアン酸カリウム、プロピレングリコール、プロピルパラベン、ピロホスフェート、ＳＤアルコール３８−Ｂ、シリカ、シメチコーン、安息香酸ナトリウム、重炭酸ナトリウム、炭酸ナトリウム、ナトリウムカラギナン、塩化ナトリウム、クエン酸ナトリウム、ソルビトールおよび関連ポリオール、水酸化ナトリウム、ナトリウムラウロイルザルコシネート、ナトリウムモノフルオロホスフェート、ナトリウムモノフルオロホスフェート、ナトリウムパーカーボネート、リン酸ナトリウム、トリポリリン酸ナトリウム、ピロリン酸４カリウム、ピロリン酸４ナトリウム、二酸化チタン、リン酸３Ｎａ、ＰＥＧ−８、各種天然および人工フレーバ付与剤、キサンタンガム、塩化亜鉛、珪酸ジルコニウム、チモール、サリチル酸メチル、および安息香酸。
【０１８３】
生物活性ガラス組成物は例えば、ホウロウ質ミネラル再補給、初期ムシ歯ミネラル再補給、ムシ歯ミネラル再補給、ムシ歯予防、腐蝕停止、腐蝕復帰、抗−ムシ歯、穴および裂溝密閉剤、予防ペースト、弗化物治療、歯質密閉剤などに有用である。生物活性ガラスはねり歯磨き、ライナー、ベース、ゲルおよび修復物質、例えば填めもの、間接パルプキャッピング剤などに含むことができる。このような組成物は歯質の感受性を低減し、組織の付着を増強するため歯根膜手術後表面のトリートメントにも有用である。これらの組成物は各種歯科および他の状態と関連する各種欠陥の治療に活性であり、実際に化学的および物理的に歯に結合し、それにより歯の構造にミネラルを再補給する。
【０１８４】
ここに引用するように、ミネラル再補給はヒドロキシアパタイトの形成である。ヒドロキシアパタイトの形成は生物活性ガラス組成物を水性溶液に暴露することにより始まる。生物活性ガラスのナトリウムイオン（Ｎａ＋）は体液のＨ＋イオンと交換してｐＨを増加させる。次にカルシウムおよびリンは生物活性ガラスから移動してカルシウム−リンの豊富な表面層を形成する。下部のシリカの豊富な層は生物活性ガラスのナトリウムイオンが溶液の水素イオンと交換を続けるのでゆっくり増加する。その後、カルシウム−リンの豊富な層はヒドロキシアパタイト物質に結晶する。コラーゲンは構造的にアパタイト凝集物と複合化するようになる。有効なミネラル再補給量はヒドロキシアパタイトを形成しうる任意の量を意味する。
【０１８５】
ここに使用する「歯の構造」とは、限定されないがほうろう質、象牙質、歯髄、歯根構造、セメント質、歯根、歯冠根、任意の歯科製品などを含む歯の任意の特徴を意味するものである。
例えば、次の組成物（重量で）はねり歯磨きおよび口腔洗浄処方に適する生物活性ガラスを供する：
成　分　　　　　　　　　　％
ＳｉＯ２　　　　　　　　４０−６０
ＣａＯ　　　　　　　　１０−３０
Ｎａ２Ｏ　　　　　　　　１０−３５
Ｐ２Ｏ５　　　　　　　　　２−８
ＣａＦ２０−２５
Ｂ２Ｏ３　　　　　　　　　０−１０
Ｋ２Ｏ                  ０−８
ＭｇＯ 　　　　　　　　０−５
このような生物活性ガラスは歯の構造と相互作用する有効な物質を供し、圧倒的に不利益な免疫応答の引き金をひかない。
【０１８６】
特定粒度の生物活性ガラスは特に小および非常に小さい粒子を組合せる場合、ねり歯磨きおよび口腔洗浄剤処方は特に有用である。例えば、歯の構造と結合しうる小粒子（例えば、約９０μ未満）および一層十分に小さい粒子（例えば、約１０μ未満）を組合せて含む組成物を使用する場合、これらの大きい粒子は歯の構造に粘着し、イオン貯蔵所として作用し、一方小さい粒子は各種歯の不規則構造の内側に入り、とどまる。これらの大きい粒子は付加的カルシウムおよびリンの貯蔵所を供するのでミネラル補給または小粒子により開始されるリン酸カルシウム層の沈積は継続できる。付加的カルシウムおよびリンはすべての歯の構造および粒子に浸出でき、これらは象牙質小管のような歯の不規則構造表面の内側に、または開口部に付着するようになる。これは順次全体の反応の継続およびこれらのより小さい粒子の連続生長を供し、これら粒子はこのような不規則表面の開口部の内側または上部にとどまり、不規則表面を効果的に被覆し、または充填する結果となる。カルシウムおよびリンイオンの過剰濃度はこれらのより小さい粒子の反応継続に必要であり、より小さい粒子はその相対的高表面積の結果としてそのイオンを急速消耗するからである。これらのより大きい粒子は反応し、長期の効果として一層ゆっくりそのイオンを遊離する。さらにこれらのより大粒子は歯の表面を機械的に研磨し、多様の不規則表面開口は小粒子を入れ、不規則表面と反応することができる。
【０１８７】
この効果は各種の適用で非常に有利である。例えば、ムシ歯または腐蝕の予防で、本発明組成物は不規則表面の最少の深さに浸透し、近くの大粒子からイオンの連続供給を受けるので、その貯蔵イオン供給の枯渇後も生長することができる。これはまた小孔および裂溝の密閉に非常に有用で、はるかに有効かつ長く持続する密閉が得られる。
【０１８８】
いくつかの適用では極端な小粒子が使用される。例えば、２μ範囲の粒子は直径約１〜２μの歯質小管の内側に適応するように使用される。これらの小管の閉塞は例えば、歯根膜手術後感度量の有意の低減となる。特に有効な組合せは粒子の混合物を含み、この場合混合物は２μ未満の粒子および４５μ以上の粒子を含む。
【０１８９】
これらの生物活性ガラス組成物は一般に固化する時間を必要としないし、ブラシ掛けにより生ずる機械的研磨、食品の温和な酸、唾液流または通常歯と接触する他の液体に対する暴露により容易に洗い落とせない。このような組成物は一般に有意な撹拌、水によるすすぎおよび５日間の模擬唾液中の長期浸漬に耐えることができる。さらに多くの小粒子は、これらの表面および口内に天然に存在する流体と接触すると直ぐに化学的に反応し、歯の構造に粘着し始めるので凝固時間を必要としない。このような組成物は１回の適用で有効であるが、複数回の適用は一層有効らしい。
【０１９０】
上記のように、比較的小粒子の生物活性ガラスは有意の免疫応答を生じない。さらに、一般にマクロファージによりむさぼり喰われないし、不活性にならない。
さらに、これらの生物活性ガラス組成物は生物活性層を供することができ、これは歯の構造の持続的ミネラル再補給である新しい構造層を形成する。これは生物活性ガラス組成物によるトリートメント後歯質表面にヒドロキシカーボネートアパタイト層の再構成により証明された（フーリエ変換赤外分光法による）。
【０１９１】
このような生物活性ガラス組成物は１０μ未満の粒子を３０％含む約２０μの粒度を有する粒子を含む。他の処方は少なくとも２５％は２μより小さい粒子を含む平均粒度１０μを有する生物活性ガラス粒子を含む。
【０１９２】
これらの組成物はねり歯磨きに処方化できる。実際に、現在ねり歯磨きに使用されるシリカを粒子に置き換えることができる。ガラス組成物に弗化物の添加は歯の構造を増強および強化する。生物活性ガラスを歯に直接適用することの他に、これらの生物活性ガラス組成物は塩水または蒸留水をベースとする媒体に適用することもできる。これらの組成物は口腔洗浄剤、ゲルに処方化することもでき、またはペーストとして歯科医により適用することができる。
【０１９３】
これらの組成物は歯を白くし、明るくし、または漂白する方法に使用できる。これらの方法は歯からしみを除去するためにも有用である。これらの方法は生物活性ガラスの歯を白色化する有効量と接触させることを含み、特に方法は複数回適用する。各適用は約０．０２〜０．３ｇの生物活性ガラスを含むことができる。適当には、これらの歯の白色化方法は歯と生物活性ガラスの歯の白色化有効量とを１日に２回２週以上接触させることを含む。「歯の白色化量」とは一般に１日に２回、１回の適用２分以上で４週の適用後Ａ３．５より暗色の予備トリートメント色度を有する患者に１以上色度を明るくするＶｉｔａ色度ガイドの結果となる任意量を意味する。
【０１９４】
歯の白色化方法は酸化珪素または水酸化珪素および任意には１つ以上のＮａ，Ｋ，Ｃａ，Ｍｇ，Ｂ，Ｔｉ，Ａｌ，Ｐ，ＮまたはＦのような元素を含む微粒生物活性および生物相容性ガラスの歯の白色化有効量と歯を接触させることを含むこともできる。
このような生物活性ガラス組成物は通例少なくともＮａ，ＣａおよびＰを含む。しかし、カルシウムおよびホスフェートの外部源と簡単なナトリウムシリカガラスを一緒に使用することができる。カルシウムおよびホスフェートの外部源は唾液自体からでよく、または口腔衛生組成物に処方化できる。
【０１９５】
生物活性ガラスに弗化物の付加は歯の構造を増強および強化する。他の例は例えば、約４０〜約８６重量％ＳｉＯ２、実質的にナトリウム量を含まず、約６〜３６重量％Ｃａおよび約２〜１２重量％Ｐ２Ｏ５を有するゾルゲルガラスを含む。
【０１９６】
極端な小粒子を含む生物活性ガラス組成物も使用できる。例えば、２μ範囲の粒子は有利である。粒度は走査電子顕微鏡またはレーザ光線散乱技術（例えば、Ｃｏｕｌｔｅｒ  ＬＳ１００）により測定できる。上記のように、比較的小さい生物活性微粒ガラスは有意な免疫応答を生じない。さらに、一般にマクロファージにより喰べられず、不活性にならない。
【０１９７】
これらの組成物は歯磨き、ねり歯磨き、ゲル、粉末、口腔洗浄剤、潅注溶液、および吸うまたは噛む例えばガム、香錠、錠剤およびロゼンジに対するプレゼンテーションのような口腔衛生組成物として処方化できる。このような口腔衛生組成物は０．１〜５０重量％を含むことができる。１〜２５重量％含む処方は好ましく、一方５〜１０重量％の生物活性ガラスを含む処方は尚一層好ましい。
活性成分の他に、適当な口腔衛生組成物は通例のキャリア、結合剤、界面活性剤、保湿剤、着色剤、顔料、抗斑点剤、抗菌剤、生物粘着一型剤、研磨剤、抗ムシ歯剤、フレーバ付与剤、甘味料、増強剤などを含有できる。
【０１９８】
練歯磨き処方の場合、一般には研磨剤は非晶質、ゲル化、沈澱、またはヒュームドシリカ、プラスチック粒子、アルミナ、炭酸カルシウム、およびオルソリン酸亜鉛、不溶性メタリン酸塩、およびピロリン酸カルシウムである。シリカは特に適した研磨剤である。生物活性ガラス粒子は現在練歯磨に使用される研磨剤のすべて、一部と置換しても、または置換しなくてもよい。
【０１９９】
無機増粘剤は歯磨に含むことができ、さらにキャボット社から入手できるＣａｂｏｓｉｌのようなヒュームドシリカおよびＺｅｏｄｅｎｔ１６５と命名されるヒューバ社から入手できるものを含む増粘性シリカを含むことができる。天然および合成ガムおよびコロイドのような有機増粘剤も歯磨組成物に含むことができる。このような増粘剤の例はカラギナン（アイリッシュモス）、キサンタンガムおよびカルボキシメチルセルロースナトリウム、澱粉、ポリビニルピロリドン、ヒドロキシエチルプロピルセルローズ、ヒドロキシブチルメチルセルロース、ヒドロキシプロピルメチルセルロース、およびヒドロキシエチルセルロース（微結晶セルロセルセルロースガムの同時−乾燥ブレンド）を含む。無機または有機増粘剤はこのような組成物に約０．０５〜約２重量％、好ましくは約０．１〜約１．５重量％の濃度で添加できる。
【０２００】
抗ムシ歯効力を有する弗化物を供する塩は経口組成物に添加することもでき、弗化物イオンを水に遊離する能力があることで特徴とする。約１０〜５，０００ｐｐｍの弗化物イオン、好ましくは約１０００〜１５００ｐｐｍの弗化物イオンを供する水溶性弗化物塩を使用することが好ましい。これらの物質のうち、水溶性アルカリ金属塩は、例えば弗化ナトリウム、弗化カリウム、モノフルオロリン酸ナトリウム、およびフルオロケイ酸ナトリウムである。モノフルオロリン酸ナトリウムは好ましい弗化物を供する塩である。
【０２０１】
顔料は二酸化チタン、および酸化クロム緑、ウルトラマリーン青および紅および酸化第２鉄のような無毒性、水不溶性無機顔料およびＦＤ＆Ｃ染料のカルシウムまたはアルミニウム塩をＦＤ＆Ｃグリーン＃１レーキ、ＦＤ＆Ｃブルー＃２レーキ、ＦＤ＆ＣＲ＆Ｄ＃３０レーキおよびＦＤ＆Ｃイエロー＃１５レーキのようなアルミナ上に延ばすことにより製造した水不溶性染料レーキを含むことができる。顔料は５〜１０００μ、好ましくは２５０〜５００μ範囲の粒度を有し、０．５〜３重量％の濃度で含む。染料は一般に過酸化物成分の存在に敏感であり、歯磨に含まれないが、ＦＤ＆Ｃグリーン＃３はＣａＯ２が歯磨に含まる場合退色に対し抵抗性のあることが分かった。
【０２０２】
任意の適当なフレーバ付与物質または甘味料物質は使用できる。適当なフレーバ付与成分の例はフレーバ付与油、例えばスペアミント、ペパーミント、ウインターグリーン、サッサフラス、クローブ、セージ、ユーカリ、マヨナラ、シナモン、レモン、およびオレンジ、およびサリチル酸メチルである。適当な甘味料はシュクロース、ラクトース、マルトース、ソルビトール、ナトリウムシクラメート、ペリラルチンおよびサッカリンナトリウムである。適当には、フレーバおよび甘味料は製剤の０．０１〜０．５％またはそれ以上で一緒に含むことができる。
【０２０３】
各種他の物質はこれらの口腔組成物に添加できる。例えば、保存料、シリコーン、およびクロロフィル化合物、ビタミンＢ６、Ｂ１２、Ｃ、ＥおよびＫのようなビタミン、クロルヘキシジンのような抗菌剤、トリクロサンのようなハロゲン化ジフェニルエーテル、硝酸カリウムおよびクエン酸カリウムおよびその混合物のような脱感作剤は含むことができる。これらの補助薬は目的の性質および特徴に実質的に悪影響を及ぼさない量で歯磨に添加され、かつ含まれる成分の特定の種類により選択し、適当量で使用される。
【０２０４】
ゲル、練歯磨、リンス、口腔洗浄剤、ガムおよびチューインガムの製造は当業者には周知である。生物活性ガラスはこれらの製品に簡単な混合を含む各種方法により導入できる。ある情況では、生物活性ガラスを水性または分配ビヒクルの他の成分と接触させずに、活性成分の前反応を防止することは必要である。これは混合室を有する２区画シリンジを含む多数の方法で達成できる。
【０２０５】
口腔洗浄剤および口腔リンス製品
本発明はＡｃｔ，Ｄｏｃｔｏｒ　Ｔｉｃｈｅｎｏｒ，Ｇｌｙｏｘｉｄｅ　Ａｎｔｉｓｅｐｔｉｃ，Ｂｅｔａｄｉｎｅ，Ｂｉｏｔｅｎｅ，Ｃｅｐａｃｏｌ，Ｃｏｌｇａｔｅ，Ｇｏｏｄ　Ｓｅｎｓｅ，Ｌａｖｏｒｉｓ，Ｌｉｓｔｅｒｉｎｅ，Ｌｉｓｔｅｒｍｉｎｔ，Ｐｌａｘ，Ｒｅａｃｈ，Ｒｅｍｂｒａｎｄｔ，Ｓａｌｉｖａｒｔ，Ｓｃｏｐｅ，Ｓｉｇｎａｌ，Ｔａｒｇｏｎ，Ｔｏｍ’ｓ　ｏｆ　Ｍａｉｎｅ，Ｖｉａｄｅｎｔ，Ｖｉｎｃｅ，Ｗｅｌｅｄａ，のブランド名で市販される製品、および最高級および一般的製造者が製造する製品のような口腔洗浄剤および口腔すすぎ製品の各種品目に生物活性ガラスを添加する新規処方を含む。
【０２０６】
一般に、口腔洗浄剤および口腔リンス製品は弗化物、抗菌剤、過酸化水素および炭酸ナトリウムを含む。
口腔洗浄剤および口腔リンス製品の共通処方はチモール、ユーカルプトール、サリチル酸メチル、メントール、水、アルコール、安息香酸、ポリオキサマー４０７、安息香酸ナトリウムおよびカラメルを含む。
【０２０７】
口腔洗浄剤および口腔リンス製品は１つ以上の次のものを含むこともできる。即ち、アロエベラ、塩化カルシウム、乳酸カルシウム、セチルビリジニウムクロリド、クエン酸、ドミフェンブロミド、グルコノデルタラクトン、グルコースオキシターゼ、グリセリン、水素化澱粉、ヒドロキシエチルセルロース、ラクトフェリン、ラクトペルオキシターゼ、リゾチーム、塩化マグネシウム、メチルパラベン、天然および人工フレーバ付与剤、窒素、ポルオキシサマー２３７、ポリソルベート２０、ポリソルベート８０、塩化カリウム、リン酸カリウム、ポビドン−沃素、プロピレングリコール、サッカリン、サッカリンナトリウム、ＳＤアルコール３８−Ｂ、カルボキシメチルセルロースナトリウム、塩化ナトリウム、クエン酸ナトリウム、グルコン酸ナトリウム、水酸化ナトリウム、ナトリウムラウリルサルフェート、ソルビトール、ピロリン酸ナトリウム、各種天然および人工フレーバ付与剤、キサンタンガム、キシリトール、塩化亜鉛および酸化亜鉛。
【０２０８】
本発明は上記任意成分の組合せに生物活性ガラスを添加することにより口腔洗浄剤および口腔リンス製品の新規処方を供する。
【０２０９】
生物活性ガラスを歯に直接適用することの他に、これらの生物活性ガラス組成物は塩水または蒸留水をベースとする媒体に適用することもできる。
これらの口腔処方物は歯の白色化組成物の製品にカルシウムおよび／またはリン酸源と一緒に使用することができる。
生物活性ガラスの抗菌および研磨効果は細菌を減少し、しみを除去するため口腔洗浄剤および口腔すすぎ製品に特に有用である。
【０２１０】
点眼製品
本発明はＭｅｄｉｃ’ｓ　Ｃｈｉｏｃｅ，Ａｌｃｏｎ，Ａｌｌ　Ｃｌｅａｒ，Ｂａｕｓｈ　＆　Ｌｏｍｂ，Ｂｉｏ，Ｔｅａｒｓ　Ｎａｔｕｒａｌｅ，Ｃｌｅａｒ　Ｅｙｅｓ，Ｍｕｒｉｎｅ　Ｐｌｕｓ，Ｎａｐｈｃｏｎ，ＯｃｕＣｌｅａｒ，Ｏｐｃｏｎ−Ａ，Ｐｒｅｆｒｉｎ，Ｖａｓｏｃｌｅａｒ，Ｖｉｓｉｎｅ，のブランド名で市販される製品、および最高級および一般的製造者が製造する製品のような点眼製品の各種品目に生物活性ガラスを添加する新規処方を含む。
一般に、点眼製品はポリエチレングリコール３００、ナファゾリン塩酸塩、およびベンズアルコニウムクロリドを含む。
【０２１１】
点眼製品は次のものの１つを含むこともできる。即ち、硼酸、エデト酸ジナトリウム、水、硼砂、ポリビニルアルコール、ポビドン、テトラヒドロゾリン塩酸塩、デキストロース、２Ｎａ　ＥＤＴＡ、塩化カリウム、水、重炭酸ナトリウム、塩化ナトリウム、クエン酸ナトリウム、リン酸ナトリウム、オキシメタゾリン塩酸塩、ヒドロキシプロピルメチルセルロース、フェニラミンマレエート、リクィフィルム、フェニルエフリン塩酸塩、酢酸ナトリウム、チオ硫酸ナトリウム、および塩酸。
本発明は上記任意成分の組合せに生物活性ガラスを添加することにより点眼製品の新規処方を供する。
【０２１２】
コンタクトレンズトリートメント製品
生物活性ガラスはＡｌｃｏｎ，Ａｌｌｅｒｇａｎ，Ｂａｒｎｅｓ　Ｈｉｎｄ，Ｂａｕｓｃｈ　＆　Ｌｏｍｂ，Ｂｏｓｔｏｎ，Ｃｉｂａ，Ｃｌｅａｎ−Ｎ−Ｓｏａｋ，Ｃｌｅｒｚ　Ｚ，Ｌｉｑｕｉｆｉｌｍ，Ｏｐｔｉ−Ｓｏａｋ，ＰｒｏＦｒｅｅ，Ｒｅｓｏｌｖｅ，Ｓｏａｃ−Ｌｅｎｓ，Ｗｅｔ−Ｎ−Ｓｏａｋ，Ａｌｃｏｎ，Ａｌｌｅｒｇａｎ，Ｃｉｂａ　Ｖｉｓｉｏｎ，Ｃｏｍｐｌｅｔｅ，Ｌｅｎｓ　Ｐｌｕｓ，Ｍｉｒａｆｌｏｗ，Ｏｐｔｉ−Ｃｌｅａｎ，Ｏｐｔｉ−Ｆｒｅｅ，Ｏｐｔｉ−Ｚｙｍｅ，Ｐｌｉａｇｅｌ，ＲｅＮｕ，Ｓｅｎｓｉｔｉｖｅ　Ｅｙｅｓ，Ｕｌｔｒａ　Ｚｙｍｅ，ｄｒｕｇｓｔｏｒｅ．ｃｏｍ，Ｓｏｆｔｗｅａｒ，Ｕｎｉｓｏｌ，Ｃｌｅａｒ　Ｅｙｅｓ，Ｃｌｅｒｚ　Ｚ，Ｏｐｔｉ−Ｏｎｅ，のブランド名で市販される製品、および最高級および一般的製造者が製造する製品のようなハードおよびソフトレンズ用の清浄溶液、塩水溶液および再湿潤溶液を含むコンタクトレンズトリートメント製品の各種品目に添加することもできる。
【０２１３】
一般に、コンタクトレンズトリートメント製品は硼酸、塩化ナトリウム、チマソール、およびエデト酸ジナトリウムを含む。
コンタクトレンズトリートメント製品は１つ以上の次のものを含むこともできる。即ち、ベンズアルコニウムクロリド、アルキルエーテルサルフェート、エトキシル化アルキルフェノール、トリ−クオータナリココアベースのホスホリピド、シリカゲル、二酸化チタン、香料、硝酸フェニル水銀、ポリビニルアルコール、アニオン洗浄剤、リン酸ナトリウム、ポリソルベート８０、ヒドロキシエチルセルロース、ポリクアド、パパイン、ココアンホカルボキシグリシネート、ラウリル硫酸ナトリウム、ヘキシレングリコール、パンクレアチン、チロキサポール、ソルビン酸、スビチリシンＡ、ポリオキサム４０７、アンホオテリック１０、ツイーン２１安定剤、ミクロクレンス、塩化カリウム、タン白分解酵素、炭酸ナトリウム、ポロキサミン、硼砂、等張性塩水、抗菌緩衝系、過硼酸ナトリウム、過酸化水素、リン酸、窒素、硼酸塩緩衝系、水、ＥＤＴＡ、カラミド、グリセリンおよびポビジン。
【０２１４】
さらに、生物活性ガラスは抗菌、抗炎症および吸湿効果を供しまたは増強するために耳点滴剤および鼻点滴剤に添加または含むことができる。
生物活性ガラスは爪みがきやすり、例えば手の指および足指爪みがきやすりに添加または組込むこともできる。生物活性ガラスの抗炎症性はこのような爪ケア器具と一緒に使用するのにぴったりである。
【０２１５】
さらに、生物活性ガラスは限定されないが使い捨て、および電気カミソリを含む男性または女性のシェービング器具と一緒に使用できる。生物活性ガラスの抗菌および抗炎症性はこのような製品に使用するのにぴったりである。
生物活性ガラスはＡｍｂｉｓｏｌのような口腔ケア製品に添加しまたは含むこともできる。生物活性ガラスの抗炎症および抗菌性はこのような製品に有利である。
【０２１６】
下記例１４はゾル−ゲル由来生物活性ガラスを含む生物活性ガラスを添加する付加的原型化粧ファンデーションの代表的態様を供する。
例１４：付加的原型化粧品処方
生物活性ガラスを含むいくつかの原型化粧製品は次のように開発された。
１．軟焦点化粧製品を開発し、市販品の顔クリームと混合したゾル−ゲル由来の生物活性ガラス粉末を含んだ。この製品は顔に適用した場合しわの減少および皮膚の引き締めの外観を与えた。
２．５重量％の４μｍ生物活性ガラスを含有するシャンプー製品はＳｔａｎｄａｐｏｌ　ＥＳ−２、Ｃｒｏｓｕｌｔａｉｎｅ　Ｃ−５０、Ｆｏａｍｉｄ　Ｃ、脱イオン水、Ｐｈｅｎｏｂａｃｔおよびクエン酸の組合せで処方した。
３．ゲル化ホホバ油またはグリセリンおよびＰｅｍｕｌｅｎ（登録商標）ポリマー、またはグリセリン、水、クエン酸、Ｊａｇｕａｒ　Ｃ−１４ＳおよびＰｈｅｎｏｂａｃｔを含有する、爪硬化／保護ゲル。
４．ゲル化ホホバ油および各種顔料を有するＬｕｂｒａｊｅｌ（登録商標）ＭＳを含有する、メーキャップ処方。
５．Ｐｏｌａｗａｘ、鉱油、グリセリン、Ｊａｇｕａｒ　Ｃ１４−Ｓ、クエン酸、Ｐｈｅｎｏｂａｃｔ、着色料および香料を含有する皮膚ローション／メーキャップ。
６．ゲル化ホホバ油、オクチルメトキシシンナメートおよびベンゾフェノン−３を含有する日焼け止め製品。
７．８％生物活性ガラスおよび組成物ＭＶ００／０３６／０２／０１を含有する脱臭剤スチック。
８．８％生物活性ガラスおよび組成物ＭＶ００／０３６／０１／０１を含有する脱臭剤スチック。
９．５％生物活性ガラスおよび組成物ＭＶ００／０３０／０２／０１を含有する脱臭剤スチック。
１０．５０％生物活性ガラスおよび組成物ＭＶ００／０３６／０３／０１を含有する脱臭クリーム。
１１．１５％生物活性ガラスおよび組成物ＭＶ００／０３６／０４／０１Ａを含有する爪硬化クリーム。
１２．３０％生物活性ガラスおよび組成物ＭＶ００／０３６／０４／０１Ｂを含有する爪硬化クリーム。
【０２１７】
例１５はゾル−ゲル由来生物活性ガラスを含む生物活性ガラスを含む化粧品処方は皮膚を刺激せず、または何らかの感知しうるアレルギー過敏症を呈しない。
例１５：皮膚感度試験
いくつかの原型製品（Ｏ／Ｗ−処方にＢｉｏｇｌａｓｓ（３０％））は生物活性ガラスを含む任意の原型化粧品組成物の使用後皮膚の刺激またはアレルギー過敏症が存在したかどうかを測定するために試験を行なった。
パッチテストは堅実で比較的安全かつ合理的で信頼できるアレルゲン同定方法を示す。正確に適用されたパッチテストに対する陽性反応は、ヒトが試験物質に対し接触感受性を有することを証明するが、必ずしも該物質が臨床上の皮膚炎の原因ではない。
パッチテストでは、疑われた局所アレルゲンは皮膚の生活細胞（エフェクター）に角質層を浸透し、免疫系に局所挑戦させねばならない。
方法：
試験製品は濾紙パッチに適用し、不透過性シート上に置き、粘着テープで皮膚に固定する。（Ｌｅｕｋｏｔｅｓｔ（登録商標）、ＦＡ．Ｈａｒｔｍａｎｎ）。
試験部位：前腕の内側。試験パッチは２４時間そのままにし、次に除去する。皮膚科医による試験を次に行なう。第２および第３試験は４８時後および７２時間後皮膚科医が行なう。
すべての評価は標準照明条件下で責任のある皮膚科医が行なった。
パネリストは適用期間中試験部位の乾燥を保持するように指示された。
結果：
この試験条件下で、最初の刺激またはアレルギーの過敏症の証拠は全く認められなかった。３０回のパッチテストは２４、４８および７２時間後陽性反応を全く示さなかった。試験製品の使用は安全であると考えられる。
【０２１８】
例１６および１７は阻止帯試験の結果を示し、生物活性ガラスの抗菌効果を証明する。生物活性ガラスの抗菌効果は上記の多くの化粧品処方に有用である。
例１６：阻止帯試験
液体Ｃａｓｏ寒天またはサブロー寒天は相当する試験菌（目標：１０５ＣＦＵ／プレート）と混合し、ペトリ皿に注ぎ入れた。寒天が冷却後、ディスク（直径約１ｃｍ）を寒天培地から打ち抜き、約０．５ｇ４５Ｓ（Ｂｉｏｇｌａｓｓ登録商標）生物活性ガラス粉末を満たした。寒天は２時間５℃で貯蔵し、その後培養した。培養期間の完了後（１〜５日）、試料は阻止帯形成と生育についてチェックした。
試験に使用した微生物は
・バチルス・ズブチリス  ＡＴＣＣ６６３３
・スタフィロコッカス・アウレウス  ＡＴＣＣ６５３８
・シェードモナス・エルギノサ  ＡＴＣＣ９０２７
・カンジダ・アルビカンス  ＡＴＣＣ１０２３１
・アスペルギルス・ニガー  ＡＴＣＣ１６４０４
であった。
結果：
阻止帯の寸法ｍｍ／試料バッチ
2004500404.tif 000018
ｐＨは微生物を播種しない栄養培地で調整されるが、試料の存在で次のようになった。
ガラス粉末上　　　　　　　　　　　　ｐＨ≧１０
ガラス粉末に近い寒天上　　　　　　　ｐＨ９．５
寒天上（周辺）　　　　　　　　　　　ｐＨ８．５
対照プレート（ガラス粉末含まず）　　ｐＨ７．５
【０２１９】
例１７：濃度依存阻止試験
液体Ｃａｓｏ寒天またはサブロー寒天は相当する試験菌（目標：１０５ＣＦＵ／プレート）および４５Ｓ生物活性ガラス粉末の各種量（下図参照）と混合し、ペトリ皿に注ぎ入れた。寒天は５℃で２時間貯蔵し、その後培養した。培養期間の完了後（１〜５日）、試料は阻止帯の形成および生育についてチェックした。
使用試験微生物は
・バチルス・ズブチリス  ＡＴＣＣ６６３３
・スタフィロコッカス・アウレウス  ＡＴＣＣ６５３８
・シェードモナス・エルギノサ  ＡＴＣＣ９０２７
・カンジダ・アルビカンス  ＡＴＣＣ１０２３１
・アスペルギルス・ニガー  ＡＴＣＣ１６４０４
であった。
結果：異る量のガラス粉末を使用する場合の微生物数
2004500404.tif 000019
生物活性ガラスの抗菌効果は例１６に示す阻止帯試験および例１７に示す濃度関数の双方で検知できた。
微生物生育の減少は培地のｐＨ増加と相関する。
【０２２０】
例１８および１９は各種微生物に対する生物活性ガラスの効果を証明する。
例１８：微生物学的試験シリーズ
生物活性ガラスの水性溶液（透明な上澄）、Ｏ／Ｗエマルジョン、Ｗ／Ｏエマルジョンの個々の微生物による微生物学的試験シリーズ（それぞれの生物活性ガラスの濃度は異る）
条件：
・各個微生物サスペンジョン
・食塩を有する（水性溶液で）
・ｐＨ値無変化
・非滅菌水性溶液
配置：
・各個微生物の負荷試験の概要表
・試験処方Ｖ９９／０２０／０１／１１−１９（水性上澄）
・試験処方Ｖ９９／０２０／０２／０１ａ−ｈ（Ｏ／Ｗエマルジョン）（ａ−ｈ＝異る濃度のＢｉｏＧｌａｓ／０〜０．２％ＶＳＭ１２６５０
・試験処方Ｖ９９／０２０／０２／０２ａ−ｆ（Ｏ／Ｗエマルジョン）（ａ−ｆ＝異る濃度のＢｉｏＧｌａｓ／０〜２０％ＶＳＭ１２６５０
・試験処方Ｖ９９／０２０／０３／０１ａ−ｈ（Ｗ／Ｏエマルジョン）（ａ−ｈ＝異る濃度のＢｉｏＧｌａｓ／０〜２０％ＶＳＭ１２６５０
・試験処方Ｖ９９／０２０／０３／０２ａ−ｆ（Ｗ／Ｏエマルジョン）（ａ−ｆ＝異る濃度のＢｉｏｇｌａｓ／０〜２０％ＶＳＭ１２６５０）
・負荷試験ＭＢ９９０６６９−７１３（水性上澄）
・負荷試験ＭＢ９９０７１４−７４３（Ｏ／Ｗエマルジョン）
・負荷試験ＭＢ９９０７４４−７７３（Ｗ／Ｏエマルジョン）
・安定性試験Ｓ９９００２９（Ｖ９９／０２０／０２／０１ｈに対し）
・安定性試験Ｓ９９００４６（Ｖ９９／０２０／０２／０２ｅに対し）
・安定性試験Ｓ９９００３０（Ｖ９９／０２０／０３／０１ｈに対し）
・安定性試験Ｓ９９００４７（Ｖ９９／０２０／０３／０２ｃに対し）
結果：
水性上澄
アスペルギルス・ニガーの場合を除いて、すべての負荷試験は試験シリーズの論理的経過を示す。３〜５％の生物活性ガラスの濃度から、６負荷サイクル後でさえ全く生育は検知できない。生物活性ガラスはスタフィロコッカス・アウレウスに対しもっとも有効である。アスペルギルス・ニガーは第４負荷サイクル後もはや全く生育抑制を示さない。生物活性ガラスはアスペルギルス・ニガーに対し第４負荷サイクルまでより高濃度で有効である（注：アスペルギルス・ニガーは他の種と比較して他の保存系でも同様にしばしば問題を提示するものでこの結果は驚くべきものではない）。
Ｏ／Ｗエマルジョン／Ｗ／Ｏエマルジョン
低濃度（２％）の生物活性ガラスでさえ、明らかな保存効果が認められる。しかし、ここではまた、アスペギルス・ニガーは上記挙動を示す。
安定性
Ｓ９９００２９＝Ｏ／ＷエマルジョンベースＶ９９／０２０／０２／０１ｈ＝０．２％ＶＳＭ１２６５０
通常試験：−７℃／４０℃、安定
極限試験：−１４℃／６０℃、第３サイクルで分離
Ｓ９９００４６＝Ｏ／ＷエマルジョンベースＶ９９／０２０／０２／０２ｅ＝２０％ＶＳＭ１２６５０
通常試験：安定
極限試験：安定
Ｓ９９００３０＝Ｗ／Ｏエマルジョンベース＝Ｖ９９／０２０／０３／０１ｈ＝０．２％ＶＳＭ１２６５０
通常試験：第３サイクル後分離
極限試験：使用不可
Ｓ９９００４７＝Ｗ／ＯエマルジョンベースＶ９９／０２０／０３／０２ｅ＝２０％ＶＳＭ１２６５０
試験シリーズの出発前でさえエマルジョンの分離。
2004500404.tif 000020
2004500404.tif 000021
2004500404.tif 000022
2004500404.tif 000023
【０２２１】
例１９：微生物試験シリーズ
選択したＯ／Ｗエマルジョンの個々の微生物による微生物試験シリーズ（Ｖ９９／０２０／０４／０３（Ｇ４）＝新しい実験室試料Ｖ９９／０２０／０６／０１）
条件：
・個々の微生物サスペンジョン
・化粧品に一般的の値に変えたｐＨ値（クエン酸）
・滅菌せず
配置：
・個々の微生物の負荷試験の概要表
・経時的ｐＨの調整および変化の概要表
・試験処方Ｖ９９／０２０／０６／０１ａ−ｆ
・負荷試験ＭＢ９９１０００−１０３４
結果／結論：
Ｏ／Ｗエマルジョンによる微生物無菌性は達成が困難であるが、最初の塗抹（ブランク）は大腸菌の場合を除いて無菌性を示す。さらに、適当なＯ／Ｗエマルジョンベースを選択したのに拘らずこのベースは大腸菌およびスタフィロコッカス・アウレウスに対しそれ自体の保存効果を有する。
例１９から次の結果を示す。
１．Ｏ／ＷベースのｐＨ値は試験シリーズの過程でクエン酸による調整前の値に増加する。生物活性ガラスを含まない試料のｐＨ値は未変化のままである。
２．微生物の生育は明らかに抑制される。
３．高濃度で、アスペルギルス・ニガーのような調整が困難な微生物でさえ有効に抑制される。
４．高ｐＨ値は微生物抑制と相関する。
2004500404.tif 000024
2004500404.tif 000025
【０２２２】
洗浄剤
概括
本発明は生物活性ガラスを含む新規洗浄剤組成物を供する。本発明はこれらの新規無毒性洗浄剤の製造法および使用方法を供する。
微粒生物活性ガラスおよび／または微粒生物活性ガラスの水性抽出物は標準家庭用洗浄剤および工業用洗浄剤に添加することができる。その結果として処方は増強された洗浄性および抗菌性を有する洗浄剤を供する。生物活性ガラスの直接的抗菌効果の他に、生物活性ガラスにより生ずる増加ｐＨは洗浄性も増強する。さらに、生物活性ガラスは血液および食品のようなタン白物質および油およびグリースに高い親和性を有する。生物活性ガラスを含有する洗浄剤は限定されないが、塗料を塗った壁、木製家具、ビニルの床（ワックス塗りおよび無ワックス）、ガラス磁器、磁器エナメル、ステンレス鋼、プラスチック積層品（Ｆｏｒｍｉｃａ，登録商標）、プラスチック、アクリル、ファイバーガラスおよびクロムを含む清浄で消毒された表面に有効に使用できる。これらの新規洗浄剤は限定されないが、羊毛から織った敷物、各種合成繊維、および衣類商品を含む清浄な織物生地にも有効に使用できる。
【０２２３】
伝統的洗浄剤は例えば、汚れを溶解するのに有用な溶媒、特に水性溶媒に溶解した１つ以上の界面活性剤を含有する配合物でありうる。界面活性剤は一般にグリースまたは油汚れの洗浄に有効である。しかし、タン白またはタン白を含有する汚れ例えば血液、他の汚染物質例えばコーヒーまたは茶、および微生物汚染を含む見えない汚れのような他の汚れはこの方法だけでは洗浄できない。この理由で、漂白剤および／または消毒剤は通例洗浄処方に添加されるので、残留する汚れはもはや見えない点まで少なくとも除去される。汚染は通例グリースおよび顔料汚れの溶解後、酸化除去される。
【０２２４】
酸化除去は一般に例えば塩素含有化学物質により達成される。塩素含有化学物質は一般に汚れの着色部分のみを除去するが、一方塩基性物質を有する他の不溶性物質は残留する。高反応性のため、塩素の不利は着色表面および織物のような物質を侵略的に攻撃して色調を変え、または色を滲出させることである。さらに塩素は洗浄する物質、特に織物を侵略的に攻撃するので、その塩基構造は複数回の洗滌後破壊される。
【０２２５】
塩素の酸化効果を緩和する以前の試みは過酢酸の使用を含んだ。過酢酸は適当な消毒効果を有するが、多孔性物質に浸透するその能力は不十分であり、これは順次不満足な安定化効果になる。さらに、過酢酸は程度は低いが、酸化効果を有する。過酢酸の酸化効果は色素−破壊漂白効果を創造できないが、大部分の場合、その消毒効果は十分ではない。このため、例えば好気性胞子生産菌を除去することができない。さらに、過一酸の使用は羊毛のようないくつかの物質に有意な損傷を生ずる。
従って、本発明の１態様の目的は、無毒で、尚抗菌効果を供し、一方良好な洗浄性も有する洗浄剤を製造することである。
【０２２６】
生物活性ガラスはＣａ２＋イオンを遊離するので、水溶液中に生物活性ガラスの存在は溶液の硬度を有意に増加することが予想された。従って、石灰化の増加は洗浄作用の低減となるので、これらのガラスは洗たくおよび洗浄剤として使用するには適さないことが予期される。さらに、生物活性ガラスの研磨効果は物質、特に織物に機械的損傷を生じ、これは侵食に帰着することが予期された。それにも拘らず、出願人は各種の有効な洗浄剤はその処方に生物活性ガラスを含むことができることを意外なことに見出した。意外なことに、洗浄の有効性はアルカリイオンの遊離により妨害されないし、水の硬度の増加または石灰化の増加はない。また、これらの新規洗浄剤は洗浄する物質、特に織物に、ガラス粒子の添加により懸念される侵食または損傷を与えない。
【０２２７】
生物活性ガラスは標準家庭用洗滌剤より「ソフト」であるのでガラス洗浄剤として十分に適し、温和な研磨剤として適する。さらに、生物活性ガラスにより遊離する可溶性ミネラルはガラスを強化する。例えば、生物活性ガラスにより遊離するケイ素は、亀裂の生長反応を予防することによりガラス製品の強化および保護に特に有用である。生物活性ガラスはガラスの亀裂を被覆し、保護ケイ素層を築き上げる。
【０２２８】
本発明はウイルスや細菌に対し殺滅剤として作用するのみでなく、皮膚や物質にも温和であり、アレルギー反応を起こさず、凝固タン白のような除去の困難な汚れを清浄にする生物活性ガラスを含有する洗浄剤を供する。本発明はまた少なくとも１つの界面活性剤を有する溶媒と一緒に使用する殺菌性および汚れ除去性を有する無毒性洗浄剤も供する。
【０２２９】
１つの態様では洗浄剤は無毒性であり、少なくとも１つの界面活性剤を含有する溶解剤と連結使用する場合殺菌および汚れ−除去特徴を有し、およびガラス粒子１ｇにつき２５０μｇ以上のアルカリイオンを遊離する生物活性ガラス粒子を含有する。別の態様では、洗浄剤はガラス粒子１ｇにつき少なくとも３００μｇのアルカリイオンを遊離する生物活性ガラス粒子を含む。
【０２３０】
ガラス粒子は好ましくは４００μｍより小さい平均粒度を有する。別の態様ではガラス粒子は１００μｍより小さい平均粒度を有する。
１つの態様では洗浄剤は界面活性剤としてテンサイドを含む。別の態様では洗浄剤は重量％基準で次の範囲内の成分：４０〜６０％ＳｉＯ２、１０〜３０％ＣａＯ、０〜３５％Ｎａ２Ｏ、２−８％Ｐ２Ｏ５、０〜２５％ＣａＦｅ、０〜１０％Ｂ２Ｏ３、０〜８％Ｋ２Ｏおよび０〜５％ＭｇＯを有する生物活性ガラスを含有する。
【０２３１】
１つの態様では洗浄剤全重量の約１〜７重量％のガラス粒子を含む。１つの態様では本発明は洗浄剤の製造方法を供し、この方法ではガラス粒子は少なくとも１つの界面活性剤に添加し、ガラス粒子は１ｇのガラス粒子につき少なくとも２５０μｇのアルカリイオンを遊離する。別の態様では本発明は各種の表面および織物原料のような清浄対象に洗浄剤を使用する方法を供する。１つの態様では洗浄剤は皿洗い剤である。別の態様では、本発明は病院、診療所で、および飲食産業で清浄化するための洗浄剤の使用方法を供する。
【０２３２】
１つの態様では、生物活性ガラスを含有する洗浄剤は１ｇのガラス粒子につき２５０μｇ以上のアルカリイオンを遊離する。本発明の別の態様による洗浄剤に含有されるガラス粒子は好ましくは１ｇのガラス粒子につき３００μｇ以上、特に５００μｇ以上のアルカリイオンを遊離する。１ｇのガラス粒子につき１ｍｇ以上のアルカリイオンを遊離するガラス粒子は尚一層特に好ましい。
【０２３３】
このような洗浄剤は表面および織物原料を洗浄し、滅菌するのに有用であるのみではなく、外科器具の洗浄および滅菌に使用することもできる。さらに、生物活性ガラスを含有する洗浄剤は皿洗い剤として、特に皿洗い機に使用するのに有用である。これらの新規洗浄剤は公衆衛生、病院および飲食産業で表面および物質の消毒および洗浄に使用することもできる。
【０２３４】
製造方法
本発明は生物活性ガラスを含む洗浄剤組成物の製造方法も供する。生物活性ガラスの抗菌有効量は洗浄剤処方に添加または含まれる。「生物活性ガラスの抗菌有効量」とは有効に微生物汚染を予防または制御する適当な粒度を有する十分量の生物活性ガラスを意味する。洗浄剤処方に含む生物活性ガラスの量および粒度は望む期間および純度および予想される微生物挑戦に大きくよる。「生物活性ガラスの抗菌有効量」とは微生物汚染を有効に予防または制御する生物活性ガラスの十分量の水性抽出物を意味することもできる。生物活性ガラスの抗菌有効量は微生物汚染を有効に予防または制御する微粒生物活性ガラスと生物活性ガラスの水性抽出物の組合せを意味することもできる。
【０２３５】
生物活性ガラスは例えば、遅い、中位の、適度のまたは烈しくさえある撹拌による一般的混合のような技術または技術の組合せを使用して洗浄剤処方に添加または含むことができる。十分な撹拌は相対的均質性を達成するために行なうべきである。好ましくは混合および撹拌は過度の通気を避け、低剪断速度で行なう。混和、分散、混合、組合せおよび／または乳化の他の方法または方法の組合せは使用できる。撹拌は例えば標準混合機のような装置により達成できる。一般的混合および混和は例えば羽根車により達成できる。
【０２３６】
生物活性ガラスは実質的に任意の既知洗浄剤処方に添加または含むことができる。出願人は生物活性ガラスは任意の処方に包含するのに十分に適すると同様に、やがて開発される洗浄剤処方にも適することを期待する。１つの態様では生物活性ガラスは微粒子でよい。別の態様では生物活性ガラスは微粒生物活性ガラス由来の水性溶液でよい。尚別の態様では、生物活性ガラスは微粒生物活性ガラスと生物活性ガラス由来の水性溶液の組合せでよい。
【０２３７】
１つの態様ではこれらの新規洗浄剤の製造方法は洗浄剤と１つ以上の界面活性剤および生物活性ガラスとを組合せることを含む。方法は溶媒の添加を含むこともできる。１つの態様では方法は微粒生物活性ガラスおよび／または生物活性ガラスの水性抽出物の添加を含む。生物活性ガラス水性溶液は例えば、噴霧乾燥または真空乾燥により乾燥して抗菌組成物を得ることができる。組成物は他の抗菌溶液または洗浄剤に添加して付加的抗菌成分を溶液または洗浄剤に供することができる。
【０２３８】
本発明は次の非限定例を引用して一層明確に理解されるであろう。
洗浄剤の種類
本発明は洗たく洗浄剤、汚れ除去剤、および織物柔軟化製品、皿洗い製品、空気清浄剤、脱臭製品、浴室用ティッシュ−顔用ティッシュ、紙タオル、ナプキン製品、綿棒、手ふき、磨きおよびスポンジ製品、オーブン清浄製品、トイレット洗浄製品、浴槽およびシャワー洗浄製品、カーペット洗浄製品、すべての用途の洗浄製品および宝石および金属洗浄製品を含む各種品目の洗浄製品に生物活性ガラスを添加する新規処方物を製造する。
【０２３９】
洗たく洗浄剤、汚れ除去剤および織物柔軟剤
本発明はＡｊａｘ，Ａｌｌ，Ａｒｍ　＆　Ｈａｍｍｅｒ，Ｂｉｚ，Ｂｏｌｄ，Ｂｏｕｎｃｅ，Ｃａｒｂｏｎａ，Ｃｈｅｅｒ，Ｃｌｉｎｇ　Ｆｒｅｅ，Ｃｌｏｒｏｘ，Ｄｏｗ，Ｄｏｗｎｙ，Ｄｒｅｆｔ，Ｄｒｙｅｌ，Ｅｒａ，Ｆａｂ，Ｆｅｂｒｅｚｅ，Ｆｒｅｓｈ　Ｓｔａｒｔ，Ｇａｉｎ，Ｉｖｏｒｙ，Ｋ２Ｒ，Ｏｘｙｄｏｌ，Ｐｕｒｅｘ，Ｒｉｔ，Ｓｈｏｕｔ，Ｓｎｕｇｇｌｅ，Ｓｐｒａｙ　＆　Ｗａｓｈ，Ｓｔａｉｎ　Ｄｅｖｉｌ，Ｓｕｎ　Ｃｕｄｄｌｅ，Ｓｕｒｆ，Ｔｈｏｒｏ，Ｔｉｄｅ，Ｕｌｔｒａ，Ｗｉｎｄｆｒｅｓｈ，Ｗｉｓｋ，Ｗｏｏｌｉｔｅ，Ｚ’Ｏｕｔのブランド名で市販する製品、および最高級および一般的製造者が製造する製品のような各種品目の各種洗たく洗浄剤、汚れ除去剤および織物柔軟剤に生物活性ガラスを添加する新規処方を含む。
【０２４０】
一般に、洗たく洗浄剤、汚れ除去剤、および織物柔軟製品は洗浄剤（アニオンおよび非イオン界面活性剤）、酵素、水軟化剤、分配助剤（プロピレングリコール）、緩衝剤、水、安定剤、土懸濁剤、色−保護剤、着色剤および香料を含む。　洗たく洗浄剤、汚れ除去剤、および織物柔軟製品の共通処方は洗浄剤（アニオンおよび非イオン界面活性剤）、緩衝剤、安定剤、香料、光沢剤および着色剤を含む。
【０２４１】
洗たく洗浄剤、汚れ除去剤および織物柔軟剤は次の１つ以上のものを含むこともできる。すなわち次亜塩素酸ナトリウム、過酸化水素、水軟化剤（珪素アルミニウム、炭酸ナトリウム）、各種処理助剤（硫酸ナトリウム）、各種洗浄剤保護剤、各種土懸濁剤、カチオン界面活性剤および各種保存料。
【０２４２】
本発明は上記任意成分の組合せに生物活性ガラスを添加することにより洗たく洗浄剤、汚れ除去剤および織物柔軟製品の新規処方を供する。
生物活性ガラスの抗菌およびｐＨ効果は細菌および臭いを減少し、ｐＨを増加するため洗たく洗浄剤に特に有用である。
【０２４３】
皿−洗い製品
本発明はＡｊａｘ，Ａｌｌ，Ｃａｓｃａｄｅ，Ｃｒｙｓｔａｌ　Ｗｈｉｔｅ，Ｄａｗｎ，Ｄｏｖｅ，Ｅａｒｔｈ　Ｆｒｉｅｎｄｌｙ，Ｅａｓｙ　Ｏｆｆ，Ｅｌｅｃｔｒｏｓｏｌ，Ｅｘｔｒａ　Ｐｌｕｓ，Ｇｌａｓｓ　Ｍａｇｉｃ，Ｉｖｏｒｙ，Ｊｅｔ  Ｄｒｙ，Ｊｏｙ，Ｐａｌｍｏｌｉｖｅ，Ｓｕｎ  Ｌｉｇｈｔ，Ｓｕｒｆのブランド名で市販する製品、および最高級および一般的製造者が製造する製品のような各種品目の皿洗い製品に生物活性ガラスを添加する新規処方を含む。
【０２４４】
一般に、皿洗い製品は洗浄剤、ｐＨを増加するアルカリ化合物、界面活性剤および香料を含む。
皿洗い製品の共通処方はトリクロサン、水、アンモニウムラウレスサルフェート、ラウリルポリグルコース、ドデシルベンゼンスルホン酸ナトリウム、ＳＤアルコール３−Ａ、キシレンスルホン酸ナトリウム、クオータニウム−１５、ラウルアミドミリストアミドＭＥＡ、香料および各種着色剤を含む。
【０２４５】
皿洗い製品は１つ以上の次のものを含むこともできる、すなわち塩素漂白剤、珪酸塩、ラウリルポリグルコーズ、ＤＭＤＭヒダントイン、メチルクロロイソチアゾリノン、炭酸カルシウム、メチルイソチアゾリノン、アニオン界面活性剤、炭酸ナトリウム、３Ｎａ  ＨＥＤＴＡ、メタ亜硫酸水素ナトリウム、および各種性質の調整剤。
【０２４６】
本発明は上記任意成分の組合せに生物活性ガラスを添加することにより皿洗い製品の新規処方を供する。
生物活性ガラスの抗菌およびｐＨ効果は細菌を減少し、洗浄力を増加するため皿洗い製品に特に有用である。
【０２４７】
空気−清浄剤および室脱臭製品
本発明はＡｉｒｗｉｃｋ，Ａｒｍ　＆　Ｈａｍｍｅｒ，Ｃｌｏｒｅｘ，Ｃｏｕｎｔｒｙ　Ａｉｒ，Ｃｏｕｎｔｒｙ  Ｒｏｓｅ，Ｄａｌｅ，Ｅｎｏｚ，Ｇｌａｄｅ，Ｌｅｍｏｎ  Ｆｒｅｓｈ，Ｌｉｔｔｌｅ  Ｔｒｅｅ，Ｌｙｓｏｌ，Ｍｏｏｎｌｉｇｈｔ  Ｂａｙ，Ｏｎｅ  Ｄｒｏｐ，Ｐｉｎｅ  Ｃｌｏｓｅｔ，Ｒｅｎｕｚｉｔ，Ｓｏｌｉｄ  Ｓａｃｈｅｔ，Ｗｉｚａｒｄのブランド名で市販される製品、および最高級および一般的製造者が製造する製品のような各種品目の空気清浄剤および室脱臭製品に生物活性ガラスを添加する新規処方を含む。
【０２４８】
空気清浄剤および室脱臭製品の共通処方はＮ−アルキル、ジメチルベンジルアンモニウムクロリド、オクチルデシルジメチルアンモニウムクロリド、ジオクチルジメチルアンモニウムクロリドおよびジデシルジメチルアンモニウムクロリドを含む。
【０２４９】
空気清浄剤および室脱臭製品は１つ以上の次のものを含むこともできる、すなわちアルキルメチルベンジルアンモニウムサッカリネートおよびエタノール。
本発明は上記任意成分の組合せに生物活性ガラスを添加することにより空気清浄剤および室脱臭製品の新規処方を供する。
生物活性ガラスの抗菌およびｐＨ効果は細菌および臭いを低減するため空気清浄剤および室脱臭製品に特に有用である。
【０２５０】
浴室および台所用紙製品
本発明はＡｎｇｅｌ　Ｓｏｆｔ，Ｂｏｕｎｔｙ，Ｂｒａｗｎｙ，Ｂｒｉｔｅ−Ｌｉｆｅ，Ｃｈａｒｍｉｎ，Ｃｏｔｔｏｎｅｌｌｅ，Ｇｏｏｄ　＆　Ｐｌｅｎｔｙ，Ｇｒｅｅｎ　Ｆｏｒｅｓｔ，Ｈｉ　Ｄｒｉ，Ｋｌｅｅｎｅｘ，Ｍａｒｃａｌ，Ｍａｒｄｉ　Ｇｒａｓ，Ｍｄ　Ｂａｔｈ　Ｔｉｓｓｕｅ，Ｎｏｒｔｈｅｒｎ，Ｐｕｆｆｓ，Ｐｕｒｅｌｙ　Ｃｏｔｔｏｎ，Ｓｃｏｔｔ，Ｓｃｏｔｔｉｅｓ，Ｓｏ−Ｄｒｉ，Ｓｏｆｔ‘Ｎ　Ｇｅｎｔｌｅ，Ｓｐａｒｋｌｅ，Ｖａｎｉｔｙ　Ｆａｉｒ，Ｖｉｖａ，Ｗａｓｈ‘Ｎ　Ｄｒｉ，Ｚｅｅのブランド名で市販される製品、および最高級および一般的製造者が製造する製品のような各種品目の浴室用ティッシュ、顔用ティッシュ、紙タオルおよびナプキン製品に生物活性ガラスを添加する新規処方を含む。
【０２５１】
浴室用ティッシュ、顔用ティッシュ、紙タオルおよびナプキン製品の共通処方は精製木材パルプ、皮膚コンディションナー、着色剤および香料を含む。
本発明は上記任意成分の組合せに生物活性ガラスを添加することにより浴室用ティッシュ、顔用ティッシュ、紙タオルおよびナプキン製品の新規処方を供する。
【０２５２】
洗浄剤付属製品
本発明はＡｒｄｅｎ，Ｅｃｈｏ，Ｇｕａｒｄｓｍａｎ，Ｈａｎｄｉ　Ｗｉｐｅｓ，Ｊｏｈｎｓｏｎ　＆　Ｊｏｈｎｓｏｎ，Ｌｙｓｏｌ，Ｍｒ．Ｃｌｅａｎ，Ｏ−Ｃｅｌ−Ｏ，Ｐｌｅｄｇｅ，Ｑ−ｔｉｐｓ，Ｓ．Ｏ．Ｓ．，Ｓｃｏｔｃｈ　Ｂｒｉｔｅ，のブランド名で市販される製品、および最高級および一般的製造者が製造する製品のような綿棒、手ふき、研磨剤およびスポンジ製品の各種品目に生物活性ガラスを添加する新規処方を含む。
【０２５３】
本発明は上記任意成分の組合せに生物活性ガラスを添加することにより綿棒、手ふき、研磨製品およびスポンジ製品の新規処方を供する。
生物活性ガラスの抗菌およびｐＨ効果は細菌および臭いを低限するため綿棒、手ふき、すり磨きおよびスポンジ製品に特に有用である。さらに、生物活性ガラスの研磨効果は汚れおよびしみの除去を助ける。
【０２５４】
オーブン洗浄製品
本発明はＤｏｗ，Ｅａｓｙ　Ｏｆｆ，Ｋｌｅｅｎ　Ｋｉｎｇのブランド名で市販される製品、および最高級および一般的製造者が製造する製品のようなオーブン洗浄製品の各種品目に生物活性ガラスを添加する新規処方を含む。
【０２５５】
一般に、オーブン洗浄製品は活性成分の水酸化ナトリウムを含む。
オーブン洗浄製品の共通処方は水、界面活性剤、グリース除去剤、水酸化ナトリウム、水調整剤、香料および各種着色料を含む。
【０２５６】
本発明は上記任意成分の組合せに生物活性ガラスを添加することによりオーブン洗浄剤の新規処方を供する。
生物活性ガラスの抗菌効果は細菌および臭いを低減するためオーブン洗浄製品に特に有用である。
【０２５７】
トイレット洗浄製品
本発明はＢｏｙ，Ｂｏｗｌ　Ｆｒｅｓｈ，Ｃｌｏｒｏｘ，Ｄａｌｅ，Ｄｏｗ，Ｌｉｍｅ　Ａｗａｙ，Ｌｙｓｏｌ，Ｓｅｐｔｏｎｉｃ，Ｓｎｏ　Ｂｏｌ，Ｔｉｏｌｅｔ　Ｄｕｃｋ，Ｔｙ−Ｄ−Ｂｏｌ，Ｖａｎｉｓｈ，Ｗｉｌｌｅｒｔ　Ｂｏｗｌ，ａｎｄ　Ｘ−１４のブランド名で市販される製品、および最高級および一般的製造者が製造する製品のようなトイレット洗浄製品の各種品目に生物活性ガラスを添加する新規処方を含む。
【０２５８】
一般に、トイレット洗浄製品は活性成分の修酸を含む。
トイレット洗浄製品の共通処方は臭素、塩素、１ーブロモ−３−クロロ−５，５−ジメチルヒダントイン、１，３ジクロロ−５，５−ジメチルヒダントイン、および１，３−ジクロロ−５−エチル−５−メチルヒダントインを含む。
【０２５９】
トイレット洗浄製品は１つ以上の次のものを含むこともできる、すなわち、塩化水素、アルキル、ジメチルベンジルアンモニウムクロリド、オクチルデシルジメチルアンモニウムクロリド、ジデシルジメチルアンモニウムクロリド、およびジオクチルジメチルアンモニウムクロリド。
本発明は上記任意成分の組合せに生物活性ガラスを添加することによりトイレット洗浄製品の新規処方を供する。
生物活性ガラスの抗菌およびｐＨ効果は細菌および臭いを低減するためトイレット洗浄製品に特に有用である。
【０２６０】
浴槽およびシャワー洗浄製品
本発明はＣｌｅａｎ　Ｓｈｏｗｅｒ，Ｃｏｍｅｔ，Ｄｏｗ，Ｅｄｆｒｅｄ，Ｌｉｍｅ−ａｗａｙ，Ｌｙｓｏｌ，Ｐａｒｓｏｎｓ，Ｐｉｎｅ　Ｓｏｌｅ，Ｓｃｒｕｂ　Ｆｒｅｅ，Ｓｈｏｗｅｒ　Ｐｏｗｅｒ，Ｓｏｆｔ　Ｓｃｒｕｂ，Ｔｉｌｅｘ，Ｘ−１４のブランド名で市販される製品、および最高級および一般的製造者が製造する製品のような浴槽およびシャワー洗浄製品の各種品目に生物活性ガラスを添加する新規処方を含む。
【０２６１】
一般に、浴槽およびシャワー洗浄製品は次亜塩素酸ナトリウムおよび／または次亜塩素酸カルシウム、洗浄剤および漂白剤を含む。
浴槽およびシャワー洗浄製品の共通処方はアルキル、ジメチルベンジルアンモニウムクロリドおよび洗浄剤を含む。
浴槽およびシャワー洗浄製品は１つ以上の次のものも含むこともできる、すなわちジプロピレングリコールブチルエーテル、クエン酸、香料、水、炭酸カルシウム、次亜塩素酸ナトリウム、ジメチルエチルベンジルアンモニウムクロリド、グリコールエーテル、界面活性剤、土懸濁剤、洗浄剤、各種加工剤、各種着色剤および各種品質調整剤。
【０２６２】
本発明は上記任意成分の組合せに生物活性ガラスを添加することにより浴槽およびシャワー洗浄製品の新規処方を供する。
生物活性ガラスの抗菌およびｐＨ効果は細菌および臭いを低減するため浴槽およびシャワー洗浄製品に特に有用である。
【０２６３】
カーペット洗浄製品
本発明はＡｒｍ　＆　Ｈａｍｍｅｒ，Ｃａｒｐｅｔ　Ｆｒｅｓｈ，Ｆｏｌｅｘ，Ｆｏｒｍｕｌａ４０９，Ｇｌａｄｅ，Ｓｉｍｐｌｙ　Ｓｐｏｔ−Ｌｅｓｓ，Ｓｐｏｔ　Ｓｈｏｔ，Ｒｅｓｏｌｖｅ，Ｓｈｏｕｔ，Ｗｏｏｌｉｔｅのブランド名で市販される製品、および最高級および一般的製造者が製造する製品のようなカーペット洗浄製品の各種品目に生物活性ガラスを添加する新規処方を含む。
【０２６４】
一般に、カーペット洗浄製品は活性成分重炭酸ナトリウムおよび香料を含む。
本発明は上記任意成分の組合せに生物活性ガラスを添加することによりカーペット洗浄製品の新規処方を供する。
生物活性ガラスの抗菌およびｐＨ効果は細菌および臭いを低減するためカーペット洗浄製品に特に有用である。
【０２６５】
全用途洗浄製品
本発明はＡｍａｚｉｎｇ　Ｗｈｉｔｅ，Ｂｉｚ，Ｂｏｒａｔｅｅｍ，Ｃｌｏｒａｌｅｎ，Ｃｌｏｒｏｘ，Ａｊａｘ，Ａｒｍｓｔｒｏｎｇ，Ｂａｒｋｅｅｐｅｒｓ　Ｆｒｅｉｎｄ，Ｂｅｈｏｌｄ，Ｂｏｎ　Ａｍｉ，Ｂｒａｓｓｏ，Ｂｒｉｔｅ，Ｃａｍｅｏ，Ｃｉｎｃｈ，Ｃｌｅａｒ　Ｃａｌｃｉｕｍ　Ｌｉｍｅ　Ｒｕｓｔ　Ｒｅｍｏｖｅｒ，Ｃｌｏｒｏｘ，Ｃｏｍｅｔ，Ｄｏｗ，Ｅａｓｙ−Ｏｆｆ，Ｅｎｄｕｓｔ，Ｆａｎｔａｓｔｉｋ，Ｆｏｒｍｕｌａ４０９，Ｇｌａｓｓ　Ｍａｇｉｃ，Ｇｌａｓｓ　Ｐｌｕｓ，Ｉｎｔｅｒｎａｔｉｏｎａｌ　Ｂｒａｓｓ　＆　Ｍｅｔａｌ　Ｐｏｌｉｓｈ，Ｊｏｈｎｓｏｎ，Ｌｙｓｏｌ，Ｍｏｐ　＆　Ｇｌｏ，Ｍｒ．Ｃｌｅａｎ，Ｍｕｒｐｈｙ’ｓ，Ｏｌｄ　Ｅｎｇｌｉｓｈ，Ｐｉｎｅ　Ｏ　Ｐｉｎｅ，Ｐｉｎｅ　Ｓｏｌ，Ｐｌｅｄｇｅ，Ｐｒｏｃｔｏｒ　＆　Ｇａｍｂｌｅ，Ｏｒａｎｇｅ　Ｃｌｅａｎ，Ｏｒａｎｇｅ　Ｇｌｏ，Ｓｃｏｔｔｓ，Ｓｉｍｐｌｅ　Ｇｒｅｅｎ，Ｓｏｆｔ　Ｓｃｒｕｂ，Ｓｐａｒｋｌｅ，Ｓｐｉｃ　＆　Ｓｐａｎ，Ｔｉｌｅｘ，Ｔｗｉｎｋｌｅ，Ｘｔｒａ，Ｗｅｉｎｍａｎｓ，Ｗｉｎｄｅｘ，Ｗｒｉｇｈｔ，Ｗｒｉｇｈｔｓのブランド名で市販される製品、および最高級および一般的製造者が製造する製品のような全用途洗浄製品の各種品目に生物活性ガラスを添加する新規処方を含む。
【０２６６】
一般に、全用途洗浄製品は次亜塩素酸ナトリウムおよび／または次亜塩素酸カルシウム、洗浄剤、アンモニウムおよびアルコールを含む。
全用途洗浄製品の共通処方はナトリウムジクロロ−Ｓ−トリアジントリオンジハイドレート、洗浄剤（炭酸カルシウム、炭酸ナトリウム、アニオン界面活性剤）、香料、各種品質調整剤および各種着色剤を含む。
【０２６７】
全用途洗浄製品は１つ以上の次のものを含むこともできる、すなわちジプロピレングリコールブチルエーテル、クエン酸、漂白剤、Ｎ−アルキルジメチルベンジルアンモニウムクロリド、Ｎ−アルキルジメチルエチルベンジルアンモニウムクロリド、アンモニア−Ｄ、オクチルデシルジメチルアンモニウムクロリド、ジオクチルジメチルアンモニウムクロリド、イソプロパノールおよび界面活性剤。
【０２６８】
本発明は上記任意成分の組合せに生物活性ガラスを添加することにより全用途洗浄製品の新規処方を供する。
生物活性ガラスの抗菌およびｐＨ効果は細菌および臭いを低減するため一般用途洗浄製品に特に有用である。さらに、生物活性ガラスの研磨性は汚れおよびしみの除去を助ける。
【０２６９】
宝石および金属洗浄製品
本発明はＢｒａｓｓｏ，Ｉｎｔｅｒｎａｔｉｏｎａｌ　Ｂｒａｓｓ　＆　Ｍｅｔａｌ　Ｐｏｌｉｓｈ，Ｔｗｉｎｋｌｅ，およびＷｒｉｇｈｔｓのブランド名で市販される製品のような宝石および金属洗浄製品の各種品目に生物活性ガラスを添加する新規処方を含む。
本発明は上記任意成分に生物活性ガラスを添加することにより宝石および金属洗浄製品の新規処方を供する。
生物活性ガラスの研磨およびｐＨ効果は細菌を低減し、しみを除去するため宝石および金属洗浄製品に特に有用である。
【０２７０】
食品保存料、栄養サプリメントおよび機能性食品処方
食品保存料
多くの食品は潜在的に大腸菌のような細菌に汚染される。磨砕牛肉およびチキンは特に細菌汚染を受けやすい。生物活性ガラスの水性抽出物を含む水性溶液は抗菌性を有する。抗菌効果は一部、溶液のアルカリ性（約７以上のｐＨ、好ましくは約９以上、一層好ましくは約１０．５以上）に帰すべきである。しかし、相対的高ｐＨの水酸化ナトリウム溶液は殺菌にそれ程有効ではない。従って、溶液は単に相対的高ｐＨである以上に付加的抗菌成分の存在がある。
【０２７１】
生物活性ガラス組成物は汚染表面に噴霧し、または磨砕牛肉のような食品に添加することができる。生物活性ガラスはＦＤＡにより各種の使用を認可されたので、生物活性ガラス抽出物はヒトに無害であるべきである。さらに、生物活性ガラスは味またはテクスチャーに影響を及ぼさない。
生物活性ガラスの他に、抗生物質は食品保存料、栄養サプリメント、および機能性食品処方に添加できることも注目すべきである。生物活性ガラスを含む食品保存料、栄養サプリメントおよび機能性食品処方物に抗生物質の添加は経口摂取する処方物に特に有効である。
【０２７２】
機能性食品／栄養サプリメント
可溶性シリカは適当なカルシウムの吸収／代謝に必須であることがいくつかの動物モデルで示された。従って、適当量の可溶性シリカがなくてはカルシウム補給効果はだめになる。従って、カルシウム補給食品に生物活性ガラスを添加すると、カルシウムの吸収は改良できる。
さらに、制酸剤はカルシウムサプリメントとして販売量が増加している。従って、制酸剤処方に生物活性ガラスの添加はカルシウム吸収を増加し、ｐＨにおよぼすその効果により酸の低減もできる。
同様に、他のカルシウムサプリメントおよびオレンジジュース、シリアルおよび栄養セーキのような食品に添加したカルシウムは生物活性ガラスにより供されるカルシウム吸収の増加により利益を受けることができる。さらに、生物活性ガラスの抗炎症性は胃および腸炎のような内部炎症用の治療剤として適する。
【０２７３】
製造方法
経腸投与では、微粒生物活性ガラスは粉末または顆粒、または水性液または非水性液、例えばシロップ、エリキシル、エマルジョンまたはドラフトとして、所定量の粒子をそれぞれ含有するカプセル、カシュー、錠剤またはロゼンジのような分離ユニットの不活性キャリアに添加できる。適当なキャリアは澱粉または糖でよく、潤滑剤、フレーバ付与剤、結合剤、および同じ性質を有する他の物質を含むことができる。
錠剤は場合により１つ以上の付属成分と一緒に圧搾または成形により製造できる。圧搾錠剤は自由流動形、例えば粉末または顆粒の活性成分を、場合により付属成分、例えば結合剤、潤滑剤、不活性稀釈剤、界面活性剤または分散剤と一緒に、適当な機械で圧搾することにより製造できる。成形錠剤は適当な機械で粉末活性化合物と任意の適当なキャリアとの混合物を成形して製造できる。
シロップサスペンジョンは糖、例えばシュクロースの濃水溶液に活性化合物を添加することにより製造できる。この糖溶液に任意の付属成分を添加することもできる。このような付属成分はフレーバ付与剤、糖の結晶形成遅延剤または任意の他の成分、例えば多価アルコールとして例えばグリセロースまたはソルビトールの溶解増進剤を含むことができる。
【０２７４】
機能性食品／栄養サプリメントの種類
本発明の１つの態様は制酸製品、カルシウム補給製品、およびシリカ補給製品を含む各種機能性食品および栄養サプリメントの各種品目に生物活性ガラスを添加する新規処方物を製造する。
【０２７５】
制酸製品
本発明はＡｌｋａ−Ｍｉｎｔｓ，Ａｌｋａ−Ｓｅｌｔｚｅｒ，Ａｍｉｔｏｎｅ，Ａｘｉｄ，Ｂｒｉｔｅ−Ｌｉｆｅ，Ｂｒｏｍｏ　Ｓｅｌｔｚｅｒ，Ｄｉ−Ｇｅｌ，Ｇａｓ−Ｘ，Ｇａｖｉｓｃｏｎ，Ｇｅｌｕｓｉｌ，Ｇｏｏｄ　Ｓｅｎｓｅ，Ｉｍｏｄｉｕｍ，Ｋａｏｐｅｃｔａｔｅ，Ｌａｃｔａｉｄ，Ｍａａｌｏｘ，Ｍａｇ−Ｏｘ，Ｍｙｌａｎｔａ，Ｐｅｐｃｉｄ　ＡＣ，Ｐｅｐｔｏ−Ｂｉｓｍｏｌ，Ｐｈａｚｙｍｅ，Ｐｈｉｌｌｉｐｓ，Ｐｒｅｌｉｅｆ，Ｒｉｏｐａｎ，Ｒｏｌａｉｄｓ，Ｓａｌ　Ｄｅ　Ｐｉｃｏｔ，Ｔａｇａｍｅｔ，Ｔｅｍｐｏ，Ｔｉｔｒａｌａｃ，Ｔｕｍｓ，Ｚａｎｔａｃ，のブランド名で市販される製品、および最高級および一般的製造者が製造する製品のような制酸製品の各種品目に生物活性ガラスを添加する新規処方を含む。
【０２７６】
制酸製品の通常処方はアスピリン、重炭酸ナトリウム、クエン酸、クエン酸ナトリウム、アセチルサリチル酸ナトリウム、アスパルテーム、フレーバおよびフェニルアラニンを含む。
制酸製品は１つ以上の次のものを含むこともできる、すなわち炭酸カルシウム、ステアリン酸マグネシウム、鉱油、ヘキサメタリン酸ナトリウム、澱粉、ステアリン酸、シュクロース、タルク、水酸化アルミニウム、炭酸マグネシウム、アルギン酸、ステアリン酸カルシウム、アスパルテーム、クロスカルメロースナトリウム、シリカ、各種合成および天然フレーバ付与剤、および各種着色剤。
【０２７７】
本発明は上記任意成分の組合せに生物活性ガラスを添加することにより制酸製品の新規処方を供する。
生物活性ガラスの抗炎症および抗菌効果は炎症および細菌を低減するため制酸製品に特に有用である。
【０２７８】
カルシウム補給製品
本発明はＡｌｋａ−Ｍｉｎｔｓ，Ａｍｉｔｏｎｅ，Ｂａｓｉｃ　Ｎｕｔｒｉｔｉｏｎ，Ｂａｙｅｒ，Ｂｉｏｔｅｎｅ，Ｂｌａｃｋ　Ｒａｄｉａｎｃｅ，Ｂｒｉｔｅ−Ｌｉｆｅ，Ｃａｌｃｅｔ，Ｃａｌ−Ｍａｘ，Ｃａｌｔｒａｔｅ，Ｃｅｎｔｒｕｍ  Ｋｉｄｓ，Ｃｉｔｒａｃｅｌ，Ｄｉｃａｌ−Ｄ，Ｄｉ−Ｇｅｌ，ｄｒｕｇｓｔｏｒｅ．ｃｏｍ、Ｅｎａｍｅｌｏｎ，Ｅｎｓｕｒｅ，Ｅｑｕａｌａｃｔｉｎ，Ｅｓｔｒｏｖｅｎ，ＦｉｂｅｒＣｏｎ，Ｆｌｉｎｔｓｔｏｎｅｓ，Ｆｌｏｒｉｃａｌ，ＦｏｓＦｒｅｅ，Ｆｕｔｕｒｅｂｉｏｔｉｃｓ，Ｇａｓ−Ｘ，ＧＮＣ，Ｇｏｏｄ  Ｓｅｎｓｅ，Ｈｅａｌｔｈｙ  Ｗｏｍａｎ，Ｋｏｎｓｙｌ，Ｍａａｌｏｘ，Ｍｙｌａｎｔａ，Ｎａｔｒｏｌ，Ｎａｔｕｒａｌｉｆｅ，Ｎａｔｕｒａｌ  Ｗｅａｌｔｈ，Ｎａｔｕｒａｌｌｙ  Ｓｃｉｅｎｔｉｆｉｃ，Ｎａｔｕｒｅ  Ｍａｄｅ，Ｎａｔｕｒｅ’ｓ  Ｂｏｕｎｔｙ，Ｎａｔｕｒ’ｓ  Ｒｅｗａｒｄ，Ｎａｔｕｒｅ’ｓ  Ｗａｙ，Ｎｅｏ−Ｃａｌｇｌｕｃｏｎ，Ｎｅｐｈｒｏ−Ｃａｌｃｉ，Ｎｕｔｒｉｔｉｏｎ  Ｎｏｗ，Ｏｎｅ−Ａ−Ｄａｙ，Ｏｌｒｙ，Ｏｓ−ｃａｌ，ＰｈａｒｍＡｓｓｕｒｅ，ＰｈｅｎＳａｆｅ，Ｐｈｉｌｌｏｐｓ，Ｐｏｓｔｕｒｅ，Ｐｒｅｌｉｅｆ，Ｐｒｏｖａｔｅ，Ｒ＆Ｃ，Ｒ＆Ｄ，Ｒａｉｎｂｏｗ  Ｌｉｇｈｔ，Ｒｅｖｌｏｎ，Ｒｏｂｅｒｔｓ，Ｒｏｌａｉｄｓ，Ｓｃｈｉｆｆ，Ｓｉｍｉｌａｃ，Ｓｏｌｇａｒ，Ｓｔｕａｒｔ  Ｐｒｅｎａｔａｌ，Ｓｕｎｄｏｗｎ，Ｓｕｒｆａｋ，Ｔｈｏｍｐｓｏｎ，Ｔｉｔｒａｌａｃ，Ｔｕｍｓ，Ｔｗｉｎｌａｂ，Ｖｉａｃｔｉｖ，ＶｉｔａＦｒｅｓｈ，のブランド名で市販される製品、および最高級および一般的製造者が製造する製品のような丸剤およびチューイング形の食物サプリメント、制酸剤、疼痛緩和剤、ねり歯磨、シリアル、スナック食品、飲料および各種食品調味料およびスプレッドを含むカルシウムサプリメントおよびカルシウム補給製品の各種品目に生物活性ガラスを添加する新規処方を含む。
【０２７９】
カルシウムサプリメントおよびカルシウム補給製品の共通処方は炭酸カルシウム、ジアセチルナトリウムスルホサクシネート、水素添加穀類固体、ステアリン酸マグネシウム、ポリエチレングリコール、ソルビトール、糖、各種合成および天然フレーバ付与剤および各種着色剤を含む。
カルシウムサプリメントおよびカルシウム補助製品は１つ以上の次のものを含むこともできる、すなわちアジピン酸、二酸化ケイ素、ポリリン酸ナトリウム、澱粉、タルク、アスパルテーム、マンニトール、マルトデキストリン、セルロース、鉱油、クロスポビドン、ヒドロキシプロピルメチルセルロース、植物グリセリド、アラビアガム、酸化チタン、ポリソルベート８０、ラウリル硫酸ナトリウム、およびステアリン酸。
本発明は上記任意成分の組合せに生物活性ガラスを添加することによりカルシウムサプリメントおよびカルシウム補給製品の新規処方を供する。
【０２８０】
シリカ補給製品
本発明はＢｏｄｙ　Ｅｓｓｅｎｔｉａｌ，Ｃｒｅｓｔ，Ｆｕｔｕｒ−ｂｏｉｔｉｃｓ，ＧＮＣ，Ｎａｔｒｏｌ，Ｎａｔｕｒｅ’ｓ　Ｈｅｒｂｓ，Ｎａｔｕｒｅ’ｓ　Ｗａｙ，Ｐｅｔｅｒ　Ｔｈｏｍａｓ　Ｒｏｔｈのブランド名で市販される製品、および最高級および一般的製造者が製造する製品のような、丸剤およびチューイング形の食物サプリメント、ねり歯磨、シャンプー、ボディ洗剤、および各種食品調味料およびスプレッドを含むシリカサプリメントおよびシリカ補給製品の各種品目に生物活性ガラスを添加する新規処方を含む。
【０２８１】
シリカサプリメントおよびシリカ補給製品の共通処方はステアリン酸、リン酸二カルシウム、セルロース、およびステアリン酸マグネシウムを含む。
シリカサプリメントおよびシリカ補給製品は１つ以上の次のものを含むこともできる、すなわち米粉、シリカ、ゼラチンおよび水。
本発明は上記任意成分の組合せに生物活性ガラスを添加することによりシリカサプリメントおよびシリカ補給製品の新規処方を供する。
【０２８２】
別法では、生物活性ガラス自体はシリカサプリメントと考えることができ、または、実在するシリカサプリメント処方に見出されるシリカを代替することができる。
出願人は生物活性ガラスは標準の食物シリカサプリメントと比較してすぐれた、予期されない結果を供することを見出した。出願人は生物活性ガラスがこれまで認められなかった有利な方法で生理学的環境に可溶性シリカを遊離することを見出した。生物活性ガラスは多くの方法で可溶性シリカと同様の活性を有するシラノール基を供する異例に大きい物理的表面積も供する。これはゾル−ゲル由来ガラスの場合特に真実であることに注目すべきである。
【０２８３】
出願人は遊離する可溶性シリカおよび利用できるシラノール基の双方は身体から金属イオンを封鎖し、除去する有効な機作を供することを見出した。ミクロン寸法のガラス粒子は金属イオンを封鎖または結合し、身体の器官（例えば、腎臓および腸管）を通してフラッシュし、身体から排泄する。このように生物活性ガラスは多くの金属イオンの毒性作用を低減し、または最少化するために使用できる。
生物活性ガラスはアルミニウムの毒性作用を低減または最少化するのに特に有用である。上記金属イオン封鎖または結合の他に、生物活性ガラスは付加的カルシウムおよびホスフェートを遊離し、アルミニウムと結合するようになる。こうして結合したアルミニウムは毒性作用に対する利用または生物学的プロセスの損傷が少なくなる。
【０２８４】
従って、生物活性ガラスを添加する食物サプリメントは例えば、限定されないが、骨粗鬆症、骨異栄養症、および造骨細胞活性の刺激が望まれる他の状態を含むアルミニウムと関連する多くの有害な疾病プロセスおよび状態を治療し、または予防するのに有利でありうる。
さらに、これらの食物サプリメントは、アルミニウムを結合することによりアルツハイマー病、各種形の脳疾患、および各種形の心筋機能障害の効果を予防し、遅らせ、または逆転するのに有効でありうる。
【０２８５】
アルミニウムの他に、生物活性ガラスは例えば、鉛、カドミウム、亜塩および鉄を含む他の金属イオンを結合するために使用できる。従って、これらおよび他の金属イオンの有害または毒性効果は予防し、遅らせ、または逆転できる。
【０２８６】
上記製品の他に、生物活性ガラスは次の家庭用製品、すなわち塵埃フィルター、壁ペイント／壁紙、トイレット台座カバー、かび剥離剤、セラミック／浴室タイル積層品、水濾過剤、マットレス充填材、日光浴室およびベッドの清浄剤、トイレットブラシ、ペットのベッド（Ｌｉｔｔｅｒ　Ｃｌｅａｎ，Ｔｉｄｙ　Ｃａｔ，Ａｍ　＆　Ｈａｍｍｅｒ，Ｃｌａｓｓｙ　Ｃａｔ，Ｅｖｅｒｆｒｅｓｈ，Ｆｒｅｓｈ　Ｓｔｅｐ，Ｊｏｎｎｙ，Ｓａｎｉ−ＳｃｏｏｐおよびＳｃｏｏｐ　Ａｗａｙのブランド名で市販されるような）および切断台に添加し、または含んでこれらの製品を細菌汚染に対し高抵抗性にしおよびｐＨを増加することができる。
【０２８７】
本発明は動物のケアおよび獣医学分野で有用な新規製品も供する。生物活性ガラスは次の動物／獣医学製品、例えば鳥かご用砂、小猫の寝床、のみ駆除粉および動物用乾燥シャンプーに添加し、または含んでこれらの製品を微生物汚染に対し高抵抗性にし、ｐＨを増加することができる。
【０２８８】
生物活性ガラスは次の製品：例えば、農業用殺菌剤／殺虫剤、海汚染ペイント、ガラス用被覆および工業食品および飲料容器用洗浄剤、コンクリート、セラミックおよびタイルに添加し、または含み、これらの製品を微生物汚染に対し高抵抗にし、ｐＨを増加させることができる。
【０２８９】
下記の番号を付した態様は本発明およびその態様をさらに例示する。
１．　生物活性ガラスおよび実質的に無水の化粧品処方物から成る化粧品組成物。
２．　生物活性ガラスは溶融−由来である、態様１の組成物。
３．　生物活性ガラスはゾル−ゲル−由来である、態様１の組成物。
４．　生物活性ガラスは水性抽出物である、態様１の組成物。
５．　実質的に無水の化粧品処方物は口紅、リップバーム、アイシャドウ、アイファンデーション、メーキャップファンデーション、およびおしろいから成る群から選択する、態様１の組成物。
６．　例４Ｂの処方に添加する態様１の組成物。
７．　例４Ｃの処方に添加する態様１の組成物。
８．　例５の処方に添加する態様１の組成物。
９．　例６の処方に添加する態様１の組成物。
１０．　例７の処方に添加する態様１の組成物。
１１．　例８の処方に添加する態様１の組成物。
１２．　例９の処方に添加する態様２７の組成物。
１３．　例１０Ｂの処方に添加する態様２７の組成物。
１４．　生物活性ガラスと実質的に無水の化粧品処方物を組合せることから成る化粧品組成物の製造方法。
１５．　生物活性ガラスは溶融−由来である、態様１４の方法。
１６．　生物活性ガラスはゾル−ゲル−由来である、態様１４の方法。
１７．　生物活性ガラスは水性抽出物である、態様１４の方法。
１８．　実質的に無水の化粧品処方物は口紅、リップバーム、アイシャドウ、アイファンデーション、メーキャップファンデーション、およびおしろいから成る群から選択する、態様１４の方法。
１９．　例４Ｂの処方物を製造する、態様１４の方法。
２０．　例４Ｃの処方物を製造する、態様１４の方法。
２１．　例５の処方物を製造する、態様１４の方法。
２２．　例６の処方物を製造する、態様１４の方法。
２３．　例７の処方物を製造する、態様１４の方法。
２４．　例８の処方物を製造する、態様１４の方法。
２５．　例９の処方物を製造する、態様３４の方法。
２６．　例１０Ｂの処方物を製造する、態様３４の方法。
２７．　生物活性ガラス、化粧品処方物および緩衝剤から成る化粧品組成物。
２８．　生物活性ガラスは溶融−由来である、態様２７の組成物。
２９．　生物活性ガラスはゾル−ゲル−由来である、態様２７の組成物。
３０．　生物活性ガラスは水性抽出物である、態様２７の組成物。
３１．　緩衝剤はクエン酸である、態様２７の組成物。
３２．　化粧品処方物は口紅、リップバーム、アイシャドウ、アイファンデーション、メーキャップファンデーション、およびおしろいから成る群から選択する、態様２７の組成物。
３３．　例９の処方に添加する態様２７の組成物。
３４．　生物活性ガラス、化粧品処方物、および緩衝剤を組合せることから成る化粧品組成物の製造方法。
３５．　生物活性ガラスは溶融−由来である、態様３４の方法。
３６．　生物活性ガラスはゾル−ゲル−由来である、態様３４の方法。
３７．　生物活性ガラスは水性抽出物である、態様３４の方法。
３８．　緩衝剤はクエン酸である、態様３４の方法。
３９．　化粧品処方物は口紅、リップバーム、アイシャドウ、アイファンデーション、メーキャップファンデーション、およびおしろいから成る群から選択する、態様３４の方法。
４０．　例９の処方物を製造する、態様３４の方法。
４１．　生物活性ガラスおよび化粧品処方物から成り、そのｐＨは約８〜約１２である非刺激性、安定な化粧品組成物。
４２．　生物活性ガラスおよび化粧品処方物を組合せることから成り、そのｐＨは約８〜約１２である非刺激性、安定な化粧品組成物の製造方法。
４３．　化粧品処方物は組成物中にない場合皮膚刺激性である少なくとも１つの物質を含む、生物活性ガラスおよび化粧品処方物から成る非刺激性化粧品組成物。
４４．　態様４３の化粧品組成物を皮膚に適用することから成る皮膚刺激の低減および／または予防方法。
４５．　生物活性ガラスおよび化粧品処方物から成る臭い低減化粧品組成物。
４６．　態様４５の化粧品組成物を臭い源に適用することから成る臭いの低減方法。
４７．　生物活性ガラスおよび化粧品処方物から成るＵＶ−濾過化粧品組成物。
４８．　生物活性ガラスはゾル−ゲル−由来である態様４７の化粧品組成物。
４９．　例１の処方に添加する態様４７の化粧品組成物。
５０．　例２の処方に添加する態様４７の化粧品組成物。
５１．　例３の処方に添加する態様４７の化粧品組成物。
５２．　態様４７の化粧品組成物を暴露した皮膚に適用することから成る暴露した皮膚からＵＶ光線を遮断する方法。
５３．　態様４９の化粧品組成物を暴露した皮膚に適用することから成る暴露した皮膚からＵＶ光線を遮断する方法。
５４．　態様５０の化粧品組成物を暴露した皮膚に適用することから成る暴露した皮膚からＵＶ光線を遮断する方法。
５５．　態様５１の化粧品組成物を暴露した皮膚に適用することから成る暴露した皮膚からＵＶ光線を遮断する方法。
５６．　生物活性ガラスおよび化粧品処方物から成る水分−吸収化粧品組成物。
５７．　生物活性ガラスはゾル−ゲル由来である、態様５６の化粧品組成物。
５８．　態様５６の化粧品組成物を水分源に適用することから成る水分の吸収方法。
５９．　生物活性ガラスおよびボディケア製品から成るボディケア組成物。
６０．　生物活性ガラスは溶融−由来である、態様５９の組成物。
６１．　生物活性ガラスはゾル−ゲル−由来である、態様５９の組成物。
６２．　生物活性ガラスは水性抽出物である、態様５９の組成物。
６３．　ボディケア製品はおしめ製品、成人失禁製品、女性衛生製品、シャンプー製品、毛髪ケア製品、脱臭製品、フットケア製品、乳児ケア製品、サン遮へい製品、ボディ洗剤製品、皮膚ケア製品、および栄養サプリメント製品から成る群から選択する、態様５９の組成物。
６４．　生物活性ガラスおよびボディケア製品を組合せることから成るボディケア組成物の製造方法。
６５．　生物活性ガラスは溶融−由来である、態様６４の方法。
６６．　生物活性ガラスはゾル−ゲル−由来である、態様６４の方法。
６７．　生物活性ガラスは水性抽出物である、態様６４の方法。
６８．　ボディケア製品はおしめ製品、成人失禁製品、女性衛生製品、シャンプー製品、毛髪ケア製品、脱臭製品、フットケア製品、乳児ケア製品、サン遮へい製品、ボディ洗剤製品、皮膚ケア製品、および栄養サプリメント製品から成る群から選択する、態様６４の方法。
６９．　組成物のｐＨは約８〜約１２である、生物活性ガラスおよびボディケア製品から成る非刺激性、安定なボディケア組成物。
７０．　組成物のｐＨは約８〜約１２である、生物活性ガラスおよびボディケア製品を組合せることから成る非刺激性、安定なボディケア組成物の製造方法。
７１．　生物活性ガラスおよびボディケア製品から成る臭いを低限するボディケア組成物。
７２．　態様７１のボディケア組成物を臭い源に適用することから成る臭いの低減方法。
７３．　生物活性ガラスおよびボディケア製品から成るＵＶ−濾過ボディケア組成物。
７４．　生物活性ガラスはゾル−ゲル−由来である、態様７３のＵＶ−濾過ボディケア組成物。
７５．　ボディケア製品はサン遮へい物を含む、態様７３のボディケア組成物。
７６．　例１の処方に添加する態様７３のボディケア組成物。
７７．　例２の処方に添加する態様７３のボディケア組成物。
７８．　例３の処方に添加する態様７３のボディケア組成物。
７９．　態様７３のボディケア組成物を暴露した皮膚に適用することから成る暴露した皮膚からＵＶ光線を遮断する方法。
８０．　態様７６のボディケア組成物を暴露した皮膚に適用することから成る暴露した皮膚からＵＶ光線を遮断する方法。
８１．　態様７７のボディケア組成物を暴露した皮膚に適用することから成る暴露した皮膚からＵＶ光線を遮断する方法。
８２．　態様７８のボディケア組成物を暴露した皮膚に適用することから成る暴露した皮膚からＵＶ光線を遮断する方法。
８３．　生物活性ガラスおよびボディケア製品から成る水分吸収ボディケア組成物。
８４．　生物活性ガラスはゾル−ゲル由来である、態様８３の水分吸収ボディケア組成物。
８５．　態様８３のボディケア組成物を水分源に適用することから成る水分の吸収方法。
８６．　毛髪ケア組成物は毛髪にミネラル被覆を供する、生物活性ガラスおよび毛髪ケア製品から成る毛髪ケア組成物。
８７．　例１１の処方に添加する態様８６の毛髪ケア組成物。
８８．　例１２Ａの処方に添加する態様８６の毛髪ケア組成物。
８９．　例１３Ａの処方に添加する態様８６の毛髪ケア組成物。
９０．　赤色７カルシウムレーキ、赤色６バリウムレーキ、赤色３３アルミニウムレーキ、ヒマシ油、カルナバワックス、キャンデリラワックス、オゾケライトワックス、微結晶ワックス、ホホバ油、ビタミンＥ、メチルパラベン、プロピルパラベン、および４５ｓ生物活性ガラスを含む態様１の組成物。
９１．　赤色７カルシウムレーキ、赤色６バリウムレーキ、赤色３３アルミニウムレーキ、ヒマシ油、カルナバワックス、キャンデリラワックス、オゾケライトワックス、微結晶ワックス、ホホバ油、ビタミンＥ、メチルパラベン、プロピルパラベン、４５ｓ生物活性ガラス、および５８ｓ生物活性ガラスを含む、態様１の組成物。
９２．　生物活性ガラスは約５μ未満の平均粒度を有する、ホホバグレーズおよび生物活性ガラスから成る態様１の組成物。
９３．　生物活性ガラスは約５μ未満の平均粒度を有する、グリセリン、Ｐｅｍｕｌｅｎ（登録商標）ＴＲ−２、および生物活性ガラスから成る態様１の組成物。
９４．　ホホバグレーズ、褐色酸化鉄、二酸化チタン、タルクおよびゾル−ゲル−由来生物活性ガラスから成る態様１の組成物。
９５．　鉱油、Ｐｏｌａｗａｘ（登録商標）、グリセリン、脱イオン水、ｊｕｇｕａｒ　Ｃ−１４Ｓ、ｐｈｅｎｏｂａｃｔ、香料、クエン酸１水物粉末、およびゾル−ゲル−由生物活性ガラスから成る態様２７の組成物。
９６．　例１０Ｃの処方に添加する態様２７の組成物。
９７．　ｃｒｏｄａｆｏｓ　ＣＥＳ、ｖｏｌｐｏ　１０、ｖｏｌｐｏ３、ホホバ油、シクロメチルコーンＤ５、脱イオン水、ＮａＯＨ、ＴｉＯ２、赤色酸化鉄、５０／５０黒色／褐色酸化鉄ブレンド、プロピレングリコール、ｊａｇｕａｒ１３Ｓ、ｇｅｒｍａｂｅｎ１１、および４５、生物活性ガラスから成る処方物を製造する、態様１４の方法。
９８．  ｃｒｏｄａｆｏｓ  ＣＥＳ、ｖｏｌｐｏ  １０、ｖｏｌｐｏ３、ホホバ油、シクロメチルコーンＤ５、脱イオン水、ＮａＯＨ、ＴｉＯ２、赤色酸化鉄、５０／５０黒色／褐色酸化鉄ブレンド、プロピレングリコール、ｊａｇｕａｒ１３Ｓ、ｇｅｒｍａｂｅｎ１１、および５８ｓ生物活性ガラスから成る、態様２７の組成物。
９９．  赤色７カルシウムレーキ、赤色６バリウムレーキ、赤色３３アルミニウムレーキ、ヒマシ油、カルナバワックス、キャンデリラワックス、オゾケライトワックス、微結晶ワックス、ホホバ油、ビタミンＥ、メチルパラベン、プロピルパラベン、および４５ｓ生物活性ガラスから成る処方物を製造する、態様１４の方法。
１００．  赤色７カルシウムレーキ、赤色６バリウムレーキ、赤色３３アルミニウムレーキ、ヒマシ油、カルナバワックス、キャンデリラワックス、オゾケライトワックス、微結晶ワックス、ホホバ油、ビタミンＥ、メチルパラベン、プロピルパラベン、４５ｓ生物活性ガラス、および５８ｓ生物活性ガラスから成る組成物を製造する、態様１４の方法。
１０１．  生物活性ガラスは約５μ未満の平均粒度を有する、ホホバグレーズおよび生物活性ガラスから成る組成物を製造する、態様１４の方法。
１０２．  生物活性ガラスは約５μ未満の平均粒度を有する、グリセリン、Ｐｅｍｕｌｅｎ（登録商標）ＴＲ−２、および生物活性ガラスから成る組成物を製造する、態様１４の方法。
１０３．  ホホバグレーズ、褐色酸化鉄、二酸化チタン、タルクおよびゾル−ゲル−由来生物活性ガラスから成る組成物を製造する、態様１４の方法。
１０４．  鉱油、Ｐｏｌａｗａｘ（登録商法）、グリセリン、脱イオン水、ｊｕｇｕａｒ  Ｃ−１４Ｓ、ｐｈｅｎｏｂａｃｔ、香料、クエン酸１水物粉末、およびゾル−ゲル−由来生物活性ガラスから成る組成物を製造する、態様１４の方法。
１０５．  例１０Ｃの処方物を製造する、態様３４の方法。
１０６．  ｃｒｏｄａｆｏｓ  ＣＥＳ、ｖｏｌｐｏ  １０、ｖｏｌｐｏ３、ホホバ油、シクロメチルコーンＤ５、脱イオン水、ＮａＯＨ、ＴｉＯ２、赤色酸化鉄、５０／５０黒色／褐色酸化鉄ブレンド、プロピレングリコール、ｊａｇｕａｒ１３Ｓ、ｇｅｒｍａｂｅｎ１１、および４５ｓ生物活性ガラスから成る組成物を製造する、態様３４の方法。
１０７．  ｃｒｏｄａｆｏｓ  ＣＥＳ、ｖｏｌｐｏ  １０、ｖｏｌｐｏ３、ホホバ油、シクロメチルコーンＤ５、脱イオン水、ＮａＯＨ、ＴｉＯ２、赤色酸化鉄、５０／５０黒色／褐色酸化鉄ブレンド、プロピレングリコール、ｊａｇｕａｒ１３Ｓ、ｇｅｒｍａｂｅｎ１１、および５８ｓ生物活性ガラスから成る組成物を製造する、態様３４の方法。
１０８．  ホホバグレーズ、オクチルメトキシシンナメート、ベンゾフェノン−３および生物活性ガラスから成る態様４７の組成物。
１０９．  ホホバグレーズ、オクチルメトキシシンナメート、ベンゾフェノン−３およびゾル−ゲル−由来生物活性ガラスから成る態様４７の組成物。
１１０．  ホホバグレーズ、オクチルメトキシシンナメート、ベンゾフェノン−３および生物活性ガラスから成る態様７３の組成物。
１１１．  ホホバグレーズ、オクチルメトキシシンナメート、ベンゾフェノン−３およびゾル−ゲル−由来生物活性ガラスから成る態様７３の組成物。
１１２．  ｓｔａｎｄｏｐｏｌ  ＥＳ、ｃｒｏｓｕｌｔａｉｎｅ  Ｃ−５０、ｆｏａｍｉｄ  Ｃ、脱イオン水、ｊａｇｕａｒ  Ｃ−１４Ｓ、ｐｈｅｎｏｂａｃｔ、香料、クエン酸１水和物粉末、および生物活性ガラスから成る態様８６の組成物。
１１３．  例１２Ｄの処方物に添加する態様８６の毛髪ケア組成物。
１１４．  ｓｔａｎｄｏｐｏｌ  ＥＳ、ｃｒｏｓｕｌｔａｉｎｅ  Ｃ−５０、ｆｏａｍｉｄ  Ｃ、脱イオン水、ｐｈｅｎｏｂａｃｔ、クエン酸１水物粉末、および生物活性ガラスから成る態様８６の毛髪ケア組成物。
１１５．  例１３Ｂの処方物に添加する態様８６の毛髪ケア組成物。
１１６．  例１３Ｃの処方物に添加する態様８６の毛髪ケア組成物。
１１７．  例１３Ｄの処方物に添加する態様８６の毛髪ケア組成物。
１１８．  ｓｔｅｏｌ  ＣＳ−２３０、ｃｒｏｓｕｌｔａｉｎｅ  Ｃ−５０、ｆｏａｍｉｄ  Ｃ、脱イオン水、ｐｈｅｎｏｂａｃｔ、クエン酸１水和物粉末、および生物活性ガラスから成る態様８６の組成物。
１１９．  ｓｔｅｏｌ  ＣＳ−２３０、ｃｒｏｓｕｌｔａｉｎｅ  Ｃ−５０、ｆｏａｍｉｄ  Ｃ、脱イオン水、ｐｈｅｎｏｂａｃｔ、および生物活性ガラスから成る態様８６の組成物。
１２０．  ホホバ油、Ｌｕｂｒａｊｅｌ（登録商標）ＭＳ、顔料および生物活性ガラスから成る態様１の組成物。
１２１．  Ｐｏｌａｗａｘ、鉱油、グリセリン、ｊａｇｕａｒ  Ｃ−１４Ｓ、クエン酸、ｐｈｅｎｏｂａｃｔ、着色剤、香料および生物活性ガラスから成る態様１の組成物。
１２２．  スチック脱臭剤および組成物重量で約４〜約１０重量％の生物活性ガラスから成る態様５９の組成物。
１２３．  脱臭クリームおよび組成物重量で約３０〜約６０重量％の生物活性ガラスから成る態様５９の組成物。
１２４．  生物活性ガラスおよび洗浄剤から成る洗浄剤組成物。
１２５．  生物活性ガラスは溶融−由来である、態様１２４の組成物。
１２６．  生物活性ガラスはゾル−ゲル−由来である、態様１２４の組成物。
１２７．  生物活性ガラスは水性抽出物である、態様１２４の組成物。
１２８．  洗浄剤は洗たく洗浄剤、しみ抜き剤、織物柔軟化剤、皿洗い製品、空気清浄剤、脱臭製品、浴用ティッシュ、顔用ティッシュ、紙タオル製品、ナプキン製品、綿棒、手ふき、研磨製品、スポンジ製品、オーブン洗浄製品、トイレット洗浄製品、浴槽およびシャワー洗浄製品、カーペット洗浄製品、全用途洗浄製品、宝石製品および金属洗浄製品から成る群から選択する、態様１２４の組成物。
１２９．  生物活性ガラスおよび洗浄剤を組合せることから成る洗浄剤組成物の製造方法。
１３０．  生物活性ガラスは溶融−由来である、態様１２９の方法。
１３１．  生物活性ガラスはゾル−ゲル−由来である、態様１２９の方法。
１３２．  生物活性ガラスは水性抽出物である、態様１２９の方法。
１３３．  洗浄剤は洗たく用洗浄剤、しみ抜き剤、織物柔軟化製品、皿洗い製品、空気清浄剤、脱臭製品、浴用ティッシュ、顔用ティッシュ、紙タオル製品、ナプキン製品、綿棒、手ふき、研磨製品、スポンジ製品、オーブン洗浄製品、トイレット洗浄製品、浴槽およびシャワー洗浄製品、カーペット洗浄製品、全用途洗浄製品、宝石製品および金属洗浄製品から成る群から選択する、態様１２９の方法。
１３４．  生物活性ガラスおよび栄養サプリメントから成る栄養サプリメント組成物。
１３５．  生物活性ガラスは溶融−由来である、態様１３４の組成物。
１３６．  生物活性ガラスはゾル−ゲル−由来である、態様１３４の組成物。
１３７．  生物活性ガラスは水性抽出物である、態様１３４の組成物。
１３８．  栄養サプリメントは制酸剤、カルシウムサプリメントおよびシリカサプリメントから成る群から選択する、態様１３４の組成物。
１３９．  さらに沃素を含む、態様１３４の組成物。
１４０．  生物活性ガラスおよび栄養サプリメントを組合せることから成る栄養サプリメント組成物の製造方法。
１４１．  生物活性ガラスは溶融−由来である、態様１４０の方法。
１４２．  生物活性ガラスはゾル−ゲル−由来である、態様１４０の方法。
１４３．  生物活性ガラスは水性抽出物である、態様１４０の方法。
１４４．  栄養サプリメントは制酸剤、カルシウムサプリメント、およびシリカサプリメントから成る群から選択する、態様１４０の方法。
【国際公開パンフレット】
2004500404.tif 000026
2004500404.tif 000027
2004500404.tif 000028
2004500404.tif 000029
2004500404.tif 000030
2004500404.tif 000031
2004500404.tif 000032
2004500404.tif 000033
2004500404.tif 000034
2004500404.tif 000035
2004500404.tif 000036
2004500404.tif 000037
2004500404.tif 000038
2004500404.tif 000039
2004500404.tif 000040
2004500404.tif 000041
2004500404.tif 000042
2004500404.tif 000043
2004500404.tif 000044
2004500404.tif 000045
2004500404.tif 000046
2004500404.tif 000047
2004500404.tif 000048
2004500404.tif 000049
2004500404.tif 000050
2004500404.tif 000051
2004500404.tif 000052
2004500404.tif 000053
2004500404.tif 000054
2004500404.tif 000055
2004500404.tif 000056
2004500404.tif 000057
2004500404.tif 000058
2004500404.tif 000059
2004500404.tif 000060
2004500404.tif 000061
2004500404.tif 000062
2004500404.tif 000063
2004500404.tif 000064
2004500404.tif 000065
2004500404.tif 000066
2004500404.tif 000067
2004500404.tif 000068
2004500404.tif 000069
2004500404.tif 000070
2004500404.tif 000071
2004500404.tif 000072
2004500404.tif 000073
2004500404.tif 000074
2004500404.tif 000075
2004500404.tif 000076
2004500404.tif 000077
2004500404.tif 000078
2004500404.tif 000079
2004500404.tif 000080
2004500404.tif 000081
2004500404.tif 000082
2004500404.tif 000083
2004500404.tif 000084
2004500404.tif 000085
2004500404.tif 000086
2004500404.tif 000087
2004500404.tif 000088
2004500404.tif 000089
2004500404.tif 000090
2004500404.tif 000091
2004500404.tif 000092
2004500404.tif 000093
2004500404.tif 000094
2004500404.tif 000095
2004500404.tif 000096
2004500404.tif 000097
2004500404.tif 000098
2004500404.tif 000099
2004500404.tif 000100
2004500404.tif 000101
2004500404.tif 000102
2004500404.tif 000103
2004500404.tif 000104
2004500404.tif 000105
2004500404.tif 000106
2004500404.tif 000107
2004500404.tif 000108
2004500404.tif 000109
2004500404.tif 000110
2004500404.tif 000111
2004500404.tif 000112
2004500404.tif 000113
2004500404.tif 000114
2004500404.tif 000115
2004500404.tif 000116
2004500404.tif 000117
2004500404.tif 000118
2004500404.tif 000119
2004500404.tif 000120
2004500404.tif 000121
2004500404.tif 000122
2004500404.tif 000123
2004500404.tif 000124
2004500404.tif 000125
2004500404.tif 000126
2004500404.tif 000127
2004500404.tif 000128
2004500404.tif 000129
2004500404.tif 000130
2004500404.tif 000131
2004500404.tif 000132
2004500404.tif 000133
2004500404.tif 000134
2004500404.tif 000135
2004500404.tif 000136
2004500404.tif 000137
2004500404.tif 000138
2004500404.tif 000139
2004500404.tif 000140
2004500404.tif 000141
2004500404.tif 000142
2004500404.tif 000143
2004500404.tif 000144
2004500404.tif 000145
2004500404.tif 000146
2004500404.tif 000147
2004500404.tif 000148
2004500404.tif 000149
2004500404.tif 000150
2004500404.tif 000151
2004500404.tif 000152
2004500404.tif 000153
2004500404.tif 000154
2004500404.tif 000155
2004500404.tif 000156
2004500404.tif 000157
2004500404.tif 000158
2004500404.tif 000159
2004500404.tif 000160
2004500404.tif 000161
2004500404.tif 000162
2004500404.tif 000163
2004500404.tif 000164
2004500404.tif 000165
2004500404.tif 000166
2004500404.tif 000167
2004500404.tif 000168
2004500404.tif 000169
2004500404.tif 000170
2004500404.tif 000171
2004500404.tif 000172
2004500404.tif 000173
2004500404.tif 000174
2004500404.tif 000175
2004500404.tif 000176
2004500404.tif 000177
2004500404.tif 000178
2004500404.tif 000179
2004500404.tif 000180
2004500404.tif 000181
2004500404.tif 000182
2004500404.tif 000183
2004500404.tif 000184
2004500404.tif 000185
2004500404.tif 000186
【国際公開パンフレット（コレクトバージョン）】
2004500404.tif 000187
【国際調査報告】
2004500404.tif 000188
2004500404.tif 000189
2004500404.tif 000190
2004500404.tif 000191